(57)【特許請求の範囲】
【請求項１】
前面及び背面を備える本体と、
前記本体の前面に配置されるディスプレイ部と、
少なくとも一部が前記本体の前面及び背面の少なくとも一部を覆うように形成されるカバーと、
前記カバーに備えられ、前記カバーが前記前面の少なくとも一部を覆った状態では前記ディスプレイ部の少なくとも一部を露出し、前記カバーが前記背面の少なくとも一部を覆った状態では前記背面の少なくとも一部を露出するウィンドウ部と、
前記ウィンドウ部の縁部に配置される少なくとも１つのセンサを備えるセンサ部とを含み、
前記センサ部は、前記カバーが前記背面の少なくとも一部を覆った状態にある場合に前記ウィンドウ部内でのオブジェクトのモーションを検知するように構成されることを特徴とする移動端末機。
【請求項２】
前記センサ部は、前記ウィンドウ部の外周に沿って互いに離隔して配置される複数のセンサを備える、請求項１に記載の移動端末機。
【請求項３】
前記カバーは、
前記本体の背面に取り付けられる第１部分と、前記第１部分に回転可能に連結される第２部分とを含み、
前記ウィンドウ部の外周に沿って配置される環状本体部と、前記環状本体部から延びて前記第２部分から前記第１部分に連結されて前記第１部分で前記本体と電気的に接続される延長部とを備えるフレキシブルプリント基板をさらに含、請求項２に記載の移動端末機。
【請求項４】
前記延長部には、前記本体から電源が供給されるように前記本体の電源端子と電気的に接続される接続端子が配置される、請求項３に記載の移動端末機。
【請求項５】
前記本体は、前記センサ部のセンサと共に制御されて前記オブジェクトのモーションを検知するように構成されるセンサを備え、
前記本体のセンサは、前記カバーが前記背面の少なくとも一部を覆った状態にある場合に前記ウィンドウ部と重なるように前記本体の背面に取り付けられ、前記ウィンドウ部を通して前記オブジェクトのモーションを検知するように制御される、請求項１に記載の移動端末機。
【請求項６】
前記カバーには、少なくとも１つのマグネットが配置され、前記本体には、前記マグネットを検知するように複数のホール効果素子（Hall-effect device）が配置され、前記カバーが前記本体の前面を覆った状態と前記カバーが前記本体の背面を覆った状態を検知する、請求項１に記載の移動端末機。
【請求項７】
前記複数のホール効果素子は、前記本体の縁部に近接して前記本体の長手方向の異なる位置に配置される第１及び第２ホール効果素子からなり、
前記カバーには、前記第１及び第２ホール効果素子に対応する位置に第１及び第２マグネットが配置され、前記カバーが前記本体の前面又は背面を覆った状態にある場合に前記各マグネットが対応する前記ホール効果素子に近接する、請求項６に記載の移動端末機。
【請求項８】
前記本体に備えられて前記本体の動作を検知する少なくとも１つの動作センサと、
前記センサ部により検知された検知情報を用いて前記ウィンドウ部内での前記オブジェクトのモーションに対応する機能を処理し、前記移動端末機が前記ディスプレイ部に第１アプリケーションの第１画面情報を表示している状態にある場合、前記本体が所定の第１方向に動くことを検知する前記動作センサ及び前記背面への所定方式のタッチに対応する前記オブジェクトのモーションを検知する前記センサ部の組み合わせに対する応答として、前記第１アプリケーションの実行情報を保存するように構成される制御部とをさらに含む、請求項１に記載の移動端末機。
【請求項９】
前記制御部は、前記移動端末機が前記ディスプレイ部に前記第１アプリケーションとは異なる第２アプリケーションの第２画面情報を表示している状態にある場合、前記本体が前記第１方向に動くことを検知する前記動作センサ及び前記背面への所定方式のタッチに対応する前記オブジェクトのモーションを検知する前記センサ部の組み合わせに対する応答として、前記第２アプリケーションの実行情報を保存し、前記本体が前記第１方向とは異なる第２方向に動くことを検知する前記動作センサ及び前記背面への前記所定方式のタッチに対応する前記オブジェクトのモーションを検知する前記センサ部の組み合わせに対する応答として、前記保存された実行情報を用いて前記第１及び第２アプリケーションにそれぞれ対応するグラフィックオブジェクトを表示する、請求項８に記載の移動端末機。
【請求項１０】
前記制御部は、前記移動端末機が前記各グラフィックオブジェクトを表示している状態にある場合、前記背面への所定方式のタッチに対応する前記オブジェクトのモーションを検知する前記センサ部に対する応答として、前記第１及び第２アプリケーションのいずれかの画面情報を表示するように前記ディスプレイ部を制御する、請求項９に記載の移動端末機。
【請求項１１】
前記制御部は、前記グラフィックオブジェクトを表示している状態にある場合、前記背面への所定方式のタッチに対応する前記オブジェクトのモーションを検知する前記センサ部に対する応答として、前記第１及び第２アプリケーションのうち直近に実行されたアプリケーションを前記ディスプレイ部に表示する、請求項１０に記載の移動端末機。
【請求項１２】
前記制御部は、前記第１及び第２アプリケーションにそれぞれ対応するグラフィックオブジェクトを表示している状態にある場合、前記本体が前記第１方向及び前記第２方向とは異なる第３方向に動くことを検知する前記動作センサ及び前記背面への前記所定方式のタッチに対応する前記オブジェクトのモーションを検知する前記センサ部の組み合わせに対する応答として、前記第１及び第２アプリケーションの実行情報を削除し、前記グラフィックオブジェクトの表示を終了する、請求項１１に記載の移動端末機。
【請求項１３】
前記制御部は、前記第１及び第２アプリケーションの実行情報が削除された後、前記動作センサにより前記本体が前記第１方向とは異なる第２方向に動くことが検知され、前記センサ部により前記背面への所定方式のタッチに対応する前記オブジェクトのモーションが検知されても、前記第１及び第２アプリケーションにそれぞれ対応するグラフィックオブジェクトを表示しない、請求項１２に記載の移動端末機。
【請求項１４】
前記制御部は、前記本体が前記第１方向に動いている状態にある場合、前記センサ部により前記背面への前記所定方式のタッチに対応する前記オブジェクトのモーションが検知されると、前記ディスプレイ部への前記第１アプリケーションの第１画面情報の表示を終了する、請求項１２に記載の移動端末機。
【請求項１５】
前記カバーが前記本体の前面又は背面を覆った状態を検知できるように、前記カバーの一部分にマグネットが取り付けられ、
前記制御部は、ホール効果素子による前記マグネットにより形成される磁場の検知を用いて前記カバーが前記背面を覆った状態であるか否かを判断し、前記判断の結果、前記カバーが前記背面を覆った状態の場合、前記ウィンドウ部に配置された前記センサ部がアクティブになるように前記センサ部に動作電源を供給する、請求項８に記載の移動端末機。
【請求項１６】
移動端末機の本体の前面及び背面を覆うように形成されたカバーを用いる移動端末機の制御方法であって、
前記カバーが前記本体の背面の少なくとも一部を覆った状態にある場合、前記カバーに備えられたウィンドウ部の縁部に配置された少なくとも１つのセンサをアクティブにする段階と、
前記アクティブになった少なくとも１つのセンサにより、前記カバーが前記本体の背面の少なくとも一部を覆った状態にある場合に前記ウィンドウ部内でのオブジェクトのモーションを検知する段階と、
前記ウィンドウ部内での前記オブジェクトのモーションに基づいて、前記移動端末機の少なくとも１つの機能を処理する段階とを含む、移動端末機の制御方法。
【請求項１７】
前記少なくとも１つの機能は、前記ウィンドウ部内での前記オブジェクトのモーションが行われた位置によって異なる、請求項１６に記載の移動端末機の制御方法。
【請求項１８】
前記オブジェクトのモーションは、少なくとも１つのタップを含み、
前記少なくとも１つのタップが前記移動端末機の背面の右部に対して行われた場合に第１機能が処理され、前記少なくとも１つのタップが前記移動端末機の背面の左部に対して行われた場合に第２機能が処理される、請求項１７に記載の移動端末機の制御方法。
【請求項１９】
第１アプリケーションの第１画面情報がディスプレイ部に表示されている間に前記ウィンドウ部内での前記オブジェクトのモーションが検知されると、前記第１アプリケーションの実行情報を前記移動端末機のメモリに保存する、請求項１６に記載の移動端末機の制御方法。
【請求項２０】
前記第１アプリケーションの第１画面情報が前記ディスプレイ部から消えた後にユーザ要求が受信されると、前記保存された第１アプリケーションの実行情報に基づいて、前記消えた第１アプリケーションの第１画面情報を前記ディスプレイ部に再表示する、請求項１９に記載の移動端末機の制御方法。
【発明の詳細な説明】
【技術分野】
【０００１】
本発明は、移動端末機及びその制御方法に関する。
【背景技術】
【０００２】
端末機は、移動が可能であるか否かによって、移動端末機（mobile/portable terminal）と固定端末機（stationary terminal）に分けられる。さらに、移動端末機は、ユーザが直接携帯可能であるか否かによって、携帯（型）端末機（handheld terminal）と車載端末機（vehicle mount terminal）に分けられる。
【０００３】
このような端末機は、機能が多様化することにより、例えば写真や動画像の撮影、音楽や動画像ファイルの再生、ゲーム、放送受信などの複合的な機能を備えたマルチメディア機器の形で実現されている。
【０００４】
このような端末機の機能をサポート及び向上させるために、端末機の構造的な部分及び／又はソフトウェア的な部分の改良が試みられている。
【０００５】
また、近年では、移動端末機を保護するために前記移動端末機の少なくとも一部を覆うカバー（又はパウチ）の開発が活発に行われている。よって、前記カバーを活用して端末機の利便性を向上させる方法も考えられている。
【発明の概要】
【発明が解決しようとする課題】
【０００６】
本発明の一目的は、容易かつ簡単に移動端末機の所望の機能を選択及び実行できるようにした移動端末機及びその制御方法を提供することにある。
【０００７】
本発明の他の目的は、メニュー選択画面の選択を何回も行わなければならない複雑な過程を経ずに移動端末機の所望の機能を選択及び実行できるようにした移動端末機及びその制御方法を提供することにある。
【０００８】
本発明のさらに他の目的は、頻繁に使用するアプリケーションへのアクセスが迅速に行われるようにした移動端末機及びその制御方法を提供することにある。
【０００９】
本発明のさらに他の目的は、従来とは異なる新しい形態のユーザ入力が可能な移動端末機を提供することにある。
【００１０】
本発明のさらに他の目的は、移動端末機と組み合わせられて当該移動端末機の新しいフォームファクタを実現するカバーを提供することにある。
【課題を解決するための手段】
【００１１】
上記目的を達成するために、本発明による移動端末機は、前面及び背面を備える本体と、前記本体の前面に配置されるディスプレイ部と、少なくとも一部が前記本体の前面又は背面の少なくとも一部を覆うように形成されるカバーと、前記カバーに備えられ、前記カバーが前記前面の少なくとも一部を覆った状態では前記ディスプレイ部の少なくとも一部を露出し、前記カバーが前記背面の少なくとも一部を覆った状態では前記背面の少なくとも一部を露出するウィンドウ部と、前記ウィンドウ部の縁部に配置される少なくとも１つのセンサを備えるセンサ部とを含み、前記センサ部は、前記カバーが前記背面の少なくとも一部を覆った状態にある場合に前記ウィンドウ部内でのオブジェクトのモーションを検知するように構成されることを特徴とする。
【００１２】
一実施形態において、前記センサ部は、前記ウィンドウ部の外周に沿って互いに離隔して配置される複数のセンサを備えることを特徴とする。
【００１３】
一実施形態において、前記カバーは、前記本体の背面に取り付けられる第１部分と、前記第１部分に回転可能に連結される第２部分とを含み、前記ウィンドウ部の外周に沿って配置される環状本体部と、前記環状本体部から延びて前記第２部分から前記第１部分に連結されて前記第１部分で前記本体と電気的に接続される延長部とを備えるフレキシブルプリント基板をさらに含むことを特徴とする。
【００１４】
一実施形態において、前記延長部には、前記本体から電源が供給されるように前記本体の電源端子と電気的に接続される接続端子が配置されることを特徴とする。
【００１５】
一実施形態において、前記本体は、前記センサ部のセンサと共に制御されて前記オブジェクトのモーションを検知するように構成されるセンサを備え、前記本体のセンサは、前記カバーが前記背面の少なくとも一部を覆った状態にある場合に前記ウィンドウ部と重なるように前記本体の背面に取り付けられ、前記ウィンドウ部を通して前記オブジェクトのモーションを検知するように制御されることを特徴とする。
【００１６】
一実施形態において、前記カバーには、少なくとも１つのマグネットが配置され、前記本体には、前記マグネットを検知するように複数のホール効果素子（Hall-effect device）が配置され、前記カバーが前記本体の前面を覆った状態と前記カバーが前記本体の背面を覆った状態を検知することを特徴とする。
【００１７】
一実施形態において、前記複数のホール効果素子は、前記本体の縁部に近接して前記本体の長手方向の異なる位置に配置される第１及び第２ホール効果素子からなり、前記カバーには、前記第１及び第２ホール効果素子に対応する位置に第１及び第２マグネットが配置され、前記カバーが前記本体の前面又は背面を覆った状態にある場合に前記各マグネットが対応する前記ホール効果素子に近接することを特徴とする。
【００１８】
一実施形態において、前記移動端末機は、前記本体に備えられて前記本体の動作を検知する少なくとも１つの動作センサと、前記センサ部により検知された検知情報を用いて前記ウィンドウ部内での前記オブジェクトのモーションに対応する機能を処理し、前記移動端末機が前記ディスプレイ部に第１アプリケーションの第１画面情報を表示している状態にある場合、所定の第１方向に前記本体の動作を検知する前記動作センサ及び前記背面への所定方式のタッチに対応する前記オブジェクトのモーションを検知する前記センサ部の組み合わせに対する応答として、前記第１アプリケーションの実行情報を保存するように構成される制御部とをさらに含むことを特徴とする。
【００１９】
一実施形態において、前記制御部は、前記移動端末機が前記ディスプレイ部に前記第１アプリケーションとは異なる第２アプリケーションの第２画面情報を表示している状態にある場合、前記本体が前記第１方向に動くことを検知する前記動作センサ及び前記背面への所定方式のタッチに対応する前記オブジェクトのモーションを検知する前記センサ部の組み合わせに対する応答として、前記第２アプリケーションの実行情報を保存し、前記本体が前記第１方向とは異なる第２方向に動くことを検知する前記動作センサ及び前記背面への前記所定方式のタッチに対応する前記オブジェクトのモーションを検知する前記センサ部の組み合わせに対する応答として、前記保存された実行情報を用いて前記第１及び第２アプリケーションにそれぞれ対応するグラフィックオブジェクトを表示することを特徴とする。
【００２０】
一実施形態において、前記制御部は、前記移動端末機が前記各グラフィックオブジェクトを表示している状態にある場合、前記背面への所定方式のタッチに対応する前記オブジェクトのモーションを検知する前記センサ部に対する応答として、前記第１及び第２アプリケーションのいずれかの画面情報を表示するように前記ディスプレイ部を制御することを特徴とする。
【００２１】
一実施形態において、前記制御部は、前記グラフィックオブジェクトを表示している状態にある場合、前記背面への所定方式のタッチに対応する前記オブジェクトのモーションを検知する前記センサ部に対する応答として、前記第１及び第２アプリケーションのうち直近に実行されたアプリケーションを前記ディスプレイ部に表示することを特徴とする。
【００２２】
一実施形態において、前記制御部は、前記第１及び第２アプリケーションにそれぞれ対応するグラフィックオブジェクトを表示している状態にある場合、前記本体が前記第１方向に動くことを検知する前記動作センサ及び前記背面への前記所定方式のタッチに対応する前記オブジェクトのモーションを検知する前記センサ部の組み合わせに対する応答として、前記第１及び第２アプリケーションの実行情報を削除し、前記グラフィックオブジェクトの表示を終了することを特徴とする。
【００２３】
一実施形態において、前記制御部は、前記第１及び第２アプリケーションの実行情報が削除された後、前記動作センサにより前記本体が前記第１方向とは異なる第２方向に動くことが検知され、前記センサ部により前記背面への所定方式のタッチに対応する前記オブジェクトのモーションが検知されても、前記第１及び第２アプリケーションにそれぞれ対応するグラフィックオブジェクトを表示しないことを特徴とする。
【００２４】
一実施形態において、前記制御部は、前記本体が前記第１方向に動いている状態にある場合、前記センサ部により前記背面への前記所定方式のタッチに対応する前記オブジェクトのモーションが検知されると、前記ディスプレイ部への前記第１アプリケーションの第１画面情報の表示を終了することを特徴とする。
【００２５】
一実施形態において、前記カバーが前記本体の前面又は背面を覆った状態を検知できるように、前記カバーの一部分にマグネットが取り付けられ、前記制御部は、前記ホール効果素子による前記マグネットにより形成される磁場の検知を用いて前記カバーが前記背面を覆った状態であるか否かを判断し、前記判断の結果、前記カバーが前記背面を覆った状態の場合、前記ウィンドウ部に配置された前記センサ部がアクティブになるように前記センサ部に動作電源を供給することを特徴とする。
【００２６】
上記目的を達成するために、本発明による移動端末機の制御方法は、移動端末機の本体の前面又は背面を覆うように形成されたカバーを用いる移動端末機の制御方法であって、前記カバーが前記本体の背面の少なくとも一部を覆った状態にある場合、前記カバーに備えられたウィンドウ部の縁部に配置された少なくとも１つのセンサをアクティブにする段階と、前記アクティブになった少なくとも１つのセンサにより、前記カバーが前記本体の背面の少なくとも一部を覆った状態にある場合に前記ウィンドウ部内でのオブジェクトのモーションを検知する段階と、前記ウィンドウ部内での前記オブジェクトのモーションに基づいて、前記移動端末機の少なくとも１つの機能を処理する段階とを含むことを特徴とする。
【００２７】
一実施形態において、前記少なくとも１つの機能は、前記ウィンドウ部内での前記オブジェクトのモーションが行われた位置によって異なることを特徴とする。
【００２８】
一実施形態において、前記オブジェクトのモーションは、少なくとも１つのタップを含み、前記少なくとも１つのタップが前記移動端末機の背面の右部に対して行われた場合に第１機能が処理され、前記少なくとも１つのタップが前記移動端末機の背面の左部に対して行われた場合に第２機能が処理されることを特徴とする。
【００２９】
一実施形態において、第１アプリケーションの第１画面情報が前記ディスプレイ部に表示されている間に前記ウィンドウ部内での前記オブジェクトのモーションが検知されると、前記第１アプリケーションの実行情報を前記移動端末機のメモリに保存することを特徴とする。
【００３０】
一実施形態において、前記第１アプリケーションの第１画面情報が前記ディスプレイ部から消えた後にユーザ要求が受信されると、前記保存された第１アプリケーションの実行情報に基づいて、前記消えた第１アプリケーションの第１画面情報を前記ディスプレイ部に再表示することを特徴とする。
【発明の効果】
【００３１】
本発明による移動端末機及びその制御方法の効果は次の通りである。
【００３２】
本発明による移動端末機によれば、移動端末機に結合されるカバーに配置されたセンサにより検知された検知情報を、移動端末機の制御に活用することができる。このように、カバーに配置されたセンサと移動端末機の動作が連動することにより、移動端末機へのユーザモーションをより効果的に検知することができる。
【００３３】
また、本発明による移動端末機によれば、カバーに配置されたセンサを活用して、移動端末機の背面へのユーザモーションに基づいて移動端末機の動作を制御することができる。よって、ユーザは移動端末機を持った手で移動端末機の背面に対してユーザモーションを行うことができる。それにより、移動端末機のユーザ利便性及びアクセス性を向上させることができる。
さらに、本発明による移動端末機によれば、移動端末機へのユーザモーションを用いて発生したイベントに関する画面情報を出力するにあたって、より直観的で簡単なアプローチ方法を提供することができる。よって、ユーザは発生したイベントに関するアプリケーションや最近実行されたアプリケーションに移行するための煩雑な過程を省略することができる。
【図面の簡単な説明】
【００３４】
【図１Ａ】本発明による移動端末機を説明するためのブロック図である。
【図１Ｂ】本発明による移動端末機の一例を前方から見た概念図である。
【図１Ｃ】本発明による移動端末機の一例を後方から見た概念図である。
【図２Ａ】本発明の一実施形態によるカバーに収納された移動端末機を示す斜視図である。
【図２Ｂ】本発明の一実施形態によるカバーに収納された移動端末機を示す斜視図である。
【図３Ａ】図２Ｂのカバー前面部の分解斜視図である。
【図３Ｂ】図２Ｂのカバー前面部が回転してカバー背面部を覆った状態を示す背面斜視図である。
【図４】端末機本体とカバーのセンサ部の電源接続を示す概念図である。
【図５Ａ】カバーの状態を検知するホール効果素子とマグネットとの組み合わせの一例を示す図である。
【図５Ｂ】カバーの状態を検知するホール効果素子とマグネットとの組み合わせの他の例を示す図である。
【図６Ａ】センサ部の変形例を示す概念図である。
【図６Ｂ】センサ部の変形例を示す概念図である。
【図６Ｃ】センサ部の変形例を示す概念図である。
【図６Ｄ】センサ部の変形例を示す概念図である。
【図６Ｅ】センサ部の変形例を示す概念図である。
【図７Ａ】本発明の一実施形態による移動端末機の制御方法を示すフローチャートである。
【図７Ｂ】本発明の一実施形態による移動端末機の制御方法を示すフローチャートである。
【図８Ａ】本発明の一実施形態による移動端末機の制御方法を説明するための概念図である。
【図８Ｂ】本発明の一実施形態による移動端末機の制御方法を説明するための概念図である。
【図９】本発明の一実施形態による移動端末機の制御方法を説明するための概念図である。
【図１０Ａ】本発明の一実施形態による移動端末機における端末機の背面へのユーザモーションを用いてアプリケーションを制御する方法を説明するための概念図である。
【図１０Ｂ】本発明の一実施形態による移動端末機における端末機の背面へのユーザモーションを用いてアプリケーションを制御する方法を説明するための概念図である。
【図１０Ｃ】本発明の一実施形態による移動端末機における端末機の背面へのユーザモーションを用いてアプリケーションを制御する方法を説明するための概念図である。
【図１０Ｄ】本発明の一実施形態による移動端末機における端末機の背面へのユーザモーションを用いてアプリケーションを制御する方法を説明するための概念図である。
【図１０Ｅ】本発明の一実施形態による移動端末機における端末機の背面へのユーザモーションを用いてアプリケーションを制御する方法を説明するための概念図である。
【図１１Ａ】本発明の一実施形態による移動端末機における端末機の背面へのユーザモーションを用いて端末機の動作を制御する方法を説明するための概念図である。
【図１１Ｂ】本発明の一実施形態による移動端末機における端末機の背面へのユーザモーションを用いて端末機の動作を制御する方法を説明するための概念図である。
【図１１Ｃ】本発明の一実施形態による移動端末機における端末機の背面へのユーザモーションを用いて端末機の動作を制御する方法を説明するための概念図である。
【図１１Ｄ】本発明の一実施形態による移動端末機における端末機の背面へのユーザモーションを用いて端末機の動作を制御する方法を説明するための概念図である。
【図１１Ｅ】本発明の一実施形態による移動端末機における端末機の背面へのユーザモーションを用いて端末機の動作を制御する方法を説明するための概念図である。
【図１２】本発明の一実施形態による移動端末機における端末機の背面へのユーザモーションを用いて端末機の動作を制御する方法を説明するための概念図である。
【図１３Ａ】本発明の一実施形態による移動端末機における端末機の背面へのユーザモーションを用いてテキスト編集機能を提供する方法を説明するための概念図である。
【図１３Ｂ】本発明の一実施形態による移動端末機における端末機の背面へのユーザモーションを用いてテキスト編集機能を提供する方法を説明するための概念図である。
【図１３Ｃ】本発明の一実施形態による移動端末機における端末機の背面へのユーザモーションを用いてテキスト編集機能を提供する方法を説明するための概念図である。
【図１４Ａ】本発明の一実施形態による移動端末機における端末機の背面へのユーザモーションを用いて通話関連機能を提供する方法を説明するための概念図である。
【図１４Ｂ】本発明の一実施形態による移動端末機における端末機の背面へのユーザモーションを用いて通話関連機能を提供する方法を説明するための概念図である。
【図１４Ｃ】本発明の一実施形態による移動端末機における端末機の背面へのユーザモーションを用いて通話関連機能を提供する方法を説明するための概念図である。
【図１５Ａ】本発明の一実施形態による移動端末機における端末機の背面へのユーザモーションを用いて入力欄を並べ替える方法を説明するための概念図である。
【図１５Ｂ】本発明の一実施形態による移動端末機における端末機の背面へのユーザモーションを用いて入力欄を並べ替える方法を説明するための概念図である。
【図１６】本発明の一実施形態による移動端末機における端末機の背面へのユーザモーションを用いて特定情報を削除する方法を説明するための概念図である。
【図１７Ａ】本発明の一実施形態による移動端末機における端末機へのユーザモーションを用いてアプリケーションを制御する方法を説明するための概念図である。
【図１７Ｂ】本発明の一実施形態による移動端末機における端末機へのユーザモーションを用いてアプリケーションを制御する方法を説明するための概念図である。
【図１７Ｃ】本発明の一実施形態による移動端末機における端末機へのユーザモーションを用いてアプリケーションを制御する方法を説明するための概念図である。
【図１７Ｄ】本発明の一実施形態による移動端末機における端末機へのユーザモーションを用いてアプリケーションを制御する方法を説明するための概念図である。
【図１７Ｅ】本発明の一実施形態による移動端末機における端末機へのユーザモーションを用いてアプリケーションを制御する方法を説明するための概念図である。
【図１７Ｆ】本発明の一実施形態による移動端末機における端末機へのユーザモーションを用いてアプリケーションを制御する方法を説明するための概念図である。
【図１７Ｇ】本発明の一実施形態による移動端末機における端末機へのユーザモーションを用いてアプリケーションを制御する方法を説明するための概念図である。
【図１８Ａ】本発明の一実施形態による移動端末機における端末機へのユーザモーションを用いて情報を並べ替え又はフィルタリングする方法を説明するための概念図である。
【図１８Ｂ】本発明の一実施形態による移動端末機における端末機へのユーザモーションを用いて情報を並べ替え又はフィルタリングする方法を説明するための概念図である。
【図１８Ｃ】本発明の一実施形態による移動端末機における端末機へのユーザモーションを用いて情報を並べ替え又はフィルタリングする方法を説明するための概念図である。
【図１８Ｄ】本発明の一実施形態による移動端末機における端末機へのユーザモーションを用いて情報を並べ替え又はフィルタリングする方法を説明するための概念図である。
【図１８Ｅ】本発明の一実施形態による移動端末機における端末機へのユーザモーションを用いて情報を並べ替え又はフィルタリングする方法を説明するための概念図である。
【図１８Ｆ】本発明の一実施形態による移動端末機における端末機へのユーザモーションを用いて情報を並べ替え又はフィルタリングする方法を説明するための概念図である。
【図１９Ａ】本発明の一実施形態による移動端末機における端末機へのユーザモーションを用いて情報を並べ替え又はフィルタリングする方法を説明するための概念図である。
【図１９Ｂ】本発明の一実施形態による移動端末機における端末機へのユーザモーションを用いて情報を並べ替え又はフィルタリングする方法を説明するための概念図である。
【図２０Ａ】本発明の一実施形態による移動端末機における端末機へのユーザモーションを用いて情報を並べ替え又はフィルタリングする方法を説明するための概念図である。
【図２０Ｂ】本発明の一実施形態による移動端末機における端末機へのユーザモーションを用いて情報を並べ替え又はフィルタリングする方法を説明するための概念図である。
【図２０Ｃ】本発明の一実施形態による移動端末機における端末機へのユーザモーションを用いて情報を並べ替え又はフィルタリングする方法を説明するための概念図である。
【図２０Ｄ】本発明の一実施形態による移動端末機における端末機へのユーザモーションを用いて情報を並べ替え又はフィルタリングする方法を説明するための概念図である。
【図２１Ａ】本発明の一実施形態による移動端末機における端末機へのユーザモーションを用いて情報を並べ替え又はフィルタリングする方法を説明するための概念図である。
【図２１Ｂ】本発明の一実施形態による移動端末機における端末機へのユーザモーションを用いて情報を並べ替え又はフィルタリングする方法を説明するための概念図である。
【図２２】本発明の一実施形態による移動端末機における端末機へのユーザモーションを用いて情報を並べ替え又はフィルタリングする方法を説明するための概念図である。
【図２３】本発明の一実施形態による移動端末機における端末機へのユーザモーションを用いて情報を並べ替え又はフィルタリングする方法を説明するための概念図である。
【図２４Ａ】本発明の一実施形態による移動端末機における端末機へのユーザモーションを用いて端末機の動作を制御するＧＵＩ画面を並べ替える方法を説明するための概念図である。
【図２４Ｂ】本発明の一実施形態による移動端末機における端末機へのユーザモーションを用いて端末機の動作を制御するＧＵＩ画面を並べ替える方法を説明するための概念図である。
【図２４Ｃ】本発明の一実施形態による移動端末機における端末機へのユーザモーションを用いて端末機の動作を制御するＧＵＩ画面を並べ替える方法を説明するための概念図である。
【図２４Ｄ】本発明の一実施形態による移動端末機における端末機へのユーザモーションを用いて端末機の動作を制御するＧＵＩ画面を並べ替える方法を説明するための概念図である。
【図２５】本発明の他の実施形態によるウォッチ型移動端末機の一例を示す斜視図である。
【図２６Ａ】本発明の他の実施形態によるウォッチ型移動端末機へのユーザモーションを用いて他の端末機を制御する方法を説明するための概念図である。
【図２６Ｂ】本発明の他の実施形態によるウォッチ型移動端末機へのユーザモーションを用いて他の端末機を制御する方法を説明するための概念図である。
【図２７Ａ】本発明の他の実施形態によるウォッチ型移動端末機へのユーザモーションを用いて他の端末機を制御する方法を説明するための概念図である。
【図２７Ｂ】本発明の他の実施形態によるウォッチ型移動端末機へのユーザモーションを用いて他の端末機を制御する方法を説明するための概念図である。
【図２８Ａ】本発明のさらに他の実施形態による移動端末機の制御方法を示すフローチャートである。
【図２８Ｂ】本発明のさらに他の実施形態による移動端末機の制御方法を示すフローチャートである。
【図２９】本発明のさらに他の実施形態による移動端末機における端末機の背面への所定のユーザモーションを用いて既に発生したイベントに関する情報を出力する方法を説明するための概念図である。
【図３０】本発明のさらに他の実施形態による移動端末機における端末機の背面への所定のユーザモーションを用いて既に発生したイベントに関する情報を出力する方法を説明するための概念図である。
【図３１】本発明のさらに他の実施形態による移動端末機における端末機の背面への所定のユーザモーションを用いて既に発生した複数のイベントのうち所定の基準を満たすイベントに関する情報を出力する方法を説明するための概念図である。
【図３２】本発明のさらに他の実施形態による移動端末機における端末機の背面への所定のユーザモーションを用いて既に発生した複数のイベントのうち所定の基準を満たすイベントに関する情報を出力する方法を説明するための概念図である。
【図３３】本発明のさらに他の実施形態による移動端末機における端末機の背面への所定のユーザモーションを用いて既に発生した複数のイベントのうち所定の基準を満たすイベントに関する情報を出力する方法を説明するための概念図である。
【図３４】本発明のさらに他の実施形態による移動端末機における端末機の背面への所定のユーザモーションを用いて既に発生した複数のイベントのうちユーザにより選択されたイベントに関する情報を出力する方法を説明するための概念図である。
【図３５】本発明のさらに他の実施形態による移動端末機における端末機の背面への所定のユーザモーションを用いて既に発生した複数のイベントのうち所定の基準を満たすイベントや最近実行されたアプリケーションに関する情報を出力する方法を説明するための概念図である。
【図３６】本発明のさらに他の実施形態による移動端末機における端末機の背面への所定のユーザモーションを用いて既に発生した複数のイベントのうち所定の基準を満たすイベントや最近実行されたアプリケーションに関する情報を出力する方法を説明するための概念図である。
【図３７Ａ】本発明のさらに他の実施形態による移動端末機における端末機の背面への所定のユーザモーションを用いて既に発生した複数のイベントのうち所定の基準を満たすイベントや最近実行されたアプリケーションに関する情報を出力する方法を説明するための概念図である。
【図３７Ｂ】本発明のさらに他の実施形態による移動端末機における端末機の背面への所定のユーザモーションを用いて既に発生した複数のイベントのうち所定の基準を満たすイベントや最近実行されたアプリケーションに関する情報を出力する方法を説明するための概念図である。
【発明を実施するための形態】
【００３５】
以下、添付図面を参照して本発明の実施形態を詳細に説明するが、同一又は類似の構成要素には同一又は類似の符号を付して重複する説明は省略する。以下の説明で用いられる構成要素の接尾辞である「モジュール」及び「部」は、明細書の作成を容易にするために付与又は混用されるものであり、それ自体が有意性や有用性を有するものではない。また、本発明の実施形態を説明するにあたって、関連する公知技術についての具体的な説明が本発明の要旨を不明にすると判断される場合は、その詳細な説明を省略する。なお、添付図面は本発明の実施形態を容易に理解できるようにするためのものにすぎず、添付図面により本発明の技術的思想が制限されるものではなく、本発明の思想及び技術範囲に含まれる全ての変更、均等物乃至代替物を含むものと理解すべきである。
【００３６】
本明細書で説明される移動端末機には、携帯電話、スマートフォン、ノートパソコン、デジタル放送端末機、携帯情報端末（Personal Digital Assistants; PDA）、ポータブルマルチメディアプレーヤ（Portable Multimedia Player; PMP）、ナビゲーション、スレートＰＣ、タブレットＰＣ、ウルトラブック、ウェアラブルデバイス（例えば、ウォッチ型端末機、メガネ型端末機、ヘッドマウントディスプレイ（Head Mounted Display; HMD））などが含まれる。
【００３７】
しかし、本明細書に開示される実施形態による構成は、移動端末機にのみ適用可能な場合を除き、デジタルテレビ、デスクトップコンピュータ、デジタルサイネージなどの固定端末機にも適用できることを、本発明の属する技術の分野における通常の知識を有する者であれば容易に理解できるであろう。
【００３８】
図１Ａは本発明による移動端末機を説明するためのブロック図であり、図１Ｂ及び図１Ｃは本発明による移動端末機の一例を異なる方向から見た概念図である。
【００３９】
図１Ａ〜図１Ｃを参照すると、移動端末機１００は、無線通信部１１０、入力部１２０、検知部１４０、出力部１５０、インタフェース部１６０、メモリ１７０、制御部１８０、電源供給部１９０などを含む。図１Ａに示す全ての構成要素が移動端末機の実現において必須構成要素であるわけではなく、本発明による移動端末機は、図示の構成要素よりも多い構成要素で実現してもよく、それより少ない構成要素で実現してもよい。
【００４０】
より具体的には、無線通信部１１０は、移動端末機１００と無線通信システム間、移動端末機１００と他の移動端末機間、又は移動端末機１００と外部サーバ間の無線通信を可能にする少なくとも１つのモジュールを含む。また、無線通信部１１０は、移動端末機１００を少なくとも１つのネットワークに接続する少なくとも１つのモジュールを含む。
【００４１】
無線通信部１１０は、例えば放送受信モジュール１１１、移動通信モジュール１１２、無線インターネットモジュール１１３、近距離通信モジュール１１４及び位置情報モジュール１１５の少なくとも１つを含む。
【００４２】
入力部１２０は、画像信号の入力のためのカメラ１２１又は画像入力部、オーディオ信号の入力のためのマイク１２２又はオーディオ入力部、ユーザからの情報の入力のためのユーザ入力部１２３（例えば、タッチキー、プッシュキー（メカニカルキー）など）を含んでもよい。入力部１２０により得られた画像データやオーディオデータは、分析されてユーザの制御命令で処理される。
【００４３】
検知部１４０は、移動端末機１００内の情報、移動端末機１００を囲む周辺環境に関する情報及びユーザ情報の少なくとも１つを検知するための少なくとも１つのセンサを含む。検知部１４０は、例えば近接センサ１４１、照度センサ１４２、タッチセンサ、加速度センサ、磁気センサ、重力センサ、ジャイロセンサ、モーションセンサ、ＲＧＢセンサ、赤外線センサ（ＩＲセンサ）、指紋センサ、超音波センサ、光センサ、カメラ（符号１２１参照）、マイク（符号１２２参照）、バッテリゲージ、環境センサ（例えば、気圧計、湿度計、温度計、放射能センサ、熱センサ、ガスセンサなど）、及び化学センサ（例えば、電子鼻、ヘルスケアセンサ、生体センサなど）の少なくとも１つを含む。また、本発明による移動端末機は、これらセンサの少なくとも２つのセンサにより検知された情報を組み合わせて用いることができる。
【００４４】
出力部１５０は、視覚、聴覚又は触覚などに関連する出力を発生するように構成される。出力部１５０は、例えばディスプレイ部１５１、音響出力部１５２、ハプティックモジュール１５３、光出力部１５４の少なくとも１つを含む。ディスプレイ部１５１は、タッチセンサとレイヤ構造をなすか又は一体的に形成されることにより、タッチスクリーンを実現する。前記タッチスクリーンは、移動端末機１００とユーザ間の入力インタフェースを提供するユーザ入力部１２３として機能すると共に、移動端末機１００とユーザ間の出力インタフェースを提供する。
【００４５】
インタフェース部１６０は、移動端末機１００に接続される各種外部機器との経路の役割を果たす。インタフェース部１６０は、例えば有線／無線ヘッドセットポート、外部充電器ポート、有線／無線データポート、メモリカードポート、識別モジュールが備えられた装置を接続するポート、オーディオＩ／Ｏ（Input/Output）ポート、ビデオＩ／Ｏポート、イヤホンポートの少なくとも１つを含む。移動端末機１００においては、インタフェース部１６０への外部機器の接続に対応して、接続された外部機器を制御することができる。
【００４６】
メモリ１７０は、移動端末機１００の様々な機能をサポートするデータを保存する。メモリ１７０は、移動端末機１００で起動される複数のアプリケーションプログラム（又はアプリケーション）、移動端末機１００の動作のためのデータやコマンドを保存する。前記アプリケーションプログラムの少なくとも一部は、無線通信により外部サーバからダウンロードすることができる。また、前記アプリケーションプログラムの少なくとも一部は、移動端末機１００の基本機能（例えば、電話発着信機能、メール送受信機能）のために工場出荷時に移動端末機１００にインストールされている。さらに、前記アプリケーションプログラムは、メモリ１７０に保存され、移動端末機１００にインストールされ、制御部１８０により移動端末機１００の動作（又は機能）のために起動されるようにすることができる。
【００４７】
制御部１８０は、前記アプリケーションプログラムに関する動作に加え、通常の移動端末機１００の全般的な動作を制御する。制御部１８０は、前述した構成要素により入力又は出力される信号、データ、情報などを処理したり、メモリ１７０に保存されたアプリケーションプログラムを起動することにより、ユーザに適切な情報又は機能を提供又は処理することができる。
【００４８】
また、制御部１８０は、メモリ１７０に保存されたアプリケーションプログラムの起動のために、図１Ａに示す移動端末機１００の構成要素の少なくとも一部を制御することができる。さらに、制御部１８０は、前記アプリケーションプログラムの起動のために、移動端末機１００の構成要素の少なくとも２つを組み合わせて動作させることができる。
【００４９】
電源供給部１９０は、制御部１８０の制御下で、供給された外部の電源又は内部の電源を移動端末機１００の各構成要素に供給する。電源供給部１９０は、バッテリを含んでもよい。前記バッテリは、内蔵バッテリ又は交換可能なバッテリであってもよい。
【００５０】
前記構成要素の少なくとも一部は、後述する様々な実施形態による移動端末機の動作、制御又は制御方法を実現するために互いに連携して動作することもある。また、前記移動端末機の動作、制御又は制御方法は、前記移動端末機のメモリに保存された少なくとも１つのアプリケーションプログラムの起動により実現されることもある。
【００５１】
以下、前述した移動端末機１００により実現される様々な実施形態を説明する前に、前述した移動端末機１００の構成要素について図１Ａを参照してより具体的に説明する。
【００５２】
無線通信部１１０の放送受信モジュール１１１は、放送チャネルを介して、外部の放送管理サーバから放送信号及び／又は放送関連情報を受信する。前記放送チャネルは、衛星チャネル及び地上波チャネルを含む。少なくとも２つの放送チャネルの同時放送受信又は放送チャネルのスイッチングのために、放送受信モジュール１１１は、移動端末機１００に２つ以上備えられてもよい。
【００５３】
無線通信部１１０の移動通信モジュール１１２は、移動通信のための技術標準又は通信方式（例えば、ＧＳＭ（登録商標）（Global System for Mobile communication）、ＣＤＭＡ（Code Division Multi Access）、ＣＤＭＡ２０００（Code Division Multi Access 2000）、ＥＶ−ＤＯ（Enhanced Voice-Data Optimized or Enhanced Voice-Data Only）、ＷＣＤＭＡ（登録商標）（Wideband CDMA）、ＨＳＤＰＡ（High Speed Downlink Packet Access）、ＨＳＵＰＡ（High Speed Uplink Packet Access）、ＬＴＥ（Long Term Evolution）、ＬＴＥ−Ａ（Long Term Evolution-Advanced）など）により構築された移動通信網上で基地局、外部の端末、サーバの少なくとも１つと無線信号を送受信する。
【００５４】
前記無線信号は、音声呼信号、テレビ電話呼信号、又はＳＭＳ／ＭＭＳメッセージの送受信による様々な形態のデータを含む。
【００５５】
無線通信部１１０の無線インターネットモジュール１１３は、無線インターネットの接続のためのモジュールであり、移動端末機１００に内蔵されるか又は外付けされる。無線インターネットモジュール１１３は、無線インターネット技術による通信網で無線信号を送受信するように構成される。
【００５６】
無線インターネット技術としては、例えばＷＬＡＮ（Wireless LAN）、Ｗｉ−Ｆｉ（Wireless Fidelity）、Ｗｉ−Ｆｉダイレクト（Wireless Fidelity Direct）、ＤＬＮＡ（Digital Living Network Alliance）、Ｗｉｂｒｏ（Wireless Broadband）、ＷｉＭＡＸ（Worldwide Interoperability for Microwave Access）、ＨＳＤＰＡ、ＨＳＵＰＡ、ＬＴＥ、ＬＴＥ−Ａなどがあり、無線インターネットモジュール１１３は、列挙していない無線インターネット技術をも含む範囲で少なくとも１つの無線インターネット技術によりデータを送受信する。
【００５７】
Ｗｉｂｒｏ、ＨＳＤＰＡ、ＨＳＵＰＡ、ＧＳＭ（登録商標）、ＣＤＭＡ、ＷＣＤＭＡ（登録商標）、ＬＴＥ、ＬＴＥ−Ａなどによる無線インターネット接続が移動通信網を介して行われるという観点から、前記移動通信網を介して無線インターネット接続を行う無線インターネットモジュール１１３は、移動通信モジュール１１２の一種として理解してもよい。
【００５８】
無線通信部１１０の近距離通信モジュール１１４は、近距離通信のためのモジュールであり、ブルートゥース（Bluetooth（登録商標））、ＲＦＩＤ（Radio Frequency Identification）、ＩｒＤＡ（Infrared Data Association）、ＵＷＢ（Ultra Wideband）、ＺｉｇＢｅｅ、ＮＦＣ（Near Field Communication）、Ｗｉ−Ｆｉ、Ｗｉ−Ｆｉダイレクト、ワイヤレスＵＳＢ（Wireless Universal Serial Bus）の少なくとも１つの技術を用いて近距離通信をサポートする。近距離通信モジュール１１４は、近距離無線通信網（近距離無線エリアネットワーク）を介して、移動端末機１００と無線通信システム間、移動端末機１００と他の移動端末機間、又は移動端末機１００と外部サーバ間の無線通信をサポートする。前記近距離無線通信網（近距離無線エリアネットワーク）は、近距離ワイヤレスパーソナルエリアネットワーク（Wireless Personal Area Network）であってもよい。
【００５９】
前記他の移動端末機は、本発明による移動端末機１００とデータ交換が可能な（又は連動可能な）ウェアラブルデバイス（例えば、ウォッチ型端末機、メガネ型端末機、ヘッドマウントディスプレイ）などを含む。近距離通信モジュール１１４は、移動端末機１００の周辺に位置する、移動端末機１００と通信可能なウェアラブルデバイスを検知（又は認識）することができる。さらに、制御部１８０は、前記検知されたウェアラブルデバイスが移動端末機１００との通信を認証されたデバイスの場合、移動端末機１００で処理されるデータの少なくとも一部を、近距離通信モジュール１１４を介して前記ウェアラブルデバイスに送信することができる。よって、前記ウェアラブルデバイスのユーザは、移動端末機１００で処理されるデータを、前記ウェアラブルデバイスで用いることができる。例えば、ユーザは、移動端末機１００に電話がかかってきた場合に前記ウェアラブルデバイスで通話を行ったり、移動端末機１００にメールが受信された場合に前記ウェアラブルデバイスで前記受信されたメールを確認したりすることができる。
【００６０】
無線通信部１１０の位置情報モジュール１１５は、移動端末機１００の位置（又は現在の位置）を取得するためのモジュールであり、代表的な例としては、ＧＰＳ（Global Position System）モジュールとＷｉ−Ｆｉモジュールがある。一例として、移動端末機１００は、ＧＰＳモジュールを用いた場合、ＧＰＳ衛星から送られる信号を用いて、移動端末機１００の位置を取得することができる。他の例として、移動端末機１００は、Ｗｉ−Ｆｉモジュールを用いた場合、当該Ｗｉ−Ｆｉモジュールと無線信号を送信又は受信する無線ＡＰ（Wireless Access Point）の情報に基づいて、移動端末機１００の位置を取得することができる。必要に応じて、位置情報モジュール１１５は、置換的又は付加的に、移動端末機１００の位置に関するデータを得るために、無線通信部１１０の他のモジュールのいずれかの機能を実行することができる。位置情報モジュール１１５は、移動端末機１００の位置（又は現在の位置）を取得するために用いられるモジュールであり、移動端末機１００の位置を直接計算又は取得するモジュールに限定されるものではない。
【００６１】
入力部１２０は、画像情報（もしくは信号）、オーディオ情報（もしくは信号）、又はユーザからの情報の入力のためのものであり、画像情報の入力のために１つ又は複数のカメラ１２１を備える。入力部１２０のカメラ１２１は、テレビ電話モード又は撮影モードでイメージセンサにより得られる静止画像又は動画像などの画像フレームを処理する。カメラ１２１で処理された画像フレームは、ディスプレイ部１５１に表示したり、メモリ１７０に保存することができる。移動端末機１００に備えられる複数のカメラ１２１は、マトリクス構造に配置されてもよく、この場合、マトリクス構造に配置された複数のカメラ１２１により、移動端末機１００に様々な角度又は焦点の複数の画像情報を入力することができる。また、複数のカメラ１２１は、立体画像を実現するための左画像及び右画像を取得できるように、ステレオ構造に配置されてもよい。
【００６２】
入力部１２０のマイク１２２は、外部の音響信号を電気的な音声データに処理する。マイク１２２で処理された音声データは、移動端末機１００で実行中の機能（又はアプリケーションプログラム）によって多様に用いることができる。マイク１２２には、外部の音響信号が入力される過程で発生するノイズを除去するための様々なノイズ除去アルゴリズムが実装される。
【００６３】
入力部１２０のユーザ入力部１２３は、ユーザからの情報の入力のためのものであり、ユーザ入力部１２３により情報が入力されると、制御部１８０は、入力された情報に対応して移動端末機１００の動作を制御することができる。ユーザ入力部１２３は、機械式入力手段（又はメカニカルキー、例えば移動端末機１００の前面、背面又は側面に位置するボタン、ドームスイッチ、ジョグホイール、ジョグスイッチなど）及びタッチ式入力手段を含んでもよい。前記タッチ式入力手段は、例えば、ソフトウェア的な処理によりタッチスクリーンに表示される仮想キー、ソフトキー又はビジュアルキーからなるようにしてもよく、前記タッチスクリーン以外の部分に配置されるタッチキーからなるようにしてもよい。また、前記仮想キー又は前記ビジュアルキーは、様々な形態で前記タッチスクリーン上に表示されるようにしてもよく、例えばグラフィック、テキスト、アイコン、ビデオ又はそれらの組み合わせからなる。
【００６４】
検知部１４０は、移動端末機１００内の情報、移動端末機１００を囲む周辺環境に関する情報及びユーザ情報の少なくとも１つを検知し、それに対応する検知信号を発生する。制御部１８０は、前記検知信号に基づいて、移動端末機１００の駆動又は動作を制御したり、移動端末機１００にインストールされたアプリケーションプログラムに関するデータ処理、機能又は動作を実行することができる。検知部１４０に含まれる様々なセンサのうち代表的なセンサについてより具体的に説明すると次の通りである。
【００６５】
まず、近接センサ１４１とは、電磁界の力又は赤外線などを利用して、所定の検出面に近づく物体又は近傍に存在する物体の有無を機械的な接触なしに検出できるセンサをいう。近接センサ１４１は、前記タッチスクリーンにより覆われる移動端末機１００の内部領域又は前記タッチスクリーンの近くに配置されてもよい。
【００６６】
近接センサ１４１としては、例えば透過型光電センサ、拡散反射型光電センサ、回帰反射型光電センサ、高周波発振型近接センサ、静電容量型近接センサ、磁気近接センサ、赤外線近接センサなどがある。静電式タッチスクリーンの場合、近接センサ１４１は、導電性を有する物体の近接による電界の変化から当該物体の近接を検出するように構成されてもよい。この場合、タッチスクリーン（又はタッチセンサ）自体が近接センサにも分類される。
【００６７】
以下、説明の便宜上、前記物体を前記タッチスクリーン上に接触させるのではなく近接させて前記物体が前記タッチスクリーン上に位置することを認識させることを「近接タッチ（proximity touch）」といい、前記物体を前記タッチスクリーン上に実際に接触させることを「接触タッチ（contact touch）」という。前記物体により近接タッチされる前記タッチスクリーン上の位置とは、前記物体が近接タッチされる際に前記物体が前記タッチスクリーンに対して垂直に対応する位置を意味する。
【００６８】
近接センサ１４１は、近接タッチ動作及び近接タッチパターン（例えば、近接タッチ距離、近接タッチ方向、近接タッチ速度、近接タッチ時間、近接タッチ位置、近接タッチ移動状態など）を検知することができる。一方、制御部１８０は、近接センサ１４１により検知された近接タッチ動作及び近接タッチパターンに対応するデータ（又は情報）を処理し、また、処理されたデータに対応する視覚的な情報を前記タッチスクリーン上に出力させることができる。さらに、制御部１８０は、前記タッチスクリーン上の同一地点へのタッチが近接タッチであるか接触タッチであるかによって、異なる動作又はデータ（もしくは情報）が処理されるように移動端末機１００を制御することができる。
【００６９】
次に、タッチセンサは、抵抗膜式、静電容量式、赤外線式、超音波式、磁気式などの様々なタッチ方式のうち少なくとも１つを用いて、前記タッチスクリーン（又はディスプレイ部１５１）へのタッチ（又はタッチ入力）を検知する。
【００７０】
一例として、前記タッチセンサは、前記タッチスクリーンの特定部位に加わった圧力又は前記タッチスクリーンの特定部位に発生する静電容量などの変化を電気的な入力信号に変換するように構成されてもよい。前記タッチセンサは、前記タッチスクリーンをタッチするタッチ手段により当該タッチセンサ上でタッチされる位置、面積、タッチ時の圧力、タッチ時の静電容量などを検出できるように構成されてもよい。ここで、前記タッチ手段とは、前記タッチセンサをタッチする物体をいい、例えば指、タッチペン又はスタイラスペン、ポインタなどがある。
【００７１】
前記タッチセンサへのタッチ入力がある場合、それに対応する信号がタッチ制御装置に送られる。前記タッチ制御装置は、その信号を処理して対応するデータを制御部１８０に送る。これにより、制御部１８０は、ディスプレイ部１５１のどの領域がタッチされたかなどを把握することができる。ここで、前記タッチ制御装置は、制御部１８０とは別の構成要素であってもよく、制御部１８０自体であってもよい。
【００７２】
また、制御部１８０は、前記タッチスクリーン（又は前記タッチスクリーン以外の部分に配置されるタッチキー）をタッチするタッチ手段の種類によって異なる制御を行うこともでき、同じ制御を行うこともできる。前記タッチ手段の種類によって異なる制御を行うか同じ制御を行うかは、移動端末機１００の現在の動作状態又は実行中のアプリケーションプログラムによって決定されるようにしてもよい。
【００７３】
一方、前記タッチセンサ及び近接センサ１４１は、独立して又は組み合わせて、前記タッチスクリーンへのショートタッチ（もしくはタップ）、ロングタッチ、マルチタッチ、ドラッグ、フリック、ピンチイン、ピンチアウト、スワイプ、ホバーなどの様々な方式のタッチを検知することができる。
【００７４】
次に、超音波センサは、超音波を用いて、検知対象の位置情報を認識することができる。制御部１８０は、光センサと複数の超音波センサから検知される情報に基づいて、波動発生源の位置を算出することができる。波動発生源の位置は、光のほうが超音波より非常に速いこと、すなわち光が光センサに到達する時間のほうが超音波が超音波センサに到達する時間より非常に速いことを利用して算出することができる。より具体的には、波動発生源の位置は、光を基準信号として超音波が到達する時間との時間差を利用して算出することができる。
【００７５】
一方、前述した入力部１２０のカメラ１２１は、カメラセンサ（例えば、ＣＣＤ、ＣＭＯＳなど）、フォトセンサ（又はイメージセンサ）及びレーザセンサの少なくとも１つを含む。
【００７６】
前記カメラセンサと前記レーザセンサとを組み合わせ、３次元立体画像への前記検知対象のタッチを検知するようにしてもよい。前記フォトセンサは、前記タッチスクリーンに近接する前記検知対象の動きをスキャンするように構成され、ディスプレイ素子に積層されるようにしてもよい。より具体的には、前記フォトセンサは、フォトダイオードとトランジスタ（ＴＲ）を行列状に実装し、前記フォトダイオードに入る光の量に応じて変化する電気的信号を用いて、前記フォトセンサ上に載置されるものをスキャンする。すなわち、前記フォトセンサは、光の変化量に応じた前記検知対象の座標を計算し、それに基づいて前記検知対象の位置情報を取得する。
【００７７】
出力部１５０のディスプレイ部１５１は、移動端末機１００で処理される情報を表示（出力）する。例えば、ディスプレイ部１５１は、移動端末機１００で起動されるアプリケーションプログラムの実行画面情報、又は当該実行画面情報に応じたＵＩ（User Interface）、ＧＵＩ（Graphic User Interface）情報を表示する。
【００７８】
また、ディスプレイ部１５１は、立体画像を表示する立体ディスプレイ部として構成されてもよい。
【００７９】
前記立体ディスプレイ部には、ステレオスコピック方式（眼鏡方式）、オートステレオスコピック方式（裸眼方式）、プロジェクション方式（ホログラフィック方式）などの３次元ディスプレイ方式が適用される。
【００８０】
出力部１５０の音響出力部１５２は、呼受信モード、通話モード、録音モード、音声認識モード、又は放送受信モードなどで、無線通信部１１０から受信するか、又はメモリ１７０に保存されたオーディオデータを出力する。音響出力部１５２は、移動端末機１００で実行される機能（例えば、呼信号受信音、メール受信音など）に関連する音響信号も出力する。このような音響出力部１５２は、レシーバ、スピーカ、ブザーなどを含む。
【００８１】
出力部１５０のハプティックモジュール１５３は、ユーザが感じることのできる様々な触覚効果を発生する。ハプティックモジュール１５３が発生する触覚効果の代表的な例としては振動がある。ハプティックモジュール１５３が発生する振動の強度やパターンなどは、ユーザの選択又は制御部１８０の設定により制御することができる。例えば、ハプティックモジュール１５３は、異なる振動を合成して出力することもでき、順次出力することもできる。
【００８２】
ハプティックモジュール１５３は、振動の他にも、皮膚接触面に対して垂直運動するピン配列、噴射口又は吸入口を用いた空気の噴射力又は吸入力、皮膚表面に対する擦れ、電極の接触、静電気力などの刺激による効果や、吸熱又は発熱が可能な素子を用いた冷温感の再現による効果など、様々な触覚効果を発生することができる。
【００８３】
ハプティックモジュール１５３は、直接的な接触により触覚効果を伝えることができるだけでなく、ユーザが指や腕などの筋感覚により触覚効果を感じるように実現することもできる。ハプティックモジュール１５３は、移動端末機１００の構成態様に応じて２つ以上備えてもよい。
【００８４】
出力部１５０の光出力部１５４は、移動端末機１００の光源の光を用いてイベント発生を通知するための信号を出力する。移動端末機１００で発生するイベントとしては、呼信号受信、メール受信、不在着信、アラーム、スケジュール通知、電子メール受信、アプリケーションによる情報受信などがある。
【００８５】
光出力部１５４により出力される信号は、移動端末機１００が前面又は背面から単色又は複数色の光を発光することにより実現される。前記信号の出力は、移動端末機１００がユーザのイベント確認を検知することにより終了するようにしてもよい。
【００８６】
インタフェース部１６０は、移動端末機１００に接続される全ての外部機器との経路の役割を果たす。インタフェース部１６０は、外部機器からデータを受信するか、供給された電源を移動端末機１００内部の各構成要素に送るか、又は移動端末機１００内部のデータを外部機器に送信する。インタフェース部１６０は、例えば有線／無線ヘッドセットポート、外部充電器ポート、有線／無線データポート、メモリカードポート、識別モジュールが備えられた装置を接続するポート、オーディオＩ／Ｏポート、ビデオＩ／Ｏポート、イヤホンポートなどを含む。
【００８７】
前記識別モジュールは、移動端末機１００の使用権限を認証するための各種情報を保存したチップであり、ユーザ識別モジュール（User Identity Module; UIM）、加入者識別モジュール（Subscriber Identity Module; SIM）、汎用加入者識別モジュール（Universal Subscriber Identity Module; USIM）などを含む。前記識別モジュールが備えられた装置（以下、識別装置という）は、スマートカード形式で製造されてもよい。よって、前記識別装置は、インタフェース部１６０を介して移動端末機１００に接続することができる。
【００８８】
また、インタフェース部１６０は、移動端末機１００が外部のクレードルに接続された場合、前記クレードルからの電源が移動端末機１００に供給される経路となり、ユーザにより前記クレードルから入力される各種命令信号が移動端末機１００に伝達される経路となる。前記クレードルから入力される各種命令信号又は電源は、移動端末機１００が前記クレードルに正しく取り付けられたことを認知するための信号としても機能する。
【００８９】
メモリ１７０は、制御部１８０の動作のためのプログラムを保存することもでき、入出力されるデータ（例えば、電話帳、メッセージ、静止画像、動画像など）を一時保存することもできる。メモリ１７０は、前記タッチスクリーンへのタッチ入力時に出力される様々なパターンの振動及び音響に関するデータを保存することもできる。
【００９０】
メモリ１７０は、フラッシュメモリタイプ、ハードディスクタイプ、ＳＳＤ（Solid State Drive）タイプ、ＳＤＤ（Silicon Disk Drive）タイプ、マルチメディアカードマイクロタイプ、カードタイプのメモリ（例えば、ＳＤ又はＸＤメモリなど）、ＲＡＭ（Random Access Memory）、ＳＲＡＭ（Static Random Access Memory）、ＲＯＭ（Read-Only Memory）、ＥＥＰＲＯＭ（Electrically Erasable Programmable Read-Only Memory）、ＰＲＯＭ（Programmable Read-Only Memory）、磁気メモリ、磁気ディスク及び光ディスクの少なくとも１つのタイプの記憶媒体を含む。移動端末機１００は、インターネット上でメモリ１７０の保存機能を実行するウェブストレージに関連して動作することもできる。
【００９１】
一方、制御部１８０は、前述したように、アプリケーションプログラムに関する動作と、通常の移動端末機１００の全般的な動作を制御する。例えば、制御部１８０は、移動端末機１００の状態が設定条件を満たす場合、アプリケーションに対するユーザの制御命令の入力を制限するロック状態を実行又は解除することができる。
【００９２】
また、制御部１８０は、音声通話、データ通信、テレビ電話などに関連する制御及び処理を行うこともでき、前記タッチスクリーン上で行われる手書き入力及び手描き入力をそれぞれ文字及び画像として認識するパターン認識処理を行うこともできる。さらに、制御部１８０は、後述する様々な実施形態を本発明による移動端末機１００において実現するために、前述した移動端末機１００の構成要素のいずれか又は複数を組み合わせて制御することができる。
【００９３】
電源供給部１９０は、制御部１８０の制御下で、供給された外部の電源又は内部の電源を移動端末機１００の各構成要素に必要に応じて供給する。電源供給部１９０は、バッテリを含んでもよい。前記バッテリは、充電可能な内蔵バッテリであってもよく、充電などのために端末機本体に脱着可能に結合されるものであってもよい。
【００９４】
電源供給部１９０は、接続ポートをさらに含んでもよい。前記接続ポートは、前記バッテリの充電のために電源を供給する外部充電器が電気的に接続されるインタフェース１６０の一例として構成されてもよい。
【００９５】
他の例として、電源供給部１９０は、前記接続ポートを用いるのではなく、無線方式で前記バッテリを充電するように構成されてもよい。この場合、電源供給部１９０は、外部の無線電力送信装置から、電磁誘導現象に基づく電磁誘導方式又は電磁界共鳴現象に基づく電磁界共鳴方式の少なくとも１つを用いて電力を受信する。
【００９６】
以下に説明する様々な実施形態は、例えばソフトウェア、ハードウェア又はそれらの組み合わせにより、コンピュータ又はそれと類似の装置で読み取りが可能な記録媒体内で実現することができる。
【００９７】
図１Ｂ及び図１Ｃを参照すると、移動端末機１００は、ストレート型の端末機本体を備えている。ただし、本発明は、これに限定されるものではなく、ウォッチ型、クリップ型、メガネ型、２つ以上の本体が相対移動可能に結合される折り畳み型、フリップ型、スライド型、スイング型、２軸回転型などの様々な構造に適用可能である。すなわち、ストレート型の移動端末機を一例として説明するが、当該説明は他のタイプの移動端末機にも一般的に適用可能である。
【００９８】
ここで、端末機本体とは、移動端末機１００を少なくとも１つの集合体とみなしてそれを示す概念である。
【００９９】
移動端末機１００は、外観を形成するケース（例えば、フレーム、ハウジング、カバーなど）を含む。同図に示すように、移動端末機１００は、フロントケース１０１とリアケース１０２とを含んでもよい。フロントケース１０１とリアケース１０２との結合により形成される内部空間には、各種電子部品が配置される。フロントケース１０１とリアケース１０２との間には、１つ又は複数のミドルケースがさらに配置されてもよい。
【０１００】
前記端末機本体の前面には、情報を出力できるようにディスプレイ部１５１が配置されてもよい。同図に示すように、ディスプレイ部１５１のウィンドウ１５１ａは、フロントケース１０１に装着されてフロントケース１０１と共に前記端末機本体の前面を形成するようにしてもよい。
【０１０１】
場合によっては、リアケース１０２にも電子部品が装着される。リアケース１０２に装着可能な電子部品としては、着脱可能なバッテリ、識別モジュール、メモリカードなどがある。この場合、リアケース１０２には、装着された電子部品を覆うための背面カバー１０３が着脱可能に結合される。つまり、背面カバー１０３がリアケース１０２から分離した場合、リアケース１０２に装着された電子部品が外部に露出する。
【０１０２】
同図に示すように、背面カバー１０３がリアケース１０２に結合された場合、リアケース１０２の側面の一部が露出する。場合によっては、前記結合時、リアケース１０２が背面カバー１０３により完全に遮蔽される。また、背面カバー１０３には、カメラ１２１ｂや音響出力部１５２ｂを外部に露出させるための開口部が備えられてもよい。
【０１０３】
これらのケース１０１、１０２、１０３は、合成樹脂を射出して形成してもよく、金属、例えばステンレススチール、アルミニウム（Ａｌ）、チタン（Ｔｉ）などで形成してもよい。
【０１０４】
移動端末機１００は、複数のケースが各種電子部品を収容する内部空間を形成する前記例とは異なり、１つのケースが前記内部空間を形成するように構成されてもよい。この場合、合成樹脂又は金属が側面から背面につながるユニボディの移動端末機１００が実現される。
【０１０５】
さらに、移動端末機１００は、前記端末機本体の内部に水が入り込まないようにする防水部（図示せず）を含んでもよい。例えば、前記防水部は、ウィンドウ１５１ａとフロントケース１０１との間、フロントケース１０１とリアケース１０２との間、又はリアケース１０２と背面カバー１０３との間に備えられ、これらの結合時に内部空間を密閉する防水部材を含んでもよい。
【０１０６】
さらに、移動端末機１００は、ディスプレイ部１５１、第１音響出力部１５２ａ及び第２音響出力部１５２ｂ、近接センサ１４１、照度センサ１４２、光出力部１５４、第１カメラ１２１ａ及び第２カメラ１２１ｂ、第１操作ユニット１２３ａ及び第２操作ユニット１２３ｂ、マイク１２２、インタフェース部１６０などを含んでもよい。
【０１０７】
以下、図１Ｂ及び図１Ｃに示すように、前記端末機本体の前面にディスプレイ部１５１、第１音響出力部１５２ａ、近接センサ１４１、照度センサ１４２、光出力部１５４、第１カメラ１２１ａ及び第１操作ユニット１２３ａが配置され、前記端末機本体の側面に第２操作ユニット１２３ｂ、マイク１２２及びインタフェース部１６０が配置され、前記端末機本体の背面に第２音響出力部１５２ｂ及び第２カメラ１２１ｂが配置された移動端末機１００を一例として説明する。
【０１０８】
ただし、移動端末機１００のこれらの構成要素は、前記配置に限定されるものではなく、必要に応じて除外又は代替されたり、他の面に配置されてもよい。例えば、第１操作ユニット１２３ａが前記端末機本体の前面に備えられず、第２音響出力部１５２ｂが前記端末機本体の背面ではなく前記端末機本体の側面に備えられるようにしてもよい。
【０１０９】
ディスプレイ部１５１は、移動端末機１００で処理される情報を表示（出力）する。例えば、ディスプレイ部１５１は、移動端末機１００で起動されるアプリケーションプログラムの実行画面情報、又は当該実行画面情報に応じたＵＩ（User Interface）、ＧＵＩ（Graphic User Interface）情報を表示する。
【０１１０】
ディスプレイ部１５１は、液晶ディスプレイ（Liquid Crystal Display; LCD）、薄膜トランジスタ液晶ディスプレイ（Thin Film Transistor-Liquid Crystal Display; TFT-LCD）、有機発光ダイオード（Organic Light-Emitting Diode; OLED）、フレキシブルディスプレイ、３次元ディスプレイ、電子インクディスプレイの少なくとも１つを含む。
【０１１１】
ディスプレイ部１５１は、移動端末機１００の実現形態に応じて２つ以上備えられてもよい。この場合、移動端末機１００には、複数のディスプレイ部を１つの面に離隔して又は一体的に配置してもよく、異なる面にそれぞれ配置してもよい。
【０１１２】
ディスプレイ部１５１は、タッチ方式で制御命令の入力を受けることができるように、ディスプレイ部１５１へのタッチを検知するタッチセンサを含んでもよい。よって、ディスプレイ部１５１へのタッチが行われると、前記タッチセンサは、前記タッチを検知し、制御部１８０は、それに基づいて前記タッチに対応する制御命令を発生するようにすることができる。タッチ方式で入力される内容は、文字、数字、各種モードの指示、又は指定可能なメニュー項目などである。
【０１１３】
前記タッチセンサは、タッチパターンを備えるフィルム状に構成されてウィンドウ１５１ａとウィンドウ１５１ａの背面上のディスプレイ１５１との間に配置されてもよく、ウィンドウ１５１ａの背面に直接パターニングされるメタルワイヤで構成されてもよい。また、前記タッチセンサは、ディスプレイ１５１と一体的に形成されてもよい。例えば、前記タッチセンサは、ディスプレイ１５１の基板上に配置されてもよく、ディスプレイ１５１の内部に備えられてもよい。
【０１１４】
このように、ディスプレイ部１５１は、前記タッチセンサと共にタッチスクリーンを実現することができる。この場合、前記タッチスクリーンは、ユーザ入力部１２３（図１Ａ参照）として機能することができる。場合によっては、前記タッチスクリーンは、第１操作ユニット１２３ａの少なくとも一部の機能を代替することができる。
【０１１５】
第１音響出力部１５２ａは、通話音をユーザの耳に伝えるレシーバで実現し、第２音響出力部１５２ｂは、各種アラーム音やマルチメディアの再生音を出力するラウドスピーカの形態で実現してもよい。
【０１１６】
ディスプレイ部１５１のウィンドウ１５１ａには、第１音響出力部１５２ａから発生する音響の放出のための音響ホールが形成されてもよい。しかし、本発明は、これに限定されるものではなく、第１音響出力部１５２ａから発生する音響が構造物間の組立隙間（例えば、ウィンドウ１５１ａとフロントケース１０１間の隙間）から放出されるようにしてもよい。この場合、音響の放出のために独立して形成されるホールが見えなくなるか又は隠れるので、移動端末機１００の外観がよりシンプルになる。
【０１１７】
光出力部１５４は、イベントの発生時にそれを通知するための光を出力するように構成される。前記イベントの例としては、呼信号受信、メール受信、不在着信、アラーム、スケジュール通知、電子メール受信、アプリケーションによる情報受信などが挙げられる。制御部１８０は、ユーザのイベント確認が検知されると光の出力が終了するように、光出力部１５４を制御することができる。
【０１１８】
第１カメラ１２１ａは、撮影モード又はテレビ電話モードでイメージセンサにより得られる静止画像又は動画像の画像フレームを処理する。第１カメラ１２１ａで処理された画像フレームは、ディスプレイ部１５１に表示することができ、メモリ１７０に保存することもできる。
【０１１９】
第１操作ユニット１２３ａ及び第２操作ユニット１２３ｂは、移動端末機１００の動作を制御するための命令を入力するために操作するユーザ入力部１２３の一例であり、操作部ともいわれる。第１操作ユニット１２３ａ及び第２操作ユニット１２３ｂは、タッチ、プッシュ、スクロールなど、触知式（tactile manner）であればいかなるタッチ方式も採用可能である。また、第１操作ユニット１２３ａ及び第２操作ユニット１２３ｂは、近接タッチ（proximity touch）、ホバリングタッチなど、非触知式のタッチ方式も採用可能である。
【０１２０】
同図においては、第１操作ユニット１２３ａがタッチキーで構成された場合を例示しているが、本発明は、これに限定されるものではない。例えば、第１操作ユニット１２３ａは、プッシュキー（メカニカルキー）で構成されてもよく、タッチキーとプッシュキーの組み合わせで構成されてもよい。
【０１２１】
第１操作ユニット１２３ａ及び第２操作ユニット１２３ｂにより入力される内容は多様に設定することができる。例えば、第１操作ユニット１２３ａには、メニュー、ホームキー、キャンセル、検索などの命令が入力され、第２操作ユニット１２３ｂには、第１音響出力部１５２ａ又は第２音響出力部１５２ｂから出力される音響のボリューム調整、ディスプレイ部１５１のタッチ認識モードへの移行などの命令が入力される。
【０１２２】
また、前記端末機本体の背面には、ユーザ入力部１２３の他の例として、背面入力部（図示せず）が備えられてもよい。前記背面入力部は、移動端末機１００の動作を制御するための命令を入力するために操作するものであり、前記背面入力部により入力される内容は多様に設定することができる。例えば、電源のオン／オフ、開始、終了、スクロールなどの命令、第１音響出力部１５２ａ又は第２音響出力部１５２ｂから出力される音響のボリューム調整、ディスプレイ部１５１のタッチ認識モードへの移行などの命令が入力される。前記背面入力部は、タッチ入力、プッシュ入力、又はそれらの組み合わせによる入力が可能な形態で実現することができる。
【０１２３】
前記背面入力部は、前記端末機本体の厚さ方向に前面のディスプレイ部１５１と重なるように配置されてもよい。例えば、ユーザが前記端末機本体を片手で持った場合に人差し指を用いて容易に操作できるように、前記背面入力部は、前記端末機本体の背面の上部に配置されてもよい。ただし、本発明は、必ずしもこれに限定されるものではなく、前記背面入力部の位置は変更可能である。
【０１２４】
このように前記端末機本体の背面に前記背面入力部が備えられた場合、それを用いた新しい形態のユーザインタフェースを実現することができる。また、前記タッチスクリーン又は前記背面入力部が前記端末機本体の前面に備えられた第１操作ユニット１２３ａの少なくとも一部の機能を代替して、前記端末機本体の前面に第１操作ユニット１２３ａが配置されない場合、ディスプレイ部１５１をより大画面に構成することができる。
【０１２５】
さらに、移動端末機１００は、ユーザの指紋を認識する指紋センサを含んでもよい。この場合、制御部１８０は、前記指紋センサにより検知される指紋情報を認証手段として用いることができる。前記指紋センサは、ディスプレイ部１５１又はユーザ入力部１２３に内蔵されてもよい。
【０１２６】
マイク１２２は、ユーザの音声、その他の音などを入力できるように構成される。マイク１２２は、複数箇所に備えられてステレオ音響を入力できるように構成されてもよい。
【０１２７】
インタフェース部１６０は、移動端末機１００を外部機器に接続するための経路となる。例えば、インタフェース部１６０は、他の装置（例えば、イヤホン、外部スピーカなど）との接続のための接続端子、近距離通信のためのポート（例えば、赤外線ポート、ブルートゥースポート、無線ＬＡＮポートなど）、又は移動端末機１００への電源供給のための電源供給端子の少なくとも１つである。インタフェース部１６０は、ＳＩＭ（Subscriber Identity Module）、ＵＩＭ（User Identity Module）、情報保存のためのメモリカードなどの外部カードを収容するソケットの形態で実現してもよい。
【０１２８】
前記端末機本体の背面には、第２カメラ１２１ｂが配置されてもよい。この場合、第２カメラ１２１ｂは、第１カメラ１２１ａとは撮影方向が実質的に反対である。
【０１２９】
第２カメラ１２１ｂは、少なくとも１つのラインに沿って配列される複数のレンズを含んでもよい。前記複数のレンズは、マトリクス状に配列されてもよい。このようなカメラを「アレイカメラ」ともいう。第２カメラ１２１ｂがアレイカメラで構成された場合、前記複数のレンズを用いて様々な方式で画像を撮影することができ、よりよい品質の画像を取得することができる。
【０１３０】
フラッシュ１２４は、第２カメラ１２１ｂに隣接して配置されてもよい。フラッシュ１２４は、第２カメラ１２１ｂで被写体を撮影する場合に被写体に向けて光を照射する。
【０１３１】
前記端末機本体には、第２音響出力部１５２ｂがさらに配置されてもよい。第２音響出力部１５２ｂは、第１音響出力部１５２ａと共にステレオ機能を実現することができ、通話時にはスピーカフォンモードの実現のために用いることができる。
【０１３２】
前記端末機本体には、無線通信のための少なくとも１つのアンテナが備えられてもよい。前記アンテナは、前記端末機本体に内蔵されてもよく、ケースに形成されてもよい。例えば、放送受信モジュール１１１の一部を構成するアンテナは、前記端末機本体から引き出し可能に構成されてもよい。また、前記アンテナは、フィルム状に形成されて背面カバー１０３の内面に取り付けられてもよく、導電性材質を含むケースがアンテナとして機能するように構成されてもよい。
【０１３３】
前記端末機本体には、移動端末機１００に電源を供給するための電源供給部１９０が備えられてもよい。電源供給部１９０は、前記端末機本体に内蔵されてもよく、前記端末機本体の外部に着脱可能に構成されるバッテリ１９１を含んでもよい。
【０１３４】
バッテリ１９１は、インタフェース部１６０に接続される電源ケーブルを介して電源が供給されるように構成されてもよい。また、バッテリ１９１は、無線充電機器により無線充電可能に構成されてもよい。前記無線充電は、電磁誘導方式又は磁界共振方式（電磁界共鳴方式）で実現することができる。
【０１３５】
同図においては、背面カバー１０３がバッテリ１９１を覆うようにリアケース１０２に結合されてバッテリ１９１の離脱を制限し、バッテリ１９１を外部の衝撃と異物から保護するように構成された場合を例示している。バッテリ１９１が前記端末機本体に着脱可能に構成された場合、背面カバー１０３がリアケース１０２に着脱可能に結合されるようにしてもよい。
【０１３６】
さらに、移動端末機１００は、外観を保護したり、移動端末機１００の機能を補助又は拡張するためのアクセサリーを含んでもよい。前記アクセサリーの一例としては、移動端末機１００の少なくとも一面を覆蓋又は収容するカバー又はパウチが挙げられる。前記カバー又は前記パウチは、ディスプレイ部１５１と連動して移動端末機１００の機能を拡張するように構成されてもよい。前記アクセサリーの他の例としては、前記タッチスクリーンへのタッチ入力を補助又は拡張するためのタッチペンが挙げられる。
【０１３７】
以下、このように構成された移動端末機の本体を収納するように形成されるカバーについて説明する。
【０１３８】
図２Ａ及び図２Ｂは本発明の一実施形態によるカバーに収納された移動端末機を示す斜視図である。
【０１３９】
同図を参照すると、カバー２００は、移動端末機１００の端末機本体を収納するように形成される。
【０１４０】
まず、図２Ａはカバー２００により移動端末機１００の前面が開放された状態を示す。前記前面が開放された状態では、前記前面に配置されたディスプレイ部１５１が開放された状態となる。
【０１４１】
カバー２００は、前記端末機本体の背面が収納されるように形成されるカバー背面部２１０を含む。さらに、カバー２００は、ディスプレイ部１５１を開閉するようにカバー背面部２１０に回転可能に連結されるカバー前面部２２０を含む。
【０１４２】
ただし、本発明は、必ずしもこれに限定されるものではなく、例えば、カバー背面部２１０が前記端末機本体の背面ではなく側面に結合されるように構成されてもよい。
【０１４３】
また、カバー２００は、前記端末機本体の背面カバー１０３を代替する構造からなるようにしてもよい。より具体的には、カバー２００は、バッテリカバーが結合される移動端末機において、前記バッテリカバーを代替して前記端末機本体の背面に結合されるようにしてもよい。この場合、カバー背面部２１０の内面にはカバー２００をバッテリカバーとして着脱可能にする結合突起が形成され、前記移動端末機のリアケースには前記結合突起と結合される結合孔が形成されてもよい。
【０１４４】
他の例として、カバー２００は、バッテリカバーが一体型として備えられる移動端末機において、前記バッテリカバーを覆うように前記移動端末機に結合されるようにしてもよい。この場合、前記移動端末機とカバー２００を結合するための結合突起は、カバー背面部２１０ではなく他の部分に配置される。
【０１４５】
同図に示すように、カバー背面部２１０は、カバー背面部２１０から突出して移動端末機１００の側面を覆うカバー側面部と一体的に形成されてもよい。前記カバー側面部は、移動端末機１００の背面に対向するカバー背面部２１０の周面の縁部から突出して移動端末機１００の側面を覆うように形成される。より具体的には、前記カバー側面部は、前記周面に垂直な方向に突出して前記側面の一部又は全部を覆うように形成されてもよい。
【０１４６】
同図に示すように、カバー背面部２１０とカバー前面部２２０とを連結するように、連結部２３０がカバー背面部２１０の縁部から外部に突出して延びてもよい。連結部２３０は、容易に曲げることができるように狭い幅にし、カバー前面部２２０は、連結部２３０の曲げを用いてディスプレイ部１５１を覆う状態に回転させることができるようにしてもよい。この場合、連結部２３０には、カバー背面部２１０の一端から折り曲げられて移動端末機１００の角部の一端に密着する支持突起が備えられてもよい。
【０１４７】
一例として、連結部２３０は、カバー前面部２２０と一体的に形成され、カバー背面部２１０に結合されるようにしてもよい。この場合、連結部２３０は、カバー前面部２２０と同じ材質でカバー前面部２２０の一端から延びるようにしてもよい。
【０１４８】
他の例として、連結部２３０は、カバー背面部２１０と一体的に形成され、カバー前面部２２０に結合されるようにしてもよい。この場合、連結部２３０は、カバー背面部２１０と同じ材質でカバー背面部２１０の一端から延びるようにしてもよい。
【０１４９】
次に、図２Ｂはカバー２００により移動端末機１００のディスプレイ部１５１が覆われた状態を示す。前記覆われた状態では、移動端末機１００及びカバー２００が手帳のような形態となるので、ユーザの携帯性が向上する。また、カバー２００は、移動端末機１００を覆う保護カバーの役割を果し、移動端末機１００を外部の衝撃や刺激からより安全に保護する。
【０１５０】
カバー背面部２１０及びカバー前面部２２０は、移動端末機１００を覆った状態で互いに平行に配置されるように形成され、連結部２３０は、カバー背面部２１０とカバー前面部２２０との間に形成されるギャップの一部のみを埋めるように形成されてもよい。この場合、前記ギャップの他の部分は、前記カバー側面部が備えられることにより埋められるようにしてもよい。
【０１５１】
カバー２００は、ディスプレイ部１５１を覆った状態でディスプレイ部１５１の視覚情報を外部に露出するように形成される。より具体的には、図２Ｂを参照すると、カバー前面部２２０がウィンドウ部２４０を備えるようにしてもよい。ウィンドウ部２４０は、光透過性部材からなる領域であってもよい。ウィンドウ部２４０は、光透過性によりウィンドウ部２４０の外面上にディスプレイ部１５１の視覚情報を出力するように形成される。
【０１５２】
ウィンドウ部２４０は、ディスプレイ部１５１の視覚情報の出力のために、ディスプレイ部１５１と重なるように配置される。より具体的には、ウィンドウ部２４０は、カバー前面部２２０がディスプレイ部１５１を覆った状態で、ディスプレイ部１５１の前面上方に配置される。このような構造によれば、ユーザはディスプレイ部１５１に出力されたアイコン、テキスト、イメージなどを外部からウィンドウ部２４０を通じて認知することができる。
【０１５３】
また、本発明による移動端末機は、ウィンドウ部２４０の内側へのユーザモーションを検知し、検知されたユーザモーションに基づいて端末機の動作を制御することができる。さらに、本発明による移動端末機は、カバー前面部２２０が前記端末機本体の背面カバー１０３を覆った状態又はカバー前面部２２０がカバー背面部２１０と重なるように回転した状態で、ウィンドウ部２４０の内側へのユーザモーションを検知することができる。
【０１５４】
このために、カバー２００には、ウィンドウ部２４０の内側へのユーザモーションを検知するためのセンサ部が備えられる。以下、前記ユーザモーションを検知するためのセンサ部の配置構造についてより具体的に説明する。
【０１５５】
図３Ａは図２Ｂのカバー前面部の分解斜視図であり、図３Ｂは図２Ｂのカバー前面部が回転してカバー背面部を覆った状態を示す背面斜視図であり、図４は端末機本体とカバーのセンサ部の電源接続を示す概念図である。
【０１５６】
図３Ａを参照すると、センサ部２５０は、ウィンドウ部２４０の縁部に配置される少なくとも１つのセンサ２５１を備える。センサ２５１は、ウィンドウ部２４０の内側へのユーザモーションを検知するように構成され、例えば赤外線センサ、レーザセンサ、フォトセンサなどからなる。よって、センサ部２５０は、カバー前面部２２０が前記端末機本体の背面を覆った状態で、ウィンドウ部２４０の内側へのユーザモーションを検知することができる。
【０１５７】
図３Ａ及び図３Ｂを参照すると、ウィンドウ部２４０は、カバー前面部２２０が前記端末機本体の前面を覆った状態では前記ディスプレイ部の少なくとも一部を露出し、カバー前面部２２０が前記端末機本体の背面を覆った状態では前記背面の少なくとも一部を露出するように構成される。図示のように、カバー前面部２２０が前記端末機本体の背面を覆った状態は、実質的にはカバー前面部２２０がカバー背面部２１０を覆った状態となる。
【０１５８】
図３Ｂを参照すると、前記端末機本体の背面には背面入力部２２３が配置され、カバー背面部２１０には背面入力部２２３に対応する位置に貫通孔が備えられる。背面入力部２２３は、前記貫通孔から外部に露出する。背面入力部２２３は、移動端末機１００の動作を制御するための命令を入力するために操作するものであり、背面入力部２２３により入力される内容は多様に設定することができる。例えば、電源のオン／オフ、開始、終了、スクロールなどの命令、音響出力部から出力される音響のボリューム調整、ディスプレイ部のタッチ認識モードへの移行などの命令が入力される。背面入力部２２３は、タッチ入力、プッシュ入力、又はそれらの組み合わせによる入力が可能な形態で実現することができる。
【０１５９】
背面入力部２２３は、前記端末機本体の厚さ方向に前面のディスプレイ部と重なるように配置されてもよい。例えば、ユーザが前記端末機本体を片手で持った場合に人差し指を用いて容易に操作できるように、背面入力部２２３は、前記端末機本体の背面の上部に配置されてもよい。ただし、本発明は、必ずしもこれに限定されるものではなく、背面入力部２２３の位置は変更可能である。この場合、カバー前面部２２０のウィンドウ部２４０は、背面入力部２２３を外部に露出する位置に配置されてもよい。すなわち、カバー前面部２２０が前記端末機本体の背面を覆った状態では、ウィンドウ部２４０と背面入力部２２３が重なり、それにより背面入力部２２３が外部に露出するようにしてもよい。このような構造によれば、ユーザはカバー前面部２２０が前記端末機本体の背面を覆った状態でも背面入力部２２３をプッシュ（又はタッチ）して操作することができる。ただし、本発明は、必ずしもこれに限定されるものではなく、ウィンドウ部２４０により背面入力部２２３の周辺が外部に露出し、背面入力部２２３の周辺へのユーザ入力を可能にする構造も可能である。
【０１６０】
本発明において、センサ部２５０は、カバー前面部２２０が前記端末機本体の背面を覆った状態で、ウィンドウ部２４０へのユーザ入力を検知するように構成される。
【０１６１】
図３Ａを参照すると、センサ部２５０は、複数のセンサ２５１、２５２を備え、複数のセンサ２５１、２５２は、ウィンドウ部２４０の外周に沿って互いに離隔し、ウィンドウ部２４０の内側を向くように配置される。複数のセンサ２５１、２５２により、ウィンドウ部２４０に加えられるユーザの指のモーションが検知される。
【０１６２】
より具体的には、前記カバーにはフレキシブルプリント基板２５３が取り付けられる。フレキシブルプリント基板２５３は、環状に形成されてウィンドウ部２４０を囲む環状本体部２５３ａを備え、環状本体部２５３ａに複数のセンサ２５１、２５２が取り付けられる。複数のセンサ２５１、２５２は、環状本体部２５３ａの外周に沿って所定の間隔で離隔して配置されてもよい。さらに、フレキシブルプリント基板２５３は、環状本体部２５３ａから延びてカバー前面部２２０からカバー背面部２１０に連結されてカバー背面部２１０で前記端末機本体と電気的に接続される延長部２５３ｂを備える。
【０１６３】
延長部２５３ｂの端部には、前記端末機本体から電源が供給されるように前記端末機本体の電源端子２９１ａ、２９１ｂと電気的に接続される接続端子２５４が配置されてもよい。接続端子２５４は、カバー背面部２１０の一面を貫通して外部に露出する。外部に露出した接続端子２５４は、カバー背面部２１０が前記端末機本体に取り付けられると前記端末機本体の電源端子２９１ａ、２９１ｂに接触するようになっている。図４を参照すると、前記端末機本体の背面に電源端子２９１ａ、２９１ｂが配置されるが、電源端子２９１ａ、２９１ｂは、ポゴピンやＣクリップなどの弾性変形可能な端子であってもよい。
【０１６４】
上記構造によれば、前記カバー前面部が回転して前記カバー背面部を覆った状態で前記ウィンドウ部へのユーザモーションを検知することができる。
【０１６５】
このために、本発明による移動端末機は、前記カバー前面部が回転して前記カバー背面部を覆った状態を検知するように構成される。以下、このような状態検知のための構造について図５Ａ及び図５Ｂを参照して説明する。
【０１６６】
図５Ａ及び図５Ｂはカバーの状態を検知するホール効果素子とマグネットとの組み合わせを示す図である。
【０１６７】
移動端末機１００は、カバー２００によるディスプレイ部１５１の開閉を検知するように構成される。一例として図５Ａを参照すると、カバー２００にはマグネットＭが取り付けられ、移動端末機１００にはマグネットＭに対応するセンサが取り付けられてもよい。前記センサは、磁場を検知するホール効果素子Ｈであってもよい。ただし、本発明は、必ずしもこれに限定されるものではなく、前記センサは、近接センサや照度センサなどであってもよい。このように、移動端末機１００がカバー２００によるディスプレイ部１５１の開閉を検知することは、本実施形態の変形例や他の実施形態にも同様に適用することができる。
【０１６８】
他の例として図５Ｂを参照すると、カバー２００には少なくとも１つのマグネットＭ１、Ｍ２が取り付けられ、移動端末機１００の端末機本体にはカバー２００が前記端末機本体の前面を覆った状態と前記端末機本体の背面を覆った状態をそれぞれ検知するように複数のホール効果素子Ｈ１、Ｈ２が配置されてもよい。より具体的には、複数のホール効果素子Ｈ１、Ｈ２は、第１ホール効果素子Ｈ１及び第２ホール効果素子Ｈ２からなり、第１ホール効果素子Ｈ１に対応する第１マグネットＭ１及び第２ホール効果素子Ｈ２に対応する第２マグネットＭ２は、カバー２００の両縁部において互いに対向しない位置にそれぞれ配置されてもよい。これにより、マグネットやホール効果素子の位置の自由度が高くなる。
【０１６９】
さらに他の例として、前記カバーが前記端末機本体の背面を覆った状態を検知するように、前記カバー前面部及び前記カバー背面部のいずれか一方にはマグネットが取り付けられ、他方には前記マグネットの磁場を検知するホール効果素子が取り付けられてもよい。例えば、図５Ａの例示において、前記カバー背面部にホール効果素子が取り付けられてもよい。この場合、前記カバー前面部が前記端末機本体の前面を覆った状態は前記移動端末機のホール効果素子が検知し、前記カバー前面部が前記端末機本体の背面を覆った状態は前記カバー背面部のホール効果素子が検知する。
【０１７０】
一方、本発明によるセンサ部の構造は様々な形態に変形することができる。以下、その変形例について図６Ａ〜図６Ｅを参照してより具体的に説明する。
【０１７１】
図６Ａ〜図６Ｅはセンサ部の変形例を示す概念図である。
【０１７２】
まず、図６Ａを参照すると、ウィンドウ部２４０の内側へのユーザモーションを検知するセンサ部は、カバーではなく、移動端末機の本体（端末機本体）に備えられてもよい。
【０１７３】
一例として、図６Ａの（ａ）を参照すると、端末機本体の背面にはセンサ部２５０と背面入力部２２３が配置される。後述する例示において、背面入力部２２３については、図３Ｂを参照する背面入力部２２３の説明を援用する。例えば、前記端末機本体の背面に取り付けられるセンサ部２５０は、単独でウィンドウ部２４０の内側へのユーザモーションを検知することができる。
【０１７４】
より具体的には、センサ部２５０は、背面入力部２２３の一端に配置される少なくとも１つのセンサ２５１を備える。センサ２５１は、ウィンドウ部２４０の内側へのユーザモーションを検知するように構成され、例えば赤外線センサ、レーザセンサ、フォトセンサなどからなる。センサ２５１は、カバー前面部２２０が前記端末機本体の背面を覆った状態でウィンドウ部２４０と重なるように配置される。図示のように、背面入力部２２３の上方にはカメラ２２１が配置され、カメラ２２１は、カバー前面部２２０が前記端末機本体の背面を覆った状態でウィンドウ部２４０と重なる。よって、センサ２５１、又はカメラ２２１及びセンサ２５１の組み合わせにより、カバー前面部２２０が前記端末機本体の背面を覆った状態でウィンドウ部２４０の内側へのユーザモーションを検知することができる。
【０１７５】
他の例として、図６Ａの（ｂ）を参照すると、センサ部２５０は、背面入力部２２３の一端に配置される第１センサ２５１ａと、背面入力部２２３の他端に配置される第２センサ２５１ｂとを備える。第１センサ２５１ａは図６Ａの（ａ）と同じ位置に配置され、第２センサ２５１ｂは背面入力部２２３を基準として反対側に配置されてもよい。
【０１７６】
次に、図６Ｂを参照すると、ウィンドウ部２４０の内側へのユーザモーションを検知するセンサ部は、カバーに取り付けられる第１センサ部３５０ａと端末機本体に取り付けられる第２センサ部３５０ｂの組み合わせで構成されてもよい。
【０１７７】
一例として、図６Ｂの（ａ）を参照すると、前記カバーに取り付けられる第１センサ部３５０ａは、図３Ａ及び図３Ｂを参照して説明した例示のように、ウィンドウ部２４０の縁部に配置される少なくとも１つのセンサ３５１を備え、前記端末機本体に取り付けられる第２センサ部３５０ｂは、背面入力部２２３の一端に配置される少なくとも１つの第１センサ３５２を備える。
【０１７８】
第１センサ部３５０ａは、第２センサ部３５０ｂと連動してウィンドウ部２４０の内側へのユーザモーションを検知するように構成され、例えば赤外線センサ、レーザセンサ、フォトセンサなどからなる。第１センサ部３５０ａは、カバー前面部２２０が前記端末機本体の背面を覆った状態でウィンドウ部２４０と重なるように配置される。
【０１７９】
他の例として、図６Ｂの（ｂ）を参照すると、前記カバーに取り付けられる第１センサ部３５０ａは、ウィンドウ部２４０の縁部に配置される少なくとも１つのセンサ３５１を備え、前記端末機本体に取り付けられる第２センサ部３５０ｂは、前記端末機本体の背面において背面入力部２２３の一端に配置される少なくとも１つの第１センサ３５２ａと、背面入力部２２３の内部に配置される第２センサ３５２ｂとを備える。この場合、第２センサ３５２ｂの検知が可能になるように、背面入力部２２３のキーボタンが光透過性からなるか、又は前記キーボタンにおいて第２センサ３５２ｂに対向する位置に貫通孔が備えられる。
【０１８０】
第１センサ部３５０ａと第２センサ部３５０ｂの組み合わせにより、ウィンドウ部２４０の内側へのユーザモーションを検知することができる。
【０１８１】
一方、ウィンドウ部２４０の内側へのユーザモーションを検知するセンサ部は、移動端末機の背面に備えられてもよい。
【０１８２】
次に、図６Ｃを参照すると、移動端末機の背面入力部２２３は、少なくとも一部がタッチ入力可能な形態で実現されてもよい。例えば、背面入力部２２３のキーボタンの少なくとも１つがプッシュ入力だけでなくタッチ入力も可能になっている。
【０１８３】
また、カバー前面部２２０のウィンドウ部２４０は、背面入力部２２３を外部に露出する位置に配置されてもよい。すなわち、カバー前面部２２０が端末機本体の背面を覆った状態で、ウィンドウ部２４０と背面入力部２２３が重なり、それにより背面入力部２２３が外部に露出する。このような構造によれば、カバー前面部２２０が前記端末機本体の背面を覆った状態で、ウィンドウ部２４０の内側で背面入力部２２３をタップ（タップ入力）するユーザモーションを検知することができる。つまり、背面入力部２２３が前記センサ部として機能する。
【０１８４】
ただし、本発明は、必ずしもこれに限定されるものではなく、前記ウィンドウ部により外部に露出する部分には、前記背面入力部ではなく、他の構成要素が備えられてもよい。この場合は、前記他の構成要素が前記センサ部として機能する。
【０１８５】
次に、図６Ｄを参照すると、ウィンドウ部２４０により外部に露出する部分には、前記背面入力部とは異なる形態のタッチ検知手段が備えられる。この場合は、前記タッチ検知手段が前記センサ部として機能する。
【０１８６】
より具体的には、前記タッチ検知手段は、ウィンドウ部２４０より広く形成されるタッチ検知領域３７０であってもよい。タッチ検知領域３７０は、タッチパッドモジュール又は光学センサモジュールが移動端末機の背面（もしくは背面カバー１０３）に取り付けられることにより実現され、前記移動端末機の背面へのタッチ入力を検知するように構成される。この場合、前記カバーのカバー背面部には、タッチ検知領域３７０に対応する大きさの貫通孔が形成され、タッチ検知領域３７０を外部に露出する。
【０１８７】
一方、図６Ａ及び図６Ｂを参照して説明した移動端末機又はカバーに配置されたセンサは、カバー前面部２２０が前記端末機本体の背面を覆った状態又はカバー前面部２２０がカバー背面部２１０と重なるように回転した状態でアクティブになる。
【０１８８】
また、図６Ｃ及び図６Ｄを参照して説明した移動端末機の背面に配置されたタッチセンサは、カバー前面部２２０が前記端末機本体の背面を覆った状態又はカバー前面部２２０がカバー背面部２１０と重なるように回転した状態でアクティブになる。すなわち、制御部１８０は、カバー前面部２２０が前記端末機本体の背面を覆った状態又はカバー前面部２２０がカバー背面部２１０を覆った状態で、図６Ｃ及び図６Ｄを参照して説明した背面に配置されたタッチセンサ（又は図６Ａ及び図６Ｂを参照して説明した背面へのユーザモーションを検知するためのセンサ）をアクティブにし、ユーザモーションを検知することができる。これにより、本発明においては、背面へのユーザモーションを検知しなくてもよい状況での不要な電源消費を防止することができる。
【０１８９】
一方、カバー前面部２２０が端末機本体の背面を覆った状態は様々な方法で検知することができる。一例として、カバー２００には、カバー２００が前記端末機本体の前面又は背面を覆った状態を検知できるように少なくとも１つのマグネットが取り付けられ、前記端末機本体には、前記マグネットに対応する少なくとも１つのホール効果素子が備えられてもよい。
【０１９０】
制御部１８０は、前記ホール効果素子による前記マグネットにより形成される磁場の検知を用いて、カバー２００が前記背面を覆った状態であるか前記前面を覆った状態であるかを判断することができる。
【０１９１】
ここで、制御部１８０は、前記ホール効果素子及び前記マグネットにより、カバー前面部２２０が前記端末機本体の前面を覆った状態であるか前記端末機本体の前面を覆っていない状態であるかを検知し、カバー前面部２２０が前記端末機本体の前面を覆っていない状態の場合は、カバー前面部２２０が前記端末機本体の背面を覆った状態とみなすことができる。
【０１９２】
前記端末機本体に前記ホール効果素子が複数備えられた場合、制御部１８０は、カバー前面部２２０が前記端末機本体の前面を覆った状態であるか前記端末機本体の背面を覆った状態であるかをそれぞれ判別することができる。
【０１９３】
他の例として、カバー２００は、前記端末機本体の背面に取り付けられるカバー背面部２１０と、カバー背面部２１０に回転可能に連結されてウィンドウ部２４０が配置されるカバー前面部２２０とを備え、カバー２００が前記端末機本体の背面を覆った状態を検知するように、カバー背面部２１０及びカバー前面部２２０のいずれか一方にはマグネットが取り付けられ、他方には前記マグネットの磁場を検知するホール効果素子が取り付けられてもよい。よって、制御部１８０は、カバー２００に配置されたマグネット及びホール効果素子により形成される磁場に対応する信号に基づいて、カバー前面部２２０が前記端末機本体の背面を覆った状態であるか否かを検知することができる。
【０１９４】
このような方法でカバー２００により前記端末機本体の背面が覆われた状態が検知されると、制御部１８０は、前記端末機本体の背面に配置されたタッチセンサをアクティブにし、前記端末機本体へのユーザモーションを検知することができる。
【０１９５】
タッチ検知領域３７０は、タッチスクリーンで構成されてもよい。例えば、タッチ検知領域３７０は、前記端末機本体が裏返った状態で簡単な情報を表示するディスプレイ部（図示せず、以下背面ディスプレイ部という）を含んでもよい。前記背面ディスプレイ部は、有機発光ダイオード、フレキシブルディスプレイ、３次元ディスプレイなどを含む。
【０１９６】
前記背面ディスプレイ部により表示される簡単な情報は、タッチパッドモジュール又は光学センサモジュールによる入力の対象であるキーボタンであってもよい。一例として、前記背面ディスプレイ部に仮想キーボードが出力され、前記仮想キーボードへのタッチ入力によりユーザから情報が入力されるようにしてもよい。
【０１９７】
他の例として、タッチ検知領域３７０へのタップ入力により移動端末機を制御できるようにしてもよい。以下、他の実施形態において説明される様々な制御動作はタッチ検知領域へのタップ入力により実現することができる。
【０１９８】
さらに他の例として、タッチ検知領域３７０へのタップ入力により前記背面ディスプレイ部のアクティブ化又は非アクティブ化が決定されるようにしてもよい。より具体的には、前記背面ディスプレイ部の非アクティブ状態でタッチ検知領域３７０にタップ入力が行われると、前記背面ディスプレイ部がアクティブになり、前記背面ディスプレイ部のアクティブ状態でタッチ検知領域３７０にタップ入力が行われると、前記背面ディスプレイ部が非アクティブになる。
【０１９９】
以上、図６Ａ、図６Ｂ、図６Ｃ及び図６Ｄを参照して、カバーが端末機本体の背面を覆った状態で端末機本体の背面に備えられたセンサ又はカバーに備えられたセンサのアクティブ化について説明した。ただし、本発明による移動端末機においては、カバーが移動端末機に結合されていない状態でも、移動端末機の背面へのユーザモーションを検知することができる。
【０２００】
次に、図６Ｅの（ａ）を参照すると、本発明による移動端末機１００の背面カバー１０３の少なくとも一部には、タッチ検知領域３８０が備えられてもよい。タッチ検知領域３８０は、タッチパッドモジュール又は光学センサモジュールが移動端末機１００の背面カバー１０３に取り付けられることにより実現されてもよい。制御部１８０は、タッチ検知領域３８０により、移動端末機１００の背面カバー１０３へのユーザモーションを検知することができる。一方、タッチ検知領域３８０に備えられたタッチパッドモジュールなどは、所定方式のユーザモーションが検知されるとアクティブになるようにしてもよい。また、制御部１８０は、前記タッチパッドモジュールがアクティブになった後、タッチ検知領域３８０へのユーザモーションを検知し、その検知されたユーザモーションに対応する制御を行うことができる。
【０２０１】
次に、図６Ｅの（ｂ）を参照すると、タッチ検知領域３８０に備えられたタッチパッドモジュールをアクティブにする所定方式のユーザモーションは、所定回数のタップであってもよい。また、図示していないが、タッチ検知領域３８０に備えられたタッチパッドモジュールをアクティブにする所定方式のユーザモーションは、所定時間維持されるロングタッチであってもよい。
【０２０２】
また、タッチ検知領域３８０に備えられたタッチパッドモジュールは、タッチ検知領域３８０へのユーザモーションが所定時間ない場合に非アクティブになるようにしてもよい。あるいは、タッチ検知領域３８０に備えられたタッチパッドモジュールは、当該タッチパッドモジュールに所定方式のユーザモーションが行われた場合に非アクティブになるようにしてもよい。
【０２０３】
タッチ検知領域３８０に備えられたタッチパッドモジュールをアクティブ及び非アクティブにするユーザモーションは、同じモーションであってもよく、異なるモーションであってもよい。
【０２０４】
以下、移動端末機へのユーザモーションを用いて移動端末機を制御する方法について添付図面を参照してより具体的に説明する。
【０２０５】
移動端末機へのユーザモーションは様々に変形することができる。一例として、ユーザモーションは、移動端末機の背面を１回又は複数回叩くジェスチャーであってもよい。このように端末機本体を叩くジェスチャーを「タップ（もしくはタップ入力）」又は「タップジェスチャー」ともいう。他の例として、ユーザモーションは、移動端末機の背面をタッチするタッチジェスチャーであってもよい。さらに他の例として、ユーザモーションは、移動端末機の側面を叩くタップ又はタップジェスチャーであってもよく、さらに他の例として、ユーザモーションは、移動端末機の側面をタッチするタッチジェスチャーであってもよい。
【０２０６】
一方、本発明による移動端末機は、前述したユーザモーションの少なくとも１つを検知できるように、少なくとも１つのセンサを備える。
【０２０７】
一例として、本発明による移動端末機には、加速度センサが備えられてもよい。制御部１８０は、前記加速度センサにより、移動端末機の背面及び側面の少なくとも１つへのタップを検知することができる。ここで、前記加速度センサは、端末機本体の加速度、振動、衝撃などの動的な力を測定できるセンサである。よって、制御部１８０は、移動端末機を叩くタップにより移動端末機に発生する振動や衝撃を検知することができ、その振動や衝撃の検知に対応して移動端末機の動作を制御することができる。
【０２０８】
他の例として、本発明による移動端末機は、側面及び背面の少なくとも１つにタッチセンサが備えられてもよい。制御部１８０は、前記タッチセンサにより、移動端末機の側面及び背面の少なくとも１つへのタップ又はタッチを検知することができる。
【０２０９】
さらに他の例として、本発明による移動端末機においては、移動端末機に結合されたカバー２００に備えられた少なくとも１つのセンサによりユーザモーションを検知することができる。特に、カバー２００に備えられたセンサは、赤外線センサであってもよい。前記赤外線センサは、図３Ａを参照して説明したように、ウィンドウ部２４０の縁部に配置され、ウィンドウ部２４０の内側へのユーザモーションを検知するように構成されてもよい。より具体的には、ウィンドウ部２４０の縁部に配置された赤外線センサは、ウィンドウ部２４０の内側に接近するオブジェクト又はウィンドウ部２４０の周辺に存在するオブジェクトを、電磁界の力又は赤外線などを利用して検出することができる。一方、ウィンドウ部２４０に備えられた赤外線センサは、カバー２００が移動端末機の背面を覆った状態で、移動端末機の背面へのユーザモーションを検知することができる。
【０２１０】
さらに他の例として、本発明による移動端末機は、背面に赤外線センサが配置されてもよい。制御部１８０は、移動端末機の背面に配置された赤外線センサにより検知された情報と、カバー２００が移動端末機の背面を覆った状態でウィンドウ部２４０の縁部に配置された赤外線センサにより検知された情報を組み合わせ、ユーザモーションを検知することができる。
【０２１１】
さらに他の例として、本発明による移動端末機は、移動端末機の背面に配置されたカメラ１２２を用いてユーザモーションを検知することができる。このとき、制御部１８０は、カメラ１２２により取得された情報と、カバー２００が移動端末機の背面を覆った状態でウィンドウ部２４０の縁部に配置された赤外線センサにより検知された情報を組み合わせ、ユーザモーションを検知することができる。
【０２１２】
以上説明したように、本発明による移動端末機においては、移動端末機へのユーザモーションを検知する様々な方法を用いて、ユーザモーションに対応して様々な制御を行うことができる。
【０２１３】
以下、移動端末機へのユーザモーション、とりわけ移動端末機の背面へのユーザモーションを用いて移動端末機の動作を制御する方法について添付図面を参照してより具体的に説明する。図７Ａ及び図７Ｂは本発明の一実施形態による移動端末機の制御方法を示すフローチャートであり、図８Ａ、図８Ｂ及び図９は本発明の一実施形態による移動端末機の制御方法を説明するための概念図である。
【０２１４】
まず、本発明による移動端末機においては、移動端末機１００の端末機本体の背面（もしくは背面カバー１０３）へのユーザモーションを検知するステップ（Ｓ７１０）が行われる。ここで、ユーザモーションとは、前述したように、タップ又はタップジェスチャーに該当する、前記端末機本体（とりわけ背面）を叩くジェスチャーを意味する。ユーザモーションの検知は、前述したように、タッチセンサ、加速度センサ、カメラセンサ及び赤外線センサの少なくとも１つを活用して行うことができる。
【０２１５】
より具体的には、タップとは、指などのタップ手段で前記端末機本体を軽く叩く動作、又は指などのタップ手段を前記端末機本体に接触させる動作をいう。
【０２１６】
このようなタップを行うタップ手段は、前記端末機本体に外力を加えることのできるものであり、例えば指、スタイラスペン、ペン、ポインタ、拳などである。なお、前記タップ手段は、本発明による移動端末機にタッチ入力を行うことのできるものに限定されるものではなく、前記端末機本体又はオブジェクトに外力を加えることのできるものであればその種類は問わない。
【０２１７】
一方、前記タップに該当するユーザモーションを検知するステップにおいては、少なくとも２回のタップが基準時間内に行われた場合に限り、移動端末機の制御を目的とする「タップ」が検知されたと判断するようにしてもよい。
【０２１８】
よって、制御部１８０は、検知部１４０により、少なくとも２回（又は複数回）のタップが基準時間内に連続的に行われた場合に限り、１つ又は複数の機能を制御するための「タップ」が検知されたと判断するようにしてもよい。
【０２１９】
すなわち、少なくとも２回のタップジェスチャーが基準時間内に連続的に検知されることを「タップジェスチャー」という。よって、以下で「タップ」が検知されたということは、前記端末機本体が複数回叩かれることが検知されたことを実質的に意味する。
【０２２０】
また、制御部１８０は、前記タップが前記基準時間内に検知され、かつ前記タップが「所定領域」内で行われた場合に限り、「タップ」が検知されたと判断するようにしてもよい。例えば、前記タップは、前記基準時間内に所定領域内で連続的に検知される複数回の叩くジェスチャーを意味するようにしてもよい。
【０２２１】
一方、前記基準時間は、非常に短い時間であってもよい。また、前記所定領域は、前記タップジェスチャーが行われる地点が同一地点であるか又は同一地点とみなされる狭い領域であってもよい。
【０２２２】
このために、検知部１４０により前記端末機本体への最初の叩くジェスチャーが検知されると、検知部１４０は、前記最初の叩くジェスチャーが検知された地点から所定領域を算出するようにしてもよい。また、前記最初の叩くジェスチャーが検知された時間から基準時間内に、前記所定領域に前記最初の叩くジェスチャーに続いて次の叩くジェスチャーが検知されると、検知部１４０又は制御部１８０は、タップが検知されたと判断するようにしてもよい。
【０２２３】
一方、前述した基準時間及び所定領域は、実施形態によって様々に変形することができる。
【０２２４】
このように、複数回のタップが検知された場合にそれを制御命令として認識したり、所定領域内で複数回のタップが検知された場合にそれを制御命令として認識するのは、移動端末機の背面へのユーザのタップが移動端末機の制御を意図するものであるかを判断するためである。すなわち、制御部１８０は、複数回のタップが検知された場合又は所定領域内で複数回のタップが検知された場合、それを移動端末機の制御のためのユーザモーションと判断することができる。よって、ユーザが誤って移動端末機を叩いたり移動端末機の制御を目的としないで移動端末機を叩いた場合のユーザモーションは制御命令として処理しないことにより、ユーザの意図をより忠実に反映して移動端末機の動作を制御することができる。
【０２２５】
一方、本発明による移動端末機においては、前述したように、加速度センサ又は移動端末機の背面に備えられたタッチセンサにより、移動端末機の背面へのタップを検知するようにしてもよい。
【０２２６】
加速度センサを活用する場合、制御部１８０は移動端末機の背面を叩くタップを検知することができ、タッチセンサを活用する場合、制御部１８０は移動端末機の背面を叩くタップに加えて移動端末機の背面へのタッチを検知することができる。ここで、制御部１８０は、移動端末機の背面へのシングルタッチ、ダブルタッチ、ロングタッチ、フリック、スワイプなどの様々な方式のタッチに該当するユーザモーションを検知することができる。なお、タッチセンサは、移動端末機の背面全体に備えられてもよく、移動端末機の背面の一部にのみ備えられてもよい。
【０２２７】
一方、本発明による移動端末機は、加速度センサ又はタッチセンサによりタップを検知するために、ロック状態でも最小限の電流又は電力が消費される特定モードで動作するようにしてもよい。当該特定モードは「ドーズモード」という。つまり、本発明による移動端末機においては、ディスプレイ部１５１の照明がオフになった状態又はドーズモードで、端末機本体へのタップ又はそのタップに対応するタッチを検知することができる。
【０２２８】
また、本発明による移動端末機においては、移動端末機の端末機本体へのタップを検知するために、加速度センサ及びタッチセンサのいずれか一方を用いてもよく、加速度センサ及びタッチセンサを順次用いてもよく、加速度センサ及びタッチセンサを同時に用いてもよい。なお、タッチセンサによりタップを検知する場合、タップ位置をより正確に把握することができる。
【０２２９】
このように、前記端末機本体、とりわけ背面へのユーザモーションが検知されると、その検知されたユーザモーションに対応する機能を処理するステップ（Ｓ７２０）が行われる。すなわち、制御部１８０は、前記端末機本体の背面に対して、所定の条件を満たすタップ（又はユーザモーション）が行われた場合、移動端末機で実行可能な機能の少なくとも１つを制御することができる。
【０２３０】
例えば、図８Ａの（ａ）に示すように、移動端末機の端末機本体の背面に対して１回又は複数回のタップが行われると、制御部１８０は、それに対応して、図８Ａの（ｂ）に示すように、移動端末機で実行可能な機能又は特定機能を実行することができる。
【０２３１】
ここで、移動端末機で実行可能な機能とは、移動端末機で実行又は起動可能な全ての種類の機能を意味する。一例として、移動端末機で実行可能な機能は、移動端末機にインストールされたアプリケーションの実行機能であってもよい。例えば、「任意の機能が実行される」ということは、「任意のアプリケーションが実行又は起動される」ことを意味する。
【０２３２】
他の例として、移動端末機で実行可能な機能は、受信されるイベントに対応する機能であってもよい。ここで、前記受信されるイベントは、メール受信イベント、呼受信イベントなどであってもよい。一方、前記イベントは、移動端末機にインストールされたアプリケーションにおいて発生するイベントであってもよい。
【０２３３】
さらに他の例として、移動端末機で実行可能な機能は、移動端末機の基本的な駆動のために必要な機能であってもよい。例えば、前記基本的な駆動のために必要な機能には、ディスプレイ部１５１に備えられた照明をオン／オフにする機能、移動端末機をロック解除状態からロック状態に又はロック状態からロック解除状態に切り替える機能、通信網を設定する機能、移動端末機の設定情報を変更する機能などがある。
【０２３４】
このように、本発明によれば、制御部１８０は、移動端末機の端末機本体の背面へのタップが行われた場合、特に前記タップが所定の条件を満たす場合、移動端末機で実行可能な機能の少なくとも１つを制御することができる。
【０２３５】
ここで、前記所定の条件は、タップの回数、位置、速度、強度、パターン及び領域の少なくとも１つに関連する。例えば、制御部１８０は、タップが３回行われた場合にのみ、前記実行可能な機能の少なくとも１つを制御するようにしてもよい。
【０２３６】
一方、制御部１８０は、第１基準回数以上軽く叩く第１タップが検知されてから所定時間内に第２基準回数以上軽く叩く第２タップが検知された場合にのみ、前記第２タップに対応して前記実行可能な機能の少なくとも１つを制御するようにしてもよい。すなわち、制御部１８０は、第１タップが検知されてから所定時間内に第２タップが検知された場合にのみ有効なタップとして認識することにより、移動端末機の制御を目的とするタップであるか誤ったタップであるかを区別することができる。
【０２３７】
ここで、前記第１基準回数と前記第２基準回数とは同じでもよく異なってもよい。一例として、前記第１基準回数は３回であり、前記第２基準回数は２回であってもよい。他の例として、前記第１基準回数及び前記第２基準回数はどちらも２回以上であってもよい。
【０２３８】
一方、本発明による移動端末機においては、端末機本体の背面（もしくは背面カバー１０３）にタッチセンサを備えた場合、前記タッチセンサにより検知される様々な方式のタッチに対応して異なる機能を実行することができる。例えば、制御部１８０は、前記端末機本体の背面に備えられたタッチセンサへの第１方式のタッチ（例えば、シングルタッチ）に対応して第１機能（例えば、ホームスクリーンページ出力機能）を実行し、前記端末機本体の背面に備えられたタッチセンサへの第２方式のタッチ（例えば、ダブルタッチ）に対応して第２機能（例えば、ディスプレイ部１５１の照明オフ機能）を実行するようにしてもよい。
【０２３９】
以上説明したように、本発明による移動端末機においては、端末機本体の背面へのユーザモーションに対応して、移動端末機を制御することができる。また、本発明による移動端末機においては、端末機本体に備えられたセンサの他にも、カバー２００に備えられたセンサを用いて、端末機本体の背面へのユーザモーションを検知することができる。
【０２４０】
制御部１８０は、カバー２００、とりわけカバー前面部２２０が端末機本体の背面を覆った状態で、ウィンドウ部２４０の縁部に配置された赤外線センサによりユーザモーションを検知することができる。より具体的には、ウィンドウ部２４０の縁部に配置された赤外線センサは、ウィンドウ部２４０の内側に接近するオブジェクト又はウィンドウ部２４０の周辺に存在するオブジェクトを、電磁界の力又は赤外線などを利用して検出することができる。一方、ウィンドウ部２４０に備えられた赤外線センサは、カバー２００が前記端末機本体の背面を覆った状態で、前記端末機本体の背面へのユーザモーションを検知することができる。
【０２４１】
制御部１８０は、このようにカバー２００に配置されたセンサにより前記端末機本体の背面へのユーザモーションが検知されると、その検知されたユーザモーションに対応する機能を処理する。
【０２４２】
一方、制御部１８０は、カバー前面部２２０が前記端末機本体の背面（もしくは背面カバー１０３）を覆った状態又はカバー前面部２２０がカバー背面部２１０と重なるように回転した状態で、ウィンドウ部２４０の内側へのユーザモーションを検知することができるが、制御部１８０は、カバー前面部２２０が前記端末機本体の背面（もしくは背面カバー１０３）を覆った状態又はカバー前面部２２０がカバー背面部２１０を覆った状態で、カバー２００に備えられたセンサをアクティブにし、ユーザモーションを検知することができる。前述したように、カバー２００に備えられたセンサは移動端末機から供給される電源により動作するので、カバー２００に備えられたセンサに常に動作電源を供給する場合、ユーザモーションを検知しなくてもよい状況での不要な電源消費が発生することになる。よって、本発明においては、カバー２００が前記端末機本体の背面を覆った状態で、前記端末機本体の背面へのユーザモーションを検知し、それに対応する機能を処理する制御方法を提案する。
【０２４３】
このために、本発明による移動端末機においては、図７Ｂに示すように、まず、カバー２００、とりわけカバー前面部２２０が移動端末機１００の端末機本体の背面（もしくは背面カバー１０３）を覆った状態であるか否かを検知するステップ（Ｓ８１０）が行われる。ここで、「カバーが背面を覆った状態」とは、カバー前面部２２０が前記端末機本体の背面（もしくは背面カバー１０３）を覆った状態又はカバー前面部２２０がカバー背面部２１０と重なるように回転した状態を意味する。
【０２４４】
一方、カバー前面部２２０が端末機本体の背面（もしくは背面カバー１０３）を覆った状態は様々な方法で検知することができる。一例として、カバー２００には、カバー２００が前記端末機本体の前面又は背面を覆った状態を検知できるように少なくとも１つのマグネットが取り付けられ、前記端末機本体には、前記マグネットに対応する少なくとも１つのホール効果素子が備えられてもよい。
【０２４５】
制御部１８０は、前記ホール効果素子による前記マグネットにより形成される磁場の検知を用いて、カバー２００が前記背面を覆った状態であるか前記前面を覆った状態であるかを判断することができる。
【０２４６】
ここで、制御部１８０は、前記ホール効果素子及び前記マグネットにより、カバー前面部２２０が前記端末機本体の前面を覆った状態であるか前記端末機本体の前面を覆っていない状態であるかを検知し、カバー前面部２２０が前記端末機本体の前面を覆っていない状態の場合は、カバー前面部２２０が前記端末機本体の背面を覆った状態とみなすことができる。
【０２４７】
前記端末機本体に前記ホール効果素子が複数備えられた場合、制御部１８０は、カバー前面部２２０が前記端末機本体の前面を覆った状態であるか前記端末機本体の背面を覆った状態であるかをそれぞれ判別することができる。
【０２４８】
他の例として、カバー２００は、前記端末機本体の背面に取り付けられるカバー背面部２１０と、カバー背面部２１０に回転可能に連結されてウィンドウ部２４０が配置されるカバー前面部２２０とを備え、カバー２００が前記端末機本体の背面を覆った状態を検知するように、カバー背面部２１０及びカバー前面部２２０のいずれか一方にはマグネットが取り付けられ、他方には前記マグネットの磁場を検知するホール効果素子が取り付けられてもよい。よって、制御部１８０は、カバー２００に配置されたマグネット及びホール効果素子により形成される磁場に対応する信号に基づいて、カバー前面部２２０が前記端末機本体の背面を覆った状態であるか否かを検知することができる。
【０２４９】
本発明による移動端末機において、カバー前面部が端末機本体の背面を覆った状態を検知する方法は、前述した方法に限定されるものではなく、様々な方法を適用することができる。
【０２５０】
一方、以上説明したようにカバー２００が端末機本体の背面を覆った状態が検知されると、カバー２００に備えられたセンサをアクティブにするステップ（Ｓ８２０）が行われる。
【０２５１】
ここで、「カバーに備えられたセンサをアクティブにする」とは、「カバーに備えられたセンサに動作電源を供給する」、「ユーザモーションを検知できるようにカバーに備えられたセンサをアクティブにする」、又は「カバーに備えられたセンサをスリープモードから動作モードに切り替える」ことを意味する。例えば、カバーに備えられたセンサは移動端末機から供給される電源により動作するので、制御部１８０は、カバー前面部２２０が端末機本体の背面を覆った状態でのみ、カバー２００に備えられたセンサがユーザモーションを検知できるように、カバー２００に備えられたセンサに動作電源を供給するようにしてもよい。これにより、カバー２００に備えられたセンサに動作電源が供給され続けることによる、ユーザモーションを検知しなくてもよい状況での不要な電源消費を防止することができる。
【０２５２】
一方、このようにカバー２００に備えられたセンサがアクティブになった状態で、カバー２００に備えられたセンサを用いて端末機本体の背面へのユーザモーションを検知するステップ（Ｓ８３０）が行われる。ここで、ユーザモーションは、カバー前面部２２０に配置されたウィンドウ部２４０を通じて前記端末機本体の背面に対して行われる。前述したように、カバー２００に配置されたセンサは、ウィンドウ部２４０の外周に沿って互いに離隔し、ウィンドウ部２４０の内側を向くように配置されることにより、ウィンドウ部２４０の内側へのユーザモーションを検知することができる。
【０２５３】
また、カバー２００に配置されたセンサは、端末機本体の背面を叩くタップ、タップの回数、タップが行われた位置、タップを加えたタップ手段（例えば、指）の数、タップの維持時間などを検知することができる。より具体的には、前述したようにカバー２００に複数の赤外線センサが配置されることにより、端末機本体の背面に対して行われたタップの位置を検知することができる。さらに、制御部１８０は、カバー２００に配置された複数のセンサを用いて様々なユーザモーションを検知することができる。例えば、カバー２００に配置された複数のセンサにより、ドラッグモーション、フリックモーション、スワイプモーションなど、シングルタップ又はダブルタップのタップモーションの他にも、様々な方式のユーザモーションを検知することができる。これにより、制御部１８０は、様々な方式のユーザモーションを用いてさらに様々な制御を行うことができる。
【０２５４】
一方、このようにカバー２００に備えられたセンサを用いて前記端末機本体の背面へのユーザモーションが検知されると、それに対応する機能を処理するステップ（Ｓ８４０）が行われる。例えば、図８Ｂの（ｂ）に示すように、ウィンドウ部２４０の内側を通じて前記端末機本体の背面に対してタップが行われると、制御部１８０は、それに対応して、移動端末機で実行可能な機能又は特定機能を実行することができる。例えば、図８Ｂの（ｃ）に示すように、前記端末機本体の背面へのタップに基づいて、ディスプレイ部１５１の照明をオフにすることができる。
【０２５５】
ここで、移動端末機で実行可能な機能とは、前述したように、移動端末機で実行又は起動可能な全ての種類の機能を意味する。一例として、移動端末機で実行可能な機能は、移動端末機にインストールされたアプリケーションの実行機能であってもよい。例えば、「任意の機能が実行される」ということは、「任意のアプリケーションが実行又は起動される」ことを意味する。
【０２５６】
他の例として、移動端末機で実行可能な機能は、受信されるイベントに対応する機能であってもよい。ここで、前記受信されるイベントは、メール受信イベント、呼受信イベントなどであってもよい。一方、前記イベントは、移動端末機にインストールされたアプリケーションにおいて発生するイベントであってもよい。
【０２５７】
さらに他の例として、移動端末機で実行可能な機能は、移動端末機の基本的な駆動のために必要な機能であってもよい。例えば、前記基本的な駆動のために必要な機能には、ディスプレイ部１５１に備えられた照明をオン／オフにする機能、移動端末機をロック解除状態からロック状態に又はロック状態からロック解除状態に切り替える機能、通信網を設定する機能、移動端末機の設定情報を変更する機能などがある。
【０２５８】
一方、本発明による移動端末機においては、前述したように、端末機本体の背面に対して行われたタップの位置を検知することができるが、前記タップが行われた位置によって異なる機能を実行することができる。例えば、制御部１８０は、前記端末機本体の背面のうち右部（ディスプレイ部１５１がユーザに向けられた状態でユーザから見て端末機本体の右側）にタップが行われれば、第１機能を実行し、前記端末機本体の背面のうち左部（ディスプレイ部１５１がユーザに向けられた状態でユーザから見て端末機本体の左側）にタップが行われれば、前記第１機能とは異なる第２機能を実行することができる。一例として、制御部１８０は、図９の（ａ）に示すように、前記端末機本体の背面のうち右部（右領域１０３ａ）にタップが行われれば、通話機能に対応するアプリケーションの画面情報を出力し、図９の（ｂ）に示すように、前記端末機本体の背面のうち左部（左領域１０３ｂ）にタップが行われれば、ディスプレイ部１５１の照明をオフにし、ロック状態を実行するようにしてもよい。つまり、本発明による移動端末機においては、端末機本体の背面に対して行われたタップの位置によって異なる機能が実行されるように、各位置毎に異なる機能を連携させることができるが、その連携機能の種類はユーザの選択により設定することができる。
【０２５９】
以上説明したように、本発明による移動端末機においては、端末機本体に備えられたセンサ又はカバーに備えられたセンサの少なくとも１つを活用して、端末機本体の背面へのユーザモーションを検知し、それに対応する機能を処理することができる。
【０２６０】
以上、カバー２００が端末機本体の背面を覆った状態でカバー前面部２２０に配置されたウィンドウ部２４０を通じて前記端末機本体の背面に対して行われるユーザモーションを中心に説明した。前述したように、制御部１８０は、カバー２００が端末機本体の背面を覆った状態で、ウィンドウ部２４０の内側領域２４０ａへのユーザモーションに対応して様々な制御を行うことができる。ここで、ウィンドウ部２４０の内側領域２４０ａは、図６Ｅを参照して説明したように、端末機本体の背面に備えられたタッチ検知領域３８０に対応する。
【０２６１】
ただし、カバー２００にセンサが備えられていない移動端末機においては、ウィンドウ部２４０の内側領域２４０ａへのユーザモーションではなく、端末機本体の背面に備えられたタッチ検知領域３８０へのユーザモーションに基づいて制御を行う。
【０２６２】
また、カバー２００にセンサが備えられていない移動端末機においては、カバー前面部２２０が端末機本体の背面を覆った状態で、カバー２００に備えられたセンサがアクティブになるのではなく、前記端末機本体の背面に備えられたタッチ検知領域３８０に備えられたタッチパッドモジュールがアクティブになる。
【０２６３】
さらに、カバー２００が備えられていない移動端末機においては、ステップＳ８１０及びＳ８２０を、タッチ検知領域３８０へのタッチパッドモジュールのアクティブ化に関連する所定のユーザモーションを検知し、その検知されたユーザモーションに対応して、タッチ検知領域３８０に備えられたタッチパッドモジュールをアクティブにするステップで代替することができる。
【０２６４】
以上説明したように、本発明による移動端末機においては、カバーに備えられたセンサ又は端末機本体の背面に備えられたセンサにより、前記端末機本体の背面へのユーザモーションを検知することができ、本明細書で開示される実施形態はこれらの場合の両方に適用することができる。
【０２６５】
よって、カバーに備えられたセンサによりユーザモーションが検知される場合、ユーザモーションが行われるウィンドウ部２４０の内側領域２４０ａは、端末機本体の背面に備えられたタッチ検知領域３８０と同一又は対応する意味で理解されるべきである。
【０２６６】
以下、端末機本体の背面へのユーザモーションを用いて移動端末機の動作を制御する具体例について説明する。
【０２６７】
図１０Ａ、図１０Ｂ、図１０Ｃ、図１０Ｄ及び図１０Ｅは本発明の一実施形態による移動端末機における端末機の背面へのユーザモーションを用いてアプリケーションを制御する方法を説明するための概念図である。
【０２６８】
以下、端末機本体にカバー２００が結合された場合、カバー２００に備えられたセンサにより前記端末機本体の背面へのユーザモーションを検知する方法について例を挙げて説明するが、以下に説明する例は端末機本体に備えられたセンサにより前記端末機本体の背面へのユーザモーションを検知する場合にも同様に適用できることは当業者にとって自明である。よって、以下の実施形態に関して、端末機本体に備えられたセンサにより前記端末機本体の背面へのユーザモーションを検知する場合についての説明は省略する。
【０２６９】
本発明による移動端末機においては、移動端末機、とりわけ端末機本体の背面へのユーザモーションを用いて、特定のアプリケーション、例えば、ユーザが頻繁に使用するアプリケーション、又はユーザが再び使用するアプリケーションに容易かつ迅速にアクセスできるユーザ環境を提供することができる。
【０２７０】
すなわち、本発明による移動端末機においては、特定のアプリケーションの画面情報が現在ディスプレイ部１５１に出力されていなくても、いつでも、端末機本体の背面へのユーザモーションを用いて、再び前記特定のアプリケーションの画面情報をディスプレイ部１５１に出力することができる。
【０２７１】
より具体的には、本発明による移動端末機においては、特定のアプリケーションの使用中に移動端末機、とりわけ端末機本体の背面へのユーザモーションが検知されると、前記特定のアプリケーションに関する情報を保存しておき、前記特定のアプリケーションの画面情報が現在ディスプレイ部１５１に出力されていないか、前記特定のアプリケーションが現在起動されていない場合に、前記保存された情報を活用して前記特定のアプリケーションの画面情報をディスプレイ部１５１に直ちに出力できるユーザ環境を提供することができる。これによれば、再び使用するアプリケーションや頻繁に使用するアプリケーションへのアクセス性を向上させることができる。よって、ユーザは移動端末機の使用中にいつでも特定のアプリケーションに迅速にアクセスすることができる。
【０２７２】
図１０Ａの（ａ）を参照すると、ディスプレイ部１５１には第１アプリケーションの第１画面情報４１０が出力されている。ここで、第１アプリケーションとは、移動端末機にインストールされた複数のアプリケーションのうち任意のアプリケーションを意味する。前記第１アプリケーションは、前記複数のアプリケーションのうちユーザにより選択されて実行されたアプリケーションであってもよい。
【０２７３】
また、第１画面情報４１０とは、前記第１アプリケーションの実行画面を意味する。すなわち、前記第１アプリケーションが実行されてディスプレイ部１５１に表示される画面情報をまとめて第１画面情報４１０という。
【０２７４】
例えば、図１０Ａの（ａ）に示すようにウェブブラウザアプリケーションが実行された場合、前記ウェブブラウザアプリケーションの画面情報４１０がディスプレイ部１５１に出力される。
【０２７５】
このように、前記第１アプリケーションの第１画面情報４１０が出力された状態で、移動端末機に所定のユーザモーションが受信されると、制御部１８０は、前記ユーザモーションに応答して、前記第１アプリケーションの実行情報を保存することができる。ここで、前記実行情報とは、後でユーザの要求に応じて、前記ユーザモーションが行われたときにディスプレイ部１５１に出力されていた画面情報４１０に対応するアプリケーションを実行したり、前記アプリケーションの画面情報を再び出力するのに必要な情報を意味する。制御部１８０は、ユーザの要求があると、前記実行情報に基づいて、前記アプリケーションの画面情報をディスプレイ部１５１に再び出力することができる。
【０２７６】
前記アプリケーションの実行情報は、アプリケーションの種類、実行時点、ユーザモーションが行われたときにディスプレイ部１５１に出力されていた画面情報４１０の種類、及びアプリケーションの起動状態の少なくとも１つを含む。
【０２７７】
前記アプリケーションの実行情報は、ＲＡＭに保存され、移動端末機の電源がオフになると自動で削除される。すなわち、制御部１８０は、前記実行情報を一時保存することができる。
【０２７８】
制御部１８０は、前記アプリケーションの使用要求があると、前記実行情報に基づいて、直近にディスプレイ部１５１に出力されたアプリケーションの画面情報をディスプレイ部１５１に出力することができる。
【０２７９】
前記所定のユーザモーションは、端末機本体の背面へのタップであってもよい。ここで、前記ユーザモーションは、カバー２００に配置されたセンサにより検知されるものであってもよい。すなわち、前記ユーザモーションは、ウィンドウ部２４０の内側に対して行われるものであってもよい。あるいは、前記所定のユーザモーションは、前記端末機本体の背面へのタップと前記移動端末機の所定方向への動きの組み合わせであってもよい。すなわち、制御部１８０は、図１０Ａの（ａ）に示すように、前記移動端末機を第１方向に動かしながら前記端末機本体の背面をタップした場合、又は前記移動端末機を第１方向に動かした後に前記端末機本体の背面をタップした場合、前記第１アプリケーションの実行情報を保存するようにしてもよい。
【０２８０】
アプリケーションの実行情報は、当該アプリケーションの画面情報が出力された状態で前述した所定のユーザモーションが検知された場合に保存される。メモリ部１７０には前記実行情報を複数保存することができる。例えば、図１０Ａの（ａ）に示す第１アプリケーションの実行情報が保存された後、図１０Ａの（ｂ）に示すように、第２アプリケーションの第２画面情報４２０が出力された状態で所定のユーザモーションが行われると、制御部１８０は、前記第２アプリケーションの実行情報を保存するようにしてもよい。このとき、メモリ部１７０には、第１及び第２アプリケーションの実行情報がどちらも保存される。
【０２８１】
すなわち、制御部１８０は、既に保存された実行情報に対するユーザの削除要求により又は制御部１８０の権限により実行情報が削除された場合でなければ、他のアプリケーションの実行情報の保存要求があっても、既に保存された実行情報の保存状態を維持することができる。
【０２８２】
よって、複数のアプリケーションに対して、ユーザが使用するアプリケーションをより直観的かつ迅速に実行又は使用できるユーザ環境を提供することができる。
【０２８３】
一方、本発明による移動端末機においては、ユーザモーションに基づいてアプリケーションの実行情報が保存される場合、ディスプレイ部に視覚的な情報を出力し、当該アプリケーションの実行情報が保存されたことをユーザに通知することができる。
【０２８４】
例えば、図１０Ｂの（ａ）に示すように第１アプリケーションの第１画面情報４１０が出力された状態で、移動端末機に所定のユーザモーションが行われた場合、制御部１８０は、図１０Ｂの（ｃ）に示すように、ディスプレイ部１５１の一領域に前記第１アプリケーションに対応するグラフィックオブジェクト４１１を出力するようにしてもよい。
【０２８５】
すなわち、制御部１８０は、ディスプレイ部１５１の一領域に前記第１アプリケーションを象徴するグラフィックオブジェクト４１１を出力することができる。また、グラフィックオブジェクト４１１の視覚的なイメージは、前記第１アプリケーションの第１画面情報４１０の少なくとも一部と同一又は類似であってもよい。さらに、グラフィックオブジェクト４１１は、前記第１アプリケーションを象徴する色で表示されてもよい。さらに、グラフィックオブジェクト４１１は、前記第１アプリケーションのアイコンイメージであってもよい。さらに、グラフィックオブジェクト４１１の視覚的な情報は多様に変更可能である。
【０２８６】
一方、前記第１アプリケーションに加え、他のアプリケーションの実行情報も保存された場合、制御部１８０は、図１０Ｂの（ｃ）に示すように、前記第１アプリケーションに対応するグラフィックオブジェクト４１１と共に、前記他のアプリケーションに対応するグラフィックオブジェクト４１３を出力するようにしてもよい。よって、ユーザは、現在メモリ１７０にどのアプリケーションの実行情報が保存されているかを認識することができる。
【０２８７】
このように、アプリケーションの実行情報の保存に関する所定のユーザモーションが移動端末機に対して行われた場合、制御部１８０は、前記アプリケーション及び既に保存された実行情報に対応するアプリケーションのグラフィックオブジェクトを含むリストをディスプレイ部１５１に出力することができる。
【０２８８】
前記リストは、ユーザの要求により又は所定時間経過後に自動でディスプレイ部１５１から消えるようにしてもよい。
【０２８９】
また、前記グラフィックオブジェクト又は前記リストは、ユーザの要求によりディスプレイ部１５１に出力されるようにしてもよい。
【０２９０】
さらに、前記ユーザの要求は、様々な方式で行うことができ、移動端末機への所定のユーザモーションにより定義されるようにしてもよい。
【０２９１】
一方、現在ディスプレイ部１５１に出力されている画面情報（第１画面情報４１０）に対応するアプリケーション（第１アプリケーション）の実行情報の保存に関する所定のユーザモーションが行われた場合、制御部１８０は、前記アプリケーションの実行情報を保存し、ディスプレイ部１５１での前記画面情報の出力を終了するようにしてもよい。このとき、ディスプレイ部１５１には、前記第１アプリケーションの第１画面情報４１０ではなく、他の画面情報４３０が出力される。ここで、他の画面情報４３０は、前記第１アプリケーションとは異なるアプリケーションの画面情報（又は実行画面）であってもよく、待ち受け画面であってもよい。前記第１アプリケーションとは異なるアプリケーションは、前記第１アプリケーションの画面情報が出力される前、すなわち直近に出力された画面情報に対応するアプリケーションであってもよい。
【０２９２】
前記所定のユーザモーションに基づいて、前記第１アプリケーションの第１画面情報４１０の出力が終了して他の画面情報４３０が表示されても、前記第１アプリケーションが終了しないようにしてもよい。制御部１８０は、前記第１アプリケーションの第１画面情報４１０の出力を終了し、前記第１アプリケーションをバックグラウンドで起動し続けてもよい。
【０２９３】
前述したように、アプリケーションの実行情報が保存された後、当該実行情報が保存されたアプリケーションの画面情報は、ユーザの要求により再びディスプレイ部に出力することができる。
【０２９４】
ここで、前記ユーザの要求は、端末機本体への所定のユーザモーションと定義される。前記所定のユーザモーションは、端末機本体の背面へのタップであってもよい。ここで、前記ユーザモーションは、カバー２００に配置されたセンサにより検知されるものであってもよい。すなわち、前記ユーザモーションは、ウィンドウ部２４０の内側に対して行われるものであってもよい。あるいは、前記所定のユーザモーションは、前記端末機本体の背面へのタップと前記移動端末機の所定方向への動きの組み合わせであってもよい。すなわち、制御部１８０は、図１０Ｃの（ａ）に示すように、前記移動端末機を所定方向に動かしながら前記端末機本体の背面をタップした場合、又は前記移動端末機を所定方向に動かした後に前記端末機本体の背面をタップした場合、実行情報が保存されたアプリケーションに関する情報を提供することができる。
【０２９５】
実行情報が保存されたアプリケーションに関する情報を再び出力するためのユーザモーションに対応する端末機本体の動き方向は、図１０Ａを参照して説明したアプリケーションの実行情報を保存するためのユーザモーションに対応する端末機本体の動き方向とは異なる方向であってもよい。これらの動き方向は、互いに反対方向であってもよい。
【０２９６】
一方、図１０Ｃの（ｂ）に示すように、制御部１８０は、所定のユーザモーションに対応して、実行情報が保存されたアプリケーションのリスト又はグラフィックオブジェクト４１１、４１２を出力するようにしてもよい。ここで、前記アプリケーションのリスト又はグラフィックオブジェクト４１１、４１２は、前記所定のユーザモーションが行われる前にディスプレイ部１５１に出力されていた画面情報に重ねて出力されてもよい。また、図示していないが、前記アプリケーションのリスト又はグラフィックオブジェクト４１１、４１２は、ディスプレイ部１５１に出力されていた画面情報に重ならないように、ディスプレイ部１５１に出力されていた画面情報が表示された領域とは異なる領域に表示されてもよい。
【０２９７】
一方、制御部１８０は、前記アプリケーションのリスト又はグラフィックオブジェクト４１１、４１２からいずれかが選択された場合、図１０Ｃの（ｄ）に示すように、選択されたグラフィックオブジェクトに対応するアプリケーションの画面情報４１０を出力するようにしてもよい。前記選択されたグラフィックオブジェクトに対応するアプリケーションの画面情報４１０は、前記アプリケーションの実行情報が保存された時点でディスプレイ部１５１に最後に出力された画面であってもよい。また、前記選択されたグラフィックオブジェクトに対応するアプリケーションの画面情報４１０は、前記アプリケーションがバックグラウンドで起動されて実行されることによりアップデートされた画面情報であってもよい。この場合、前記アプリケーションの画面情報４１０は、前記アプリケーションの実行情報が保存された時点でディスプレイ部１５１に最後に出力された画面ではない。
【０２９８】
他の例として、制御部１８０は、実行情報が保存されたアプリケーションに関する情報を再び出力するためのユーザの要求に応じて、図１０Ｃの（ｃ）に示すように、前記実行情報が保存されたアプリケーションの画面情報４１０を直ちに出力するようにしてもよい。ここで、前記実行情報が保存されたアプリケーションが複数の場合、制御部１８０は、複数のアプリケーションのいずれかの画面情報４１０をディスプレイ部１５１に出力し、残りのアプリケーションに対応するグラフィックオブジェクト４１２を画面情報４１０に重ねて出力するようにしてもよい。
【０２９９】
制御部１８０は、所定の基準に基づいて、複数のアプリケーションのうち画面情報を出力するアプリケーションを決定することができる。一例として、制御部１８０は、複数のアプリケーションのうち直近に実行情報が保存されたアプリケーションの画面情報をディスプレイ部に出力するようにしてもよい。他の例として、制御部１８０は、複数のアプリケーションのうち最初に実行情報が保存されたアプリケーションの画面情報をディスプレイ部に出力するようにしてもよい。さらに他の例として、制御部１８０は、ユーザモーションに基づいて、複数のアプリケーションのうち画面情報を出力するアプリケーションを決定するようにしてもよい。例えば、前記ユーザモーションは、端末機本体の背面に対して行われるタップの位置、回数、パターン（複数のタップにより定義されるもの）などに基づいて定義される。制御部１８０は、前記端末機本体の背面に対して行われるタップの位置、回数、パターン（複数のタップにより定義されるもの）などに基づいて、複数のアプリケーションのうち画面情報を出力するアプリケーションを決定することができる。
【０３００】
前記残りのアプリケーションに対応するグラフィックオブジェクト４１２は、ユーザの要求により又は所定時間の経過により、図１０Ｃの（ｄ）に示すように、ディスプレイ部１５１から消えるようにしてもよい。
【０３０１】
一方、前記残りのアプリケーションに対応するグラフィックオブジェクト４１２と画面情報４１０が共に出力された状態で、ユーザにより前記残りのアプリケーションに対応するグラフィックオブジェクト４１２が選択された場合、制御部１８０は、現在出力されている画面情報４１０を前記選択されたグラフィックオブジェクト４１２に対応するアプリケーションの画面情報に切り替えるようにしてもよい。
【０３０２】
図示していないが、さらに他の例として、実行情報が保存されたアプリケーションに関する情報を再び出力するためのユーザの要求があり、実行情報が保存されたアプリケーションが複数の場合、制御部１８０は、複数のアプリケーションの画面情報を共にディスプレイ部１５１に出力するようにしてもよい。この場合、ディスプレイ部１５１の表示領域が複数の領域に区画され、区画された各表示領域に複数のアプリケーションの画面情報がそれぞれ出力されてもよい。そして、前記複数の領域にそれぞれ出力された画面情報のいずれかが選択された場合、制御部１８０は、その選択された画面情報を全画面表示に切り替えるようにしてもよい。この場合、前記複数の領域にそれぞれ出力された画面情報の出力が終了し、前記選択された画面情報のみディスプレイ部１５１に出力されてもよい。
【０３０３】
以上のように、本発明によれば、ユーザは、特定のアプリケーションを現在は使用しないが後で再び使用する場合、後で直ちに使用できるように、ユーザモーションを用いて、前記特定のアプリケーションの実行情報を保存し、前記ユーザモーションとは異なるユーザモーションを用いて、前記特定のアプリケーションの実行画面を再びディスプレイ部１５１に出力することができる。よって、ユーザは、ユーザモーションを用いて、前記特定のアプリケーションに迅速にアクセスすることができる。
【０３０４】
一方、本発明による移動端末機においては、所定のユーザモーションに基づいてアプリケーションの実行情報が保存された状態で、他の所定のユーザモーションが行われると、前記保存されたアプリケーションの実行情報がメモリ１７０から削除されるようにしてもよい。
【０３０５】
この場合、前記実行情報が保存されたアプリケーションの画面情報の出力要求又は前記実行情報が保存されたアプリケーションを象徴するグラフィックオブジェクトの出力要求があっても、制御部１８０は、前記画面情報又は前記グラフィックオブジェクトを出力しない。
【０３０６】
このように、本発明による移動端末機においては、所定のユーザモーションに対応して、保存された実行情報を削除することにより、簡単な操作で不要なメモリ消費を防止することができる。
【０３０７】
一方、既に保存された実行情報の削除要求に対応するユーザモーションは多様に定義することができる。例えば、図１０Ｄの（ａ）に示すように、実行情報が保存されたアプリケーションに対応するグラフィックオブジェクト４１１、４１２が出力された状態で、図１０Ｄの（ｂ）に示すように、ディスプレイ部１５１が床面（又は地面）を向くように動かした後に端末機本体の背面をタップした場合、又はディスプレイ部１５１が床面を向くように動かしながら端末機本体の背面をタップした場合、制御部１８０は、図１０Ｄの（ｃ）に示すように、前記保存された実行情報を削除するようにしてもよい。
【０３０８】
すなわち、ディスプレイ部１５１が床面（又は地面）に向けられた状態で移動端末機を叩く動作は、ユーザが実生活でごみ箱を空にする動作に類似し、本発明においては、ユーザの経験に基づいたユーザモーションにより、ユーザがより直観的に移動端末機を制御できるようにする。
【０３０９】
また、図示していないが、制御部１８０は、図１０Ｄの（ａ）に示すように実行情報が保存されたアプリケーションに対応するグラフィックオブジェクト４１１、４１２が出力された状態で、いずれかのグラフィックオブジェクトに対して所定方式のタッチ（例えば、ドラッグ又はフリック）が行われると、前記所定方式のタッチが行われたグラフィックオブジェクトに対応するアプリケーションの実行情報のみを削除するようにしてもよい。このように、本発明においては、保存された実行情報全体を削除することもでき、ユーザが選択した実行情報のみを選択的に削除することもできる。
【０３１０】
一方、制御部１８０は、実行情報が保存されたアプリケーションに対応するグラフィックオブジェクト４１１、４１２が出力されていない場合でも、所定のユーザモーションが移動端末機に対して行われることにより、保存された実行情報を削除するようにしてもよい。
【０３１１】
例えば、図１０Ｅの（ａ）に示すように、ディスプレイ部１５１に任意の画面情報が出力された状態で、図１０Ｅの（ｂ）に示すように、実行情報の削除に対応するユーザモーションが行われた場合、制御部１８０は、図１０Ｅの（ｃ）に示すように、保存された実行情報を削除することができる。ここで、前記ユーザモーションは、ディスプレイ部１５１が床面（又は地面）を向くように動かした後に端末機本体の背面をタップするモーション、又はディスプレイ部１５１が床面を向くように動かしながら端末機本体の背面をタップするモーションであってもよい。
【０３１２】
一方、実行情報に基づいてアプリケーションの画面情報が保存された後、再び当該アプリケーションの実行情報を保存するためのユーザモーションが行われることなく、当該アプリケーションの画面情報が他の画面情報に切り替えられるか、又は当該アプリケーションが終了した場合、制御部１８０は、保存された実行情報を削除するようにしてもよい。
【０３１３】
以上のように、本発明によれば、ユーザが特定のアプリケーションを現在は使用しないが後で再び使用する場合、後で直ちに使用できるように、ユーザモーションを用いて前記特定のアプリケーションの実行情報を保存し、ユーザの要求に応じて前記特定のアプリケーションを再び用いる方法を提案する。よって、ユーザは、ユーザモーションを用いて、前記特定のアプリケーションに迅速にアクセスすることができる。さらに、直観的なユーザモーションを用いて実行情報を保存、活用及び削除できるようにすることにより、移動端末機の利便性を向上させることができる。
【０３１４】
一方、本発明による移動端末機においては、端末機本体の背面へのタップに基づいて、ディスプレイ部１５１に出力される画面情報を制御することができる。前記端末機本体の背面へのタップがカバーに備えられたセンサにより検知される場合、制御部１８０は、前記カバーに備えられたセンサにより検知されるユーザモーションを用いて、移動端末機に出力される情報を制御することができる。以下、端末機本体の背面へのタップに該当するユーザモーションを用いて、移動端末機に出力される情報、特に移動端末機の機能制御、発生したイベントの確認及び制御などに関する情報を表示する状態表示ウィンドウを制御する方法について添付図面を参照してより具体的に説明する。図１１Ａ、図１１Ｂ、図１１Ｃ、図１１Ｄ、図１１Ｅ及び図１２は本発明の一実施形態による移動端末機における端末機の背面へのユーザモーションを用いて端末機の動作を制御する方法を説明するための概念図である。
【０３１５】
本発明による移動端末機の一領域には、移動端末機の動作状態（例えば、無線通信状態、アプリケーションのアップデート状態など）、周辺環境状態（例えば、現在時間）、アプリケーションのイベント受信などに関する情報を表示することができる。これらの情報が表示される前記一領域を「ステータス行」又は「ステータスバー」といい、前記一領域はディスプレイ部の周縁領域のいずれかに隣接して配置されてもよい。一方、制御部１８０は、前記ステータスバーに対して所定方式のタッチ（例えば、ドラッグ）が行われると、前記ステータスバーに出力された情報の詳細情報、移動端末機の機能の制御に関するアイコン、グラフィックオブジェクトなどをディスプレイ部１５１に出力するようにしてもよい。
【０３１６】
このために、制御部１８０は、前記ステータスバーへの所定方式のタッチに対応して、前記ステータスバーに出力された情報の詳細情報、移動端末機の機能の制御に関するアイコン、グラフィックオブジェクトを出力できるように、前記所定方式のタッチが行われる前に前記ステータスバーを除く表示領域に出力されていた画面情報の出力を終了してもよい。
【０３１７】
この場合、制御部１８０は、前記ステータスバーに出力された情報の詳細情報、移動端末機の機能の制御に関するアイコン、グラフィックオブジェクトを情報表示ウィンドウ５１０（図１１Ａの(ｃ)参照）上に含め、前記ステータスバーへの所定方式のタッチに対応して、情報表示ウィンドウ５１０が徐々に出力されるようにディスプレイ部１５１を制御してもよい。ここで、情報表示ウィンドウ５１０は、ディスプレイ部１５１に出力されていた画面情報に重ねて出力されてもよい。情報表示ウィンドウ５１０は、情報表示ウィンドウ５１０への所定方式のタッチに対応して、ディスプレイ部１５１から消えるようにしてもよいが、このとき、情報表示ウィンドウ５１０が出力される前にディスプレイ部１５１に出力されていた画面情報が再び出力されるようにしてもよい。
【０３１８】
前記所定方式のタッチがドラッグの場合、制御部１８０は、前記ステータスバーへの第１方向のドラッグに対応して、情報表示ウィンドウ５１０が出力されるようにし、情報表示ウィンドウ５１０への前記第１方向の反対方向である第２方向のドラッグに対応して、情報表示ウィンドウ５１０が消えるようにしてもよい。
【０３１９】
このように、情報表示ウィンドウ５１０は、ディスプレイ部１５１へのタッチに基づいて出力されるか又は消えるようにすることができるが、本発明においては、ディスプレイ部１５１へのタッチの他にも、情報表示ウィンドウ５１０を制御するさらなる方法を提案する。
【０３２０】
本発明による移動端末機においては、端末機本体の背面への所定方式のユーザモーションに対応して、情報表示ウィンドウ５１０をディスプレイ部１５１に出力することができる。例えば、制御部１８０は、図１１Ａの（ａ）に示すように、任意の画面情報５００が出力された状態で、図１１Ａの（ｂ）に示すように、端末機本体の背面（とりわけ、ウィンドウ部２４０の内側）に対して所定方式のユーザモーション（例えば、第１方向のドラッグモーション）が行われると、図１１Ａの（ｃ）に示すように、情報表示ウィンドウ５１０を出力するようにしてもよい。情報表示ウィンドウ５１０は、前記端末機本体の背面に対して行われる前記第１方向のドラッグモーションに対応してディスプレイ部１５１に徐々に出力されてもよい。
【０３２１】
一方、このようにして出力された情報表示ウィンドウ５１０は、図１１Ｂの（ｂ）に示すように、所定方式のユーザモーション（例えば、前記第１方向の反対方向である第２方向のドラッグモーションもしくは所定回数のタップモーション）が行われると、図１１Ｂの（ｃ）に示すように、その出力が終了するようにしてもよい。この場合、ディスプレイ部１５１には、情報表示ウィンドウ５１０が出力される前にディスプレイ部１５１に出力されていた任意の画面情報５００が再び出力されるようにしてもよい。
【０３２２】
前記所定方式のユーザモーションは、モーションを加える手段の数（例えば、指の数）、モーションの進行方向、モーションが行われる位置、回数などを組み合わせて様々な方式で定義することができる。
【０３２３】
また、本発明による移動端末機においては、端末機本体の背面へのユーザモーションを用いて、図１１Ａの（ｃ）に示すように情報表示ウィンドウ５１０に含まれる情報を制御することができる。
【０３２４】
例えば、図１１Ｃの（ａ）に示すように、情報表示ウィンドウ５１０に少なくとも１つのイベント情報が出力された状態で、図１１Ｃの（ｂ）に示すように、端末機本体に対して所定のユーザモーションが行われると、制御部１８０は、図１１Ｃの（ｃ）に示すように、情報表示ウィンドウ５１０に出力されたイベント情報のいずれかに対応するアプリケーションを実行し、前記イベント情報の詳細情報を出力するようにしてもよい。
【０３２５】
移動端末機１００で発生するイベントとしては、呼信号受信、メール受信、不在着信、アラーム、スケジュール通知、電子メール受信、アプリケーションによる情報受信などがある。
【０３２６】
前記所定のユーザモーションは、ウィンドウ部２４０を通じて露出する端末機本体の背面のうち特定領域への所定回数のタップモーションと定義することができる。例えば、図１１Ｃの（ｂ）に示すように、右領域１０３ａ（例えば、ディスプレイ部１５１がユーザに向けられた状態でユーザから見て右部）が２回タップされると、制御部１８０は、情報表示ウィンドウ５１０に出力されたイベント情報のいずれかに対応するアプリケーションを実行し、前記イベント情報の詳細情報を出力するようにしてもよい。
【０３２７】
なお、端末機本体の背面を長手方向に二等分した領域のうち、ディスプレイ部１５１がユーザに向けられた状態でユーザから見て右側を右領域１０３ａといい、ディスプレイ部１５１がユーザに向けられた状態でユーザから見て左側を左領域１０３ｂという。
【０３２８】
一方、情報表示ウィンドウ５１０に複数のアプリケーションにそれぞれ対応する複数のイベント情報が含まれる場合、制御部１８０は、所定の基準に基づいて、前記複数のアプリケーションのうちいずれかのアプリケーションに対応するイベント情報を先に出力するようにしてもよい。ここで、所定の基準は多様に設定することができる。例えば、直近にイベントが発生したアプリケーション、最初にイベントが発生したアプリケーション、頻繁に使用するアプリケーション、又は直近に使用されたアプリケーションなどを基準として、前記イベント情報の詳細情報の出力要求に対応する所定のユーザモーションに応答して、図１１Ｃの（ｃ）に示すように、イベントに関する詳細情報５２０を出力することができる。
【０３２９】
また、制御部１８０は、図１１Ｃの（ｂ）に示すような所定のユーザモーションが再び行われると、図１１Ｃの（ｄ）に示すように、情報表示ウィンドウ５１０に含まれるイベント情報に対応するアプリケーションのうち、次の出力順序のアプリケーションの実行画面５３０を出力するようにしてもよい。前記アプリケーションの実行画面５３０には、イベントに関する情報が含まれてもよい。
【０３３０】
一方、制御部１８０は、図１１Ｄの（ａ）に示すように、イベント情報に対応するアプリケーションの実行画面５３０が出力された状態で、端末機本体に対して所定のユーザモーションが行われると、実行画面５３０の出力を終了し、図１１Ｄの（ｃ）に示すように、情報表示ウィンドウ５１０を再び出力するようにしてもよい。
【０３３１】
ここで、情報表示ウィンドウ５１０が再び出力されるようにする所定のユーザモーションは、ウィンドウ部２４０を通じて露出する端末機本体の背面のうち特定領域への所定回数のタップモーションと定義することができる。例えば、図１１Ｄの（ｂ）に示すように、左領域１０３ｂ（例えば、ディスプレイ部１５１がユーザに向けられた状態でユーザから見て左部）が２回タップされると、制御部１８０は、図１１Ｄの（ｃ）に示すように、情報表示ウィンドウ５１０を再び出力するようにしてもよい。
【０３３２】
図１１Ｄの（ｃ）に示すように、情報表示ウィンドウ５１０に含まれるイベント情報のうち、情報表示ウィンドウ５１０に対するユーザの選択又は図１１Ｃを参照して説明した方式で確認されたイベント情報は、情報表示ウィンドウ５１０に出力されなくなるようにしてもよい。
【０３３３】
一方、本発明による移動端末機においては、イベントが発生したアプリケーションが複数の場合、制御部１８０は、複数のアプリケーションの画面情報を同時にディスプレイ部１５１に出力するようにしてもよい。この場合、ユーザは、複数のアプリケーションの実行画面からイベント情報を確認することができる。
【０３３４】
例えば、図１１Ｅの（ｂ）に示すように、複数のタップ手段（例えば、複数の指）により端末機本体の背面が所定回数だけタップされたことがカバー２００に備えられたセンサにより検知されると、制御部１８０は、図１１Ｅの（ｃ）に示すように、複数のアプリケーションにそれぞれ対応する実行画面を出力し、イベント情報を出力するようにしてもよい。
【０３３５】
より具体的には、ディスプレイ部１５１の表示領域が複数の領域５０１、５０２に区画され、区画された各表示領域にそれぞれ異なるアプリケーションの画面情報が出力されるようにしてもよい。そして、前記複数の領域にそれぞれ出力された画面情報のいずれかが選択された場合、制御部１８０は、その選択された画面情報を全画面表示に切り替えるようにしてもよい。この場合、前記複数の領域にそれぞれ出力された画面情報の出力が終了し、前記選択された画面情報のみディスプレイ部１５１に出力されてもよい。
【０３３６】
一方、本発明による移動端末機においては、前述した端末機本体の背面に対して行われる所定方式のユーザモーション（例えば、前記第１方向の反対方向である第２方向のドラッグモーションもしくは所定回数のタップモーション）に対応して情報表示ウィンドウ５１０を用いてイベント情報を提供する方法とは異なる方法で、イベント情報を提供することができる。例えば、図１２の（ａ）に示すように、ディスプレイ部１５１にアプリケーションの実行画面やホームスクリーンページなどの任意の画面情報が出力された状態で、移動端末機にインストールされたアプリケーションの少なくとも１つにおいてイベントが発生した場合、制御部１８０は、図１２の（ｂ）に示すように、端末機本体の背面（とりわけ、ウィンドウ部２４０の内側）に対して所定方式のユーザモーション（例えば、第１方向のドラッグモーション）が行われると、図１２の（ｃ）に示すように、前記イベントが発生したアプリケーションのイベント情報を含む実行画面５５０を出力するようにしてもよい。
【０３３７】
一方、図示していないが、図１２の（ｃ）に示すように、前記イベントが発生したアプリケーションのイベント情報を含む実行画面５５０が出力された状態で、所定方式のユーザモーションと反対のユーザモーション（例えば、前記第１方向の反対方向である第２方向のドラッグモーションもしくは所定回数のタップモーション）又は他の方式のユーザモーションが行われると、制御部１８０は、図１２の（ｄ）に示すように、実行画面５５０が出力される前にディスプレイ部１５１に出力されていた任意の画面情報５０５が再び出力されるようにしてもよい。
【０３３８】
前記所定方式のユーザモーションは、モーションを加える手段の数（例えば、指の数）、モーションの進行方向、モーションが行われる位置、回数などを組み合わせて様々な方式で定義することができる。
【０３３９】
以下、端末機本体の背面へのユーザモーションに対応してテキスト編集機能を提供する方法について添付図面を参照してより具体的に説明する。図１３Ａ、図１３Ｂ及び図１３Ｃは本発明の一実施形態による移動端末機における端末機の背面へのユーザモーションを用いてテキスト編集機能を提供する方法を説明するための概念図である。
【０３４０】
本発明による移動端末機においては、端末機本体の背面へのユーザモーションに対応してテキスト編集機能を提供する。より具体的には、本発明において、制御部１８０は、端末機本体の背面へのユーザモーションに対応して、情報が入力される位置を示すカーソル６１０を移動させることができる。制御部１８０は、端末機本体の背面に対して行われるタップの位置、回数、維持時間などに基づいて、カーソル６１０の移動方向や移動の程度を制御することができる。
【０３４１】
一例として、図１３Ａの（ａ）に示すように、移動端末機のディスプレイ部１５１がユーザに向けられた状態で、図１３Ａの（ｂ）のように、端末機本体の背面の左領域１０３ｂへのタップが検知されると、制御部１８０は、図１３Ａの（ｃ）に示すように、カーソル６１０を左に移動させる。
【０３４２】
また、図１３Ｂの（ａ）に示すように、移動端末機のディスプレイ部１５１がユーザに向けられた状態で、図１３Ｂの（ｂ）に示すように、端末機本体の背面の右領域１０３ａへのタップが検知されると、制御部１８０は、図１３Ｂの（ｃ）に示すように、カーソル６１０を右に移動させる。
【０３４３】
ここで、制御部１８０は、タップの回数に対応してカーソル６１０を移動させる。例えば、制御部１８０は、タップが１回行われると、カーソル６１０を１文字分（テキストが表示される単位）移動させ、タップが２回行われると、カーソル６１０を２文字分移動させるようにしてもよい。
【０３４４】
なお、端末機本体の背面を長手方向に二等分した領域のうち、ディスプレイ部１５１がユーザに向けられた状態でユーザから見て右側を右領域１０３ａといい、ディスプレイ部１５１がユーザに向けられた状態でユーザから見て左側を左領域１０３ｂという。
【０３４５】
他の例として、制御部１８０は、タップの維持時間が所定時間を超えると、カーソル６１０を入力されたテキストの最初又は最後に移動させるようにしてもよい。例えば、図１３Ｃの（ｂ）に示すように、端末機本体の背面の左領域１０３ｂへのタップが所定時間以上維持されると、制御部１８０は、図１３Ｃの（ｃ）に示すように、カーソル６１０を入力されたテキストの最初に移動させるようにしてもよい。
【０３４６】
図示していないが、さらに他の例として、制御部１８０は、端末機本体の背面へのドラッグモーションに対応してカーソルを移動させるようにしてもよい。ここで、カーソルの移動方向はドラッグモーションの方向に対応する。また、カーソルは、ドラッグモーションの速度及びドラッグモーションの移動距離の少なくとも一方に基づいて、位置移動の程度が異なるようにしてもよい。例えば、制御部１８０は、第１速度のドラッグモーションに対応してカーソルを１文字分移動させ、前記第１速度より速い第２速度のドラッグモーションに対応してカーソルを２文字分移動させるようにしてもよい。また、制御部１８０は、第１移動距離のドラッグモーションに対応してカーソルを２文字分移動させ、前記第１移動距離より長い第２移動距離のドラッグモーションに対応してカーソルを４文字分移動させるようにしてもよい。
【０３４７】
以上説明したように、本発明による移動端末機においては、端末機本体の背面へのユーザモーションを用いて、テキスト編集機能の利便性を提供することができる。
【０３４８】
以下、端末機本体の背面へのユーザモーションに対応して通話関連便宜機能を提供する方法について添付図面を参照してより具体的に説明する。図１４Ａ、図１４Ｂ及び図１４Ｃは本発明の一実施形態による移動端末機における端末機の背面へのユーザモーションを用いて通話関連機能を提供する方法を説明するための概念図である。
【０３４９】
本発明による移動端末機においては、通話機能の実行中に（例えば、相手端末機と通話が接続された状態で）端末機本体の背面へのユーザモーションが行われると、通話中の相手端末機の電話番号（又はそれに対応する識別情報、例えば、メールアドレスなど）を保存する機能を提供することができる。
【０３５０】
制御部１８０は、前記相手端末機の電話番号（又は識別情報）をＲＡＭに保存し、移動端末機の電源がオフになると自動で削除されるようにしてもよい。すなわち、制御部１８０は、前記相手端末機の電話番号（又は識別情報）を一時保存することができる。制御部１８０は、前記相手端末機の電話番号（又は識別情報）がアドレス帳に既に保存されていても、当該電話番号（又は識別情報）をＲＡＭに一時保存することができる。このようにしてＲＡＭに保存された電話番号（又は識別情報）は、ユーザの要求により又は所定時間経過後に削除される。しかし、これに限定されるものではなく、前記相手端末機の電話番号（又は識別情報）は、ＲＡＭではなく、他のメモリに保存されるようにしてもよい。
【０３５１】
一方、図１４Ａの（ａ）に示すように通話しているときに、図１４Ａの（ｂ）に示すように、端末機本体の背面へのユーザモーション（例えば、端末機本体の背面を複数回叩くタップモーション）が行われると、制御部１８０は、図１４Ａの（ｃ）に示すように、通話相手の端末機の電話番号（又は識別情報）を保存するようにしてもよい。前記電話番号（又は識別情報）が保存されたことを通知する通知情報は、様々な方式（視覚的方式、触覚的方式又は聴覚的方式）で出力されるようにすることもでき、出力されないようにすることもできる。
【０３５２】
前記保存された電話番号（又は識別情報）は、いつでもユーザの要求があれば、ディスプレイ部１５１に出力することができる。例えば、図１４Ｂの（ａ）に示すように、電話発信機能に対応する画面情報が出力された状態で、図１４Ｂの（ｂ）に示すように、端末機本体の背面へのユーザモーション（例えば、端末機本体の背面を複数回叩くタップモーション）が行われると、制御部１８０は、図１４Ｂの（ｃ）に示すように、図１４Ａを参照して説明した方式で保存された電話番号（又は識別情報）が出力されるようにしてもよい。このように、通話中に保存された電話番号（又は識別情報）は、ユーザモーションに基づいて再び用いることができる。ユーザは、アドレス帳に保存したくない電話番号を一時保存し、ユーザモーションに基づいて再び用いることができるので、ユーザ利便性が向上する。
【０３５３】
他の例として、図１４Ｃの（ａ）に示すように、アドレス帳アプリケーションにより電話番号保存機能が行われている場合、図１４Ｃの（ｂ）に示すように、端末機本体の背面へのユーザモーション（例えば、端末機本体の背面を複数回叩くタップモーション）が行われると、制御部１８０は、図１４Ｃの（ｃ）に示すように、図１４Ａを参照して説明した方式で保存された電話番号（又は識別情報）を電話番号入力領域（又は入力フィールド）に入力するようにしてもよい。よって、ユーザは保存する電話番号を直接入力しなければならない煩雑さを解消することができる。
【０３５４】
以下、端末機本体の背面へのユーザモーションに対応して便宜機能を提供する方法について添付図面を参照してより具体的に説明する。図１５Ａ及び図１５Ｂは本発明の一実施形態による移動端末機における端末機の背面へのユーザモーションを用いて入力欄を並べ替える方法を説明するための概念図である。
【０３５５】
本発明による移動端末機においては、複数の入力領域（又は入力フィールド）が出力された状態で、端末機本体の背面に対して行われるユーザモーションに対応して、所定の基準を満たす入力領域を優先して並べ替える機能を提供することができる。例えば、ユーザから入力される情報を保存する機能（例えば、アドレス帳機能、スケジュール入力機能など）が実行されると、ユーザからの情報の入力のための複数の情報入力領域（又は入力フィールド）が出力される。なお、ユーザは、複数の情報入力領域の全てに情報を入力するのではなく、主に一部の情報入力領域にのみ情報を入力する。よって、制御部１８０は、端末機本体の背面へのユーザモーションが行われると、所定の基準に基づいて、複数の情報入力領域の配列順序を変更するようにしてもよい。例えば、図１５Ａの（ａ）に示すように、スケジュール入力機能が実行され、スケジュール入力領域７１１、７１２、７１３が出力された状態で、図１５Ａの（ｂ）に示すように、端末機本体の背面へのユーザモーション（例えば、端末機本体の背面を複数回叩くタップモーション）が行われると、制御部１８０は、図１５Ａの（ｃ）に示すように、スケジュール入力領域の配列順序を変更するようにしてもよい。ここで、配列順序は、入力領域の使用頻度を基準として、使用頻度の高いものから決定されてもよい。
【０３５６】
一方、図１５Ｂの（ａ）に示すように、ユーザから情報入力領域に情報が入力された後、端末機本体の背面へのユーザモーション（例えば、端末機本体の背面を複数回叩くタップモーション）が行われると、制御部１８０は、図１５Ｂの（ｂ）に示すように、入力された情報が保存されるようにしてもよい。
【０３５７】
図１６は本発明の一実施形態による移動端末機における端末機の背面へのユーザモーションを用いて特定情報を削除する方法を説明するための概念図である。
【０３５８】
本発明による移動端末機においては、端末機本体の背面へのユーザモーションに基づいて、メモリに保存された情報の削除機能を実行することができる。例えば、図１６の（ａ）に示すように、保存された情報（例えば、アドレス帳情報）が出力された状態で、図１６の（ｂ）に示すように、ディスプレイ部１５１が床面（又は地面）を向くように動かした後に端末機本体の背面をタップした場合、又はディスプレイ部１５１が床面を向くように動かしながら端末機本体の背面をタップした場合、制御部１８０は、前記保存された情報を削除することができる。
【０３５９】
すなわち、ディスプレイ部１５１が床面（又は地面）に向けられた状態で移動端末機を叩く動作は、ユーザが実生活でごみ箱を空にする動作に類似し、本発明においては、ユーザの経験に基づいたユーザモーションにより、ユーザがより直観的に移動端末機を制御できるようにする。
【０３６０】
そして、ディスプレイ部１５１に出力された情報が削除されると、制御部１８０は、図１６の（ｃ）に示すように、前記削除された情報の次の出力順序の情報をディスプレイ部１５１に出力するようにしてもよい。
【０３６１】
以下、端末機本体の背面へのユーザモーションを用いて移動端末機の動作を制御する具体例について説明する。
【０３６２】
図１７Ａ、図１７Ｂ、図１７Ｃ、図１７Ｄ、図１７Ｅ、図１７Ｆ及び図１７Ｇは本発明の一実施形態による移動端末機における端末機へのユーザモーションを用いてアプリケーションを制御する方法を説明するための概念図である。
【０３６３】
図１０Ａ、図１０Ｂ、図１０Ｃ、図１０Ｄ及び図１０Ｅにおいて説明した実施形態においては、端末機本体の背面へのユーザモーションに基づいて、特定のアプリケーションの実行情報を保存し、それを用いて前記特定のアプリケーションの画面情報を再び出力する方法について説明した。しかし、本発明は、端末機本体の背面へのユーザモーションに関する実施形態に限定されるものではなく、端末機本体の側面へのユーザモーションに基づいて、図１０Ａ、図１０Ｂ、図１０Ｃ、図１０Ｄ及び図１０Ｅにおいて説明した機能を実行することもできる。
【０３６４】
本発明による移動端末機においては、移動端末機、とりわけ端末機本体の側面へのユーザモーションを用いて、特定のアプリケーション、例えば、ユーザが頻繁に使用するアプリケーション、又はユーザが再び使用するアプリケーションに容易かつ迅速にアクセスできるユーザ環境を提供することができる。
【０３６５】
すなわち、本発明による移動端末機においては、特定のアプリケーションの画面情報が現在ディスプレイ部１５１に出力されていなくても、いつでも、端末機本体の側面へのユーザモーションを用いて、再び前記特定のアプリケーションの画面情報をディスプレイ部１５１に出力することができる。ここで、前記ユーザモーションは、前記端末機本体の側面に対して行われるタップの位置、回数、パターン（複数のタップにより定義されるもの）などに基づいて定義される。また、前記ユーザモーションは、前記端末機本体の右側面に対して行われる２回のタップモーションであってもよい。
【０３６６】
より具体的には、本発明による移動端末機においては、特定のアプリケーションの使用中に移動端末機、とりわけ端末機本体の側面へのユーザモーションが検知されると、前記特定のアプリケーションに関する情報を保存しておき、前記特定のアプリケーションの画面情報が現在ディスプレイ部１５１に出力されていないか、前記特定のアプリケーションが現在起動されていない場合に、前記保存された情報を活用して前記特定のアプリケーションの画面情報をディスプレイ部１５１に直ちに出力できるユーザ環境を提供することができる。これによれば、再び使用するアプリケーションや頻繁に使用するアプリケーションへのアクセス性を向上させることができる。よって、ユーザは移動端末機の使用中にいつでも特定のアプリケーションに迅速にアクセスすることができる。
【０３６７】
図１７Ａの（ａ）を参照すると、ディスプレイ部１５１には第１アプリケーションの第１画面情報４１０が出力されている。ここで、第１アプリケーションとは、移動端末機にインストールされた複数のアプリケーションのうち任意のアプリケーションを意味する。前記第１アプリケーションは、前記複数のアプリケーションのうちユーザにより選択されて実行されたアプリケーションであってもよい。
【０３６８】
また、第１画面情報４１０とは、前記第１アプリケーションの実行画面を意味する。すなわち、前記第１アプリケーションが実行されてディスプレイ部１５１に表示される画面情報をまとめて第１画面情報４１０という。
【０３６９】
例えば、図１７Ａの（ａ）に示すようにウェブブラウザアプリケーションが実行された場合、前記ウェブブラウザアプリケーションの画面情報４１０がディスプレイ部１５１に出力される。
【０３７０】
このように、前記第１アプリケーションの第１画面情報４１０が出力された状態で、移動端末機に所定のユーザモーションが受信されると、制御部１８０は、前記ユーザモーションに応答して、前記第１アプリケーションの実行情報を保存することができる。ここで、前記実行情報とは、後でユーザの要求に応じて、前記ユーザモーションが行われたときにディスプレイ部１５１に出力されていた画面情報４１０に対応するアプリケーションを実行したり、前記アプリケーションの画面情報を再び出力するのに必要な情報を意味する。制御部１８０は、ユーザの要求があると、前記実行情報に基づいて、前記アプリケーションの画面情報をディスプレイ部１５１に再び出力することができる。
【０３７１】
前記アプリケーションの実行情報は、アプリケーションの種類、実行時点、ユーザモーションが行われたときにディスプレイ部１５１に出力されていた画面情報４１０の種類、及びアプリケーションの起動状態の少なくとも１つを含む。
【０３７２】
前記アプリケーションの実行情報は、移動端末機の電源がオフになると自動で削除されるように、ＲＡＭに保存される。すなわち、制御部１８０は、前記実行情報を一時保存することができる。
【０３７３】
制御部１８０は、前記アプリケーションの使用要求があると、前記実行情報に基づいて、直近にディスプレイ部１５１に出力されたアプリケーションの画面情報をディスプレイ部１５１に出力することができる。
【０３７４】
前記所定のユーザモーションは、端末機本体の側面へのタップであってもよい。ここで、前記ユーザモーションは、移動端末機に備えられた加速度センサ、又は端末機本体の側面に備えられた圧力センサやタッチセンサなどにより検知されるものであってもよい。なお、前記端末機本体の側面へのユーザモーションを検知するセンサの種類は、前記列挙したセンサに限定されるものではない。
【０３７５】
一方、メモリ部１７０には前記実行情報を複数保存することができる。例えば、図１７Ａの（ａ）に示す第１アプリケーションの実行情報が保存された後、前記第１アプリケーションとは異なる第２アプリケーションの第２画面情報が出力された状態で所定のユーザモーションが行われると、制御部１８０は、前記第２アプリケーションの実行情報を保存するようにしてもよい。このとき、メモリ部１７０には、第１及び第２アプリケーションの実行情報がどちらも保存される。
【０３７６】
すなわち、制御部１８０は、既に保存された実行情報に対するユーザの削除要求により又は制御部１８０の権限により実行情報が削除された場合でなければ、他のアプリケーションの実行情報の保存要求があっても、既に保存された実行情報の保存状態を維持することができる。
【０３７７】
よって、複数のアプリケーションに対して、ユーザが使用するアプリケーションをより直観的かつ迅速に実行又は使用できるユーザ環境を提供することができる。
【０３７８】
一方、本発明による移動端末機においては、ユーザモーションに基づいてアプリケーションの実行情報が保存される場合、ディスプレイ部に視覚的な情報を出力し、当該アプリケーションの実行情報が保存されたことをユーザに通知することができる。
【０３７９】
例えば、図１７Ａの（ａ）に示すように第１アプリケーションの第１画面情報４１０が出力された状態で、図１７Ａの（ｂ）に示すように移動端末機に所定のユーザモーションが行われた場合、制御部１８０は、図１７Ａの（ｃ）に示すように、ディスプレイ部１５１の一領域に前記第１アプリケーションに対応するグラフィックオブジェクトを出力するようにしてもよい。
【０３８０】
前述したように、前記アプリケーションの実行情報は、直ちに保存されるのではなく、さらなるユーザモーションに基づいて保存されるようにしてもよい。
【０３８１】
例えば、図１７Ａの（ｂ）に示すように、端末機本体の側面に対してユーザモーションが行われた場合（例えば、端末機本体の右側面に２回のタップモーションが行われた場合）、制御部１８０は、図１７Ａの（ｃ）に示すように、前記第１アプリケーションの実行情報の保存に関する情報を出力するようにしてもよい。
【０３８２】
ここで、前記実行情報の保存に関する情報は、前記実行情報を保存するためにさらに入力しなければならない情報（又はさらに行わなければならないユーザモーション）に関するガイド情報７１０を含んでもよい。
【０３８３】
また、図１７Ａの（ｂ）に示すように、端末機本体の側面に対してユーザモーションが行われた場合（例えば、端末機本体の右側面に２回のタップモーションが行われた場合）、制御部１８０は、既に保存された実行情報に対応するアプリケーションの情報を出力するためにさらに入力しなければならない情報（又はさらに行わなければならないユーザモーション）に関するガイド情報７２０をさらに出力するようにしてもよい。
【０３８４】
制御部１８０は、前記端末機本体の側面に対して前記所定のユーザモーションが行われると、前記第１アプリケーションを示す情報７３０を出力するようにしてもよい。すなわち、制御部１８０は、現在の実行情報の保存の対象となるアプリケーションを示す情報７３０を出力するようにしてもよい。アプリケーションを示す情報７３０は、当該アプリケーションの実行画面及びアイコンの少なくとも一方を含んでもよい。
【０３８５】
一方、図１７Ａの（ｃ）に示すようにガイド情報７１０、７２０が出力された状態で、アプリケーションの実行情報を保存するためのユーザモーション又は実行情報が保存されたアプリケーションに関する情報を示すリストを出力するためのユーザモーションが行われた場合、制御部１８０は、それぞれに対応する機能を実行する。
【０３８６】
一例として、図１７Ｂの（ａ）に示すように、前記端末機本体が前記ガイド情報によりガイドされる方向（例えば、第１方向）に動いた場合、図１７Ｂの（ｂ）に示すように、前記第１アプリケーションの実行情報が保存される。
【０３８７】
現在ディスプレイ部１５１に出力されている画面情報（第１画面情報４１０）に対応するアプリケーション（第１アプリケーション）の実行情報の保存に関する所定のユーザモーションが行われた場合、制御部１８０は、前記アプリケーションの実行情報を保存し、ディスプレイ部１５１での前記画面情報の出力を終了するようにしてもよい。このとき、ディスプレイ部１５１には、前記第１アプリケーションの第１画面情報４１０ではなく、他の画面情報４３０が出力される。ここで、他の画面情報４３０は、前記第１アプリケーションとは異なるアプリケーションの画面情報（又は実行画面）であってもよく、待ち受け画面であってもよい。前記第１アプリケーションとは異なるアプリケーションは、前記第１アプリケーションの画面情報が出力される前、すなわち直近に出力された画面情報に対応するアプリケーションであってもよい。
【０３８８】
前記所定のユーザモーションに基づいて、前記第１アプリケーションの第１画面情報４１０の出力が終了して他の画面情報４３０が表示されても、前記第１アプリケーションが終了しないようにしてもよい。制御部１８０は、前記第１アプリケーションの第１画面情報４１０の出力を終了し、前記第１アプリケーションをバックグラウンドで起動し続けてもよい。
【０３８９】
他の例として、図１７Ｃの（ａ）に示すように、リストを出力するためのユーザモーションが行われた場合、図１７Ｃの（ｂ）に示すように、実行情報が保存されたアプリケーションを示すリスト７３０を出力する。
【０３９０】
より具体的には、図１７Ｃの（ａ）に示すように、前記端末機本体が前記ガイド情報によりガイドされる方向（例えば、図１７Ｂの(ａ)で説明した第１方向の反対方向である第２方向）に動いた場合、図１７Ｃの（ｂ）に示すように、リスト７３０が出力される。
【０３９１】
リスト７３０は、実行情報が保存されたアプリケーションに対応するグラフィックオブジェクト７３１、７３２を含んでもよい。ここで、前記アプリケーションのリスト７３０は、前記ユーザモーションが行われる前にディスプレイ部１５１に出力されていた画面情報に重ねて出力されてもよい。また、図示していないが、前記アプリケーションのリスト７３０は、ディスプレイ部１５１に出力されていた画面情報に重ならないように、ディスプレイ部１５１に出力されていた画面情報が表示された領域とは異なる領域に表示されてもよい。
【０３９２】
一方、制御部１８０は、前記アプリケーションのリスト７３０からいずれかが選択された場合、選択された項目（アイテム）又はグラフィックオブジェクトに対応するアプリケーションの画面情報を出力するようにしてもよい。前記アプリケーションの画面情報は、前記アプリケーションの実行情報が保存された時点でディスプレイ部１５１に最後に出力された画面であってもよい。また、前記アプリケーションの画面情報は、前記アプリケーションがバックグラウンドで起動されて実行されることによりアップデートされた画面情報であってもよい。この場合、前記アプリケーションの画面情報は、前記アプリケーションの実行情報が保存された時点でディスプレイ部１５１に最後に出力された画面ではない。
【０３９３】
他の例として、制御部１８０は、図１７Ｄの（ａ）に示すような実行情報が保存されたアプリケーションに関する情報を再び出力するためのユーザモーション（例えば、端末機本体を前記第１及び第２方向とは異なる第３方向に傾けるモーション）に対応して、図１７Ｄの（ｂ）に示すように、前記実行情報が保存されたアプリケーションの画面情報４１０を直ちに出力するようにしてもよい。図示していないが、前記実行情報が保存されたアプリケーションが複数の場合、制御部１８０は、複数のアプリケーションのいずれかの画面情報４１０をディスプレイ部１５１に出力し、残りのアプリケーションに対応するグラフィックオブジェクトを画面情報４１０に重ねて出力するようにしてもよい。前記残りのアプリケーションに対応するグラフィックオブジェクトは、ユーザの要求により又は所定時間の経過により、ディスプレイ部１５１から消えるようにしてもよい。
【０３９４】
制御部１８０は、所定の基準に基づいて、複数のアプリケーションのうち画面情報を出力するアプリケーションを決定することができる。一例として、制御部１８０は、複数のアプリケーションのうち直近に実行情報が保存されたアプリケーションの画面情報をディスプレイ部に出力するようにしてもよい。他の例として、制御部１８０は、複数のアプリケーションのうち最初に実行情報が保存されたアプリケーションの画面情報をディスプレイ部に出力するようにしてもよい。
【０３９５】
一方、前記残りのアプリケーションに対応するグラフィックオブジェクトと画面情報４１０が共に出力された状態で、ユーザにより前記残りのアプリケーションに対応するグラフィックオブジェクトが選択された場合、制御部１８０は、現在出力されている画面情報４１０を前記選択されたグラフィックオブジェクトに対応するアプリケーションの画面情報に切り替えるようにしてもよい。
【０３９６】
図示していないが、さらに他の例として、実行情報が保存されたアプリケーションに関する情報を再び出力するためのユーザの要求があり、実行情報が保存されたアプリケーションが複数の場合、制御部１８０は、複数のアプリケーションの画面情報を共にディスプレイ部１５１に出力するようにしてもよい。この場合、ディスプレイ部１５１の表示領域が複数の領域に区画され、区画された各表示領域に複数のアプリケーションの画面情報がそれぞれ出力されてもよい。そして、前記複数の領域にそれぞれ出力された画面情報のいずれかが選択された場合、制御部１８０は、その選択された画面情報を全画面表示に切り替えるようにしてもよい。この場合、前記複数の領域にそれぞれ出力された画面情報の出力が終了し、前記選択された画面情報のみディスプレイ部１５１に出力されてもよい。
【０３９７】
以上のように、本発明によれば、ユーザは、特定のアプリケーションを現在は使用しないが後で再び使用する場合、後で直ちに使用できるように、ユーザモーションを用いて、前記特定のアプリケーションの実行情報を保存し、前記ユーザモーションとは異なるユーザモーションを用いて、前記特定のアプリケーションの実行画面を再びディスプレイ部１５１に出力することができる。よって、ユーザは、ユーザモーションを用いて、前記特定のアプリケーションに迅速にアクセスすることができる。
【０３９８】
一方、本発明による移動端末機においては、アプリケーションの実行情報が保存された状態で、所定のユーザモーションが行われると、前記保存されたアプリケーションの実行情報がメモリ１７０から削除されるようにしてもよい。
【０３９９】
この場合、前記実行情報が保存されたアプリケーションの画面情報の出力要求又は前記実行情報が保存されたアプリケーションを象徴するグラフィックオブジェクトの出力要求があっても、制御部１８０は、前記画面情報又は前記グラフィックオブジェクトを出力しない。
【０４００】
このように、本発明による移動端末機においては、所定のユーザモーションに対応して、保存された実行情報を削除することにより、簡単な操作で不要なメモリ消費を防止することができる。
【０４０１】
一方、既に保存された実行情報の削除要求に対応するユーザモーションは多様に定義することができる。一例として、図１７Ｅの（ａ）に示すように、実行情報が保存されたアプリケーションに対応するリスト７３０が出力された状態で、所定のユーザモーション（例えば、端末機本体を前記第１及び第２方向とは異なる第３方向に傾けるモーション）が行われた場合、制御部１８０は、図１７Ｅの（ｂ）に示すように、前記保存された実行情報を削除するようにしてもよい。
【０４０２】
他の例として、図１７Ｆの（ａ）に示すように、実行情報が保存されたアプリケーションに対応するリスト７３０が出力された状態で、端末機本体の側面（例えば、左側面）に対して所定回数のタップが行われた場合、制御部１８０は、図１７Ｆの（ｂ）に示すように、前記保存された実行情報を削除するようにしてもよい。ここで、制御部１８０は、リスト７３０に含まれる項目（又はグラフィックオブジェクト７３１、７３２）のうちタップが行われた位置に対応して出力されたグラフィックオブジェクト７３１に対応するアプリケーションの実行情報のみを削除するようにしてもよい。
【０４０３】
また、制御部１８０は、図１７Ｇの（ａ）に示すように実行情報が保存されたアプリケーションに関する情報を示すリスト７３０が出力された状態で、リスト７３０に含まれるいずれかの項目又はグラフィックオブジェクト７３１に対して所定方式のタッチ（例えば、ドラッグ又はフリック）が行われると、前記所定方式のタッチが行われたグラフィックオブジェクト７３１に対応するアプリケーションの実行情報のみを削除するようにしてもよい。このように、本発明においては、保存された実行情報全体を削除することもでき、ユーザが選択した実行情報のみを選択的に削除することもできる。
【０４０４】
一方、制御部１８０は、前述したように、実行情報が保存されたアプリケーションに関する情報を示すリスト７３０が出力されていない場合でも、所定のユーザモーションが移動端末機に対して行われることにより、保存された実行情報を削除するようにしてもよい。
【０４０５】
一方、実行情報に基づいてアプリケーションの画面情報が保存された後、再び当該アプリケーションの実行情報を保存するためのユーザモーションが行われることなく、当該アプリケーションの画面情報が他の画面情報に切り替えられるか、又は当該アプリケーションが終了した場合、制御部１８０は、保存された実行情報を削除するようにしてもよい。
【０４０６】
以上のように、本発明によれば、ユーザが特定のアプリケーションを現在は使用しないが後で再び使用する場合、後で直ちに使用できるように、ユーザモーションを用いて前記特定のアプリケーションの実行情報を保存し、ユーザの要求に応じて前記特定のアプリケーションを再び用いる方法を提案する。よって、ユーザは、ユーザモーションを用いて、前記特定のアプリケーションに迅速にアクセスすることができる。さらに、直観的なユーザモーションを用いて実行情報を保存、活用及び削除できるようにすることにより、移動端末機の利便性を向上させることができる。
【０４０７】
以下、端末機本体の背面へのユーザモーションに対応して並べ替え機能（又はフィルタリング機能）を提供する方法について添付図面を参照してより具体的に説明する。図１８Ａ、図１８Ｂ、図１８Ｃ、図１８Ｄ、図１８Ｅ、図１８Ｆ、図１９Ａ、図１９Ｂ、図２０Ａ、図２０Ｂ、図２０Ｃ、図２０Ｄ、図２１Ａ、図２１Ｂ、図２２及び図２３は本発明の一実施形態による移動端末機における端末機へのユーザモーションを用いて情報を並べ替え又はフィルタリングする方法を説明するための概念図である。
【０４０８】
まず、図１８Ａ〜図１８Ｆを参照すると、受信メッセージ及び送信メッセージが表示されるダイアログボックスでのユーザモーションが制御命令の入力として処理され、それにより前記ダイアログボックスでの並べ替え機能（又はフィルタリング機能）が実行される。
【０４０９】
例えば、メール又はメッセンジャーアプリケーションの実行中にユーザモーションが行われると、センサ部がそれを検知し、制御部が当該アプリケーションでの並べ替え機能（又はフィルタリング機能）を実行するようにしてもよい。
【０４１０】
一例として、図１８Ａの（ａ）に示すように、メール又はメッセンジャーアプリケーションの実行画面がディスプレイ部に出力された状態で、ユーザのタッチ入力、例えばピンチインが行われると、図１８Ａの（ｂ）に示すように、前記ディスプレイ部に並べ替え機能（又はフィルタリング機能）を実行する基準となる項目のガイドが出力される。
【０４１１】
より具体的な例として、メール又はメッセンジャーアプリケーションの実行画面としてのダイアログボックスがディスプレイ部に出力された状態で、ユーザのタッチ入力、例えばピンチインが送信メッセージ（自分の投稿）又は受信メッセージ（相手の投稿）のいずれか９０１に対して行われると、ピンチインが行われた投稿者のメッセージにおいて並べ替え機能（又はフィルタリング機能）が実行される。並べ替え機能（又はフィルタリング機能）が実行される前に、ディスプレイ部には並べ替え機能（又はフィルタリング機能）を実行する基準となる項目のガイドが出力される。前記項目は、カテゴリーであってもよく、例えば電話番号、ＵＲＬ、写真、地図などであり、前記ガイドは、端末機本体の側面に対して行われるタップを示すように矢印状に四方に出力されてもよい。
【０４１２】
他の例として、図１８Ｂに示すように、メール又はメッセンジャーアプリケーションの実行画面としてのダイアログボックスがディスプレイ部に出力された状態で、ユーザのタッチ入力、例えばピンチインが行われると、ディスプレイ部には、並べ替え機能（又はフィルタリング機能）を実行する基準となる項目のガイドが、前記ダイアログボックスに重ねて出力される。この場合、相手からのメッセージ受信は可能であり、相手へのメッセージ送信は不可能な状態であり得る。前記ガイドに重なるダイアログボックスは、メッセージが受信されると受信メッセージが反映されてアップデートされる。
【０４１３】
さらに他の例として、前記ユーザのタッチ入力、例えばピンチインが送信メッセージ（自分の投稿）又は受信メッセージ（相手の投稿）のいずれかに対して行われると、ピンチインが行われた投稿者のメッセージのみリストされ、前記ガイドが重ねて出力されるようにしてもよい。
【０４１４】
図１８Ａ又は図１８Ｂの状態で、図１８Ｃの（ａ）に示すように端末機本体の側面に前記ガイドが示す方向のタップが行われると、センサ部はそれを検知し、制御部は前記タップを処理して該当カテゴリーが選択されるようにする。例えば、右側の写真の矢印が示す方向に向かって前記端末機本体の右側面がタップされると、前記ダイアログボックスにおいて投稿内容は消えて写真のみリストされるようにしてもよい。この場合、写真の送信者は、図１８Ａ又は図１８Ｂにおけるピンチインが行われたメッセージの投稿者であり得る。
【０４１５】
図１８Ｃの（ｂ）に示すように、ユーザは、写真のみリストされた画面でいずれかの写真にタッチ入力（例えば、ロングタッチ又はショートタッチ）を行うことにより、当該写真を選択することができる。前記選択に対する応答として、前記ダイアログボックスには、図１８Ｃの（ｃ）に示すように、前記選択された写真を送信したメッセージに関連して投稿されたメッセージが出力される。すなわち、前記選択された写真を送信したメッセージの前後のメッセージが順番に出力される。
【０４１６】
他の例として、図１８Ｃの（ｃ）に示すように前記選択された写真を送信したメッセージが前後のメッセージと共に出力された状態で、前記選択された写真に対応するメッセージにタッチ入力（例えば、ドラッグ）が行われると、当該メッセージは上下にスクロールされる。前記選択された写真を送信したメッセージが前後のメッセージと共にスクロールされて出力された状態で、ＵＲＬ情報を有するメッセージにタッチ入力が行われると、当該ＵＲＬを表示するウェブブラウザが出力（又はポップアップ）される。ただし、本発明は、必ずしもこれに限定されるものではなく、例えば、前記スクロールのためのドラッグを行うことなく、ＵＲＬ情報を有するメッセージにタッチ入力を行うことにより、当該ＵＲＬを表示するウェブブラウザが出力（又はポップアップ）されるようにすることもできる。
【０４１７】
一方、スクロールされた状態で前記ドラッグが解除されると、前記制御部は、前記ディスプレイ部に元の写真リストを出力するようにしてもよい。
【０４１８】
さらに他の例として、図１８Ｄの（ａ）に示すように、前記選択された写真を送信したメッセージが前後のメッセージと共に順番に出力された状態で、前記選択された写真に他のタッチ入力、例えばピンチアウトが行われると、図１８Ｄの（ｂ）に示すように、最初に前記メール又はメッセンジャーアプリケーションの実行画面としてのダイアログボックスが前記ディスプレイ部に出力された状態に戻る。
【０４１９】
以上、ユーザモーションとして、端末機本体の側面に対して行うタップを主に説明したが、ユーザモーションは端末機本体の側面及び背面のどちらに対して行うものであってもよい。
【０４２０】
一例として、図１８Ｅの（ａ）に示すように、メール又はメッセンジャーアプリケーションの実行画面としてのダイアログボックスがディスプレイ部に出力された状態で、ユーザのタッチ入力が送信メッセージ（自分の投稿）又は受信メッセージ（相手の投稿）のいずれかに対して行われると、タッチ入力が行われた投稿者が並べ替え機能（又はフィルタリング機能）の条件として設定される。その後、図１８Ｅの（ｂ）に示すように端末機本体の背面にタップが行われると、センサ部はそれを検知し、制御部は並べ替え機能（又はフィルタリング機能）の条件として設定された投稿者のメッセージのみリストされるように並べ替え機能（又はフィルタリング機能）を実行する。この状態で、図１８Ｅの（ｃ）に示すように、ユーザのタッチ入力によりＵＲＬ情報を有するメッセージが選択されると、当該ＵＲＬ情報が並べ替え機能（又はフィルタリング機能）の条件として設定される。その後、図１８Ｅの（ｄ）に示すように前記端末機本体の背面にタップが行われると、センサ部はそれを検知し、制御部はＵＲＬ情報を有するメッセージのみリストされるように並べ替え機能（又はフィルタリング機能）を実行する。このように、本例示においては、メッセージへのタッチ入力は並べ替え機能（又はフィルタリング機能）の条件設定と定義され、端末機本体の背面へのタップ入力は前記並べ替え機能（又はフィルタリング機能）の実行と定義される。
【０４２１】
他の例として、端末機本体のどの側面がタップされるかによって並べ替え機能（又はフィルタリング機能）の対象が決定されるようにしてもよい。より具体的には、端末機本体の第１側面に対して行われるタップは、送信メッセージ（自分の投稿）を並べ替える（又はフィルタリングする）制御命令に設定され、端末機本体の第２側面（前記第１側面の反対側面）に対して行われるタップは、受信メッセージ（相手の投稿）を並べ替える（又はフィルタリングする）制御命令に設定されてもよい。例えば、図１８Ｆに示すように、メール又はメッセンジャーアプリケーションの実行画面としてのダイアログボックスがディスプレイ部に出力された状態で、ユーザのタップ（又はタップ入力）が端末機本体の右側面に対して行われると、送信メッセージ（自分の投稿）が並べ替え機能（又はフィルタリング機能）の条件として設定され、当該メッセージがリストされるようにしてもよい。
【０４２２】
次に、図１９Ａ及び図１９Ｂを参照すると、ユーザモーションが行われる位置によって特定のアプリケーションのリストでの並べ替えの基準が決定され、その基準に基づいて前記リストの並べ替え機能（又はフィルタリング機能）が実行される。
【０４２３】
図１９Ａ及び図１９Ｂにおいては、その例として、メモアプリケーション（又はタスク管理アプリ、電子メールアプリケーション）を例示する。図１９Ａの（ａ）を参照すると、メモアプリケーション（又はタスク管理アプリ、電子メールアプリケーション）が実行されると、メモ（又はタスク、電子メール）リストの実行画面がディスプレイ部に出力される。
【０４２４】
この場合、端末機本体の第１位置に対してタップ（又はタップ入力）が行われると、並べ替え方式が第１条件基準の並べ替え方式に設定され、端末機本体の第２位置に対してタップ（又はタップ入力）が行われると、並べ替え方式が第２条件基準の並べ替え方式に設定される。
【０４２５】
より具体的には、図１９Ａに示すように、端末機本体の右側上端部分に対してタップ（又はタップ入力）が行われると、並べ替え方式が日付基準に変更され、リストは日付順にアイテムが表示されるように出力される。また、図１９Ｂに示すように、端末機本体の右側中間部分に対してタップ（又はタップ入力）が行われると、並べ替え方式がタイトル基準に変更され、リストはタイトルの五十音順又はアルファベット順にアイテムが表示されるように出力される。この場合、前記第１位置及び前記第２位置はそれぞれ右側上端部分及び右側中間部分であり、前記第１条件及び前記第２条件はそれぞれ日付及びタイトルである。さらに、端末機本体の右側下端部分に対してタップ（又はタップ入力）が行われると、色、内容の量、重要性などを基準としてリストアップが実行されるようにしてもよい。
【０４２６】
次に、図２０Ａ、図２０Ｂ、図２０Ｃ、図２０Ｄを参照すると、ユーザモーションが連続して行われる場合、各ユーザモーションが行われる位置によって特定のアプリケーションのリストでの並べ替え方式（又はフィルタリング方式）が異なる。
【０４２７】
図２０Ａの（ａ）に示すように、電話アプリケーションにおいて通話履歴がリストされた画面が出力された状態で、図２０Ａの（ｂ）に示すように、端末機本体の第１位置に対してタップ（又はタップ入力）が行われると、並べ替え方式が第１条件基準の並べ替え方式に設定され、前記通話履歴が前記第１条件基準の並べ替え方式で並べ替えられる（又はフィルタリングされる  ）。その例として、通話履歴が時間順に出力された状態で、端末機本体の右側上端部分に対してタップ（又はタップ入力）が行われると、図２０Ａの（ｃ）に示すように、不在着信履歴がフィルタリングされて出力されるようにしてもよい。
【０４２８】
また、図２０Ｂの（ａ）に示すように、不在着信履歴がフィルタリングされて出力された状態で、図２０Ｂの（ｂ）に示すように、端末機本体の第２位置に対してタップ（又はタップ入力）が行われると、並べ替え方式が第２条件基準の並べ替え方式に設定され、前記不在着信履歴が前記第２条件基準の並べ替え方式で並べ替えられる（又はフィルタリングされる）。その例として、不在着信履歴が出力された状態で、端末機本体の右側中間部分に対してタップ（又はタップ入力）が行われると、図２０Ｂの（ｃ）に示すように、発信履歴がフィルタリングされて出力されるようにしてもよい。この場合、端末機本体の右側下端部分に対してタップ（又はタップ入力）が行われると、受信履歴がフィルタリングされて出力されるようにしてもよい。
【０４２９】
さらに、図２０Ｃの（ａ）に示すように、発信履歴がフィルタリングされて出力された状態で、図２０Ｃの（ｂ）に示すように、端末機本体の第３位置に対してタップ（又はタップ入力）が行われると、並べ替え方式が第３条件基準の並べ替え方式に設定され、前記発信履歴が前記第３条件基準の並べ替え方式で並べ替えられる（又はフィルタリングされる）。その例として、発信履歴が出力された状態で、端末機本体の上端部分に対してタップ（又はタップ入力）が行われると、図２０Ｃの（ｃ）に示すように、最近頻繁に連絡した順にリストが出力されるようにしてもよい。すなわち、前記第３条件は連絡回数であり、前記連絡回数はメール送受信回数と通話発着信回数の少なくとも一方を含む。
【０４３０】
ただし、本発明において、タップ（又はタップ入力）が行われる位置は、その順序が前述した例示に限定されるものではなく、変更可能である。また、第１〜第３位置に対して行われるタップ（又はタップ入力）により出力されるリストは、前記タップが行われる前に出力されていたリストに関係なく、第１〜第３条件を基準として並べ替えられる（又はフィルタリングされる）ようにしてもよい。
【０４３１】
さらに、図２０Ｄに示すように、前記第１、第２及び第３位置に対してタップ（又はタップ入力）が行われ、各条件で並べ替えられた（又はフィルタリングされた）リストが出力された状態で、端末機本体に他のタイプの入力が行われると、通話履歴が時間順に表示された画面が出力されるようにしてもよい。前記他のタイプの入力は、前記端末機本体を左右に振る入力であってもよく、前記他のタイプの入力を行うユーザモーションがセンサ部により検知されるようにしてもよい。
【０４３２】
次に、図２１Ａ及び図２１Ｂを参照して、ギャラリーアプリケーションにおいて端末機本体の側面に対して行われるタップ入力を処理する方法について説明する。
【０４３３】
図２１Ａの（ａ）に示すように、ギャラリーアプリケーションが実行されてギャラリーリストがディスプレイ部に出力された状態で、図２１Ａの（ｂ）に示すように、端末機本体の側面にタップ入力が行われると、センサ部は前記タップ（又はタップ入力）を検知する。この場合、前記タップ（又はタップ入力）の処理は、ギャラリーアプリケーションに関する特定の条件に応じて異なる。例えば、ユーザにより生成されたフォルダがない場合、制御部は、前記タップ（又はタップ入力）に応答して、図２１Ａの（ｃ）に示すように、カメラフォルダに進んで人物写真をフィルタリングする。それに対して、ユーザにより生成されたフォルダがある場合、制御部は、前記タップ（又はタップ入力）に応答して、図２１Ａの（ｄ）に示すように、最近更新されたフォルダ（例えば、Ｊｅｎｎｙという人物フォルダ）に進んで人物写真をフィルタリングする。
【０４３４】
また、図２１Ａの（ｃ）に示すように、カメラフォルダに進んだ状態では当該フォルダの写真がリストされるが、この状態で再び端末機本体の側面に対してタップ（又はタップ入力）が行われると、当該フォルダにおいて人物写真のみリストされるようにしてもよい。より具体的な例として、図２１Ｂの（ａ）に示すように、ギャラリーアプリケーションの特定のフォルダの写真が出力された状態で、端末機本体の側面に対してタップ（又はタップ入力）が行われると、センサ部は前記タップ（又はタップ入力）を検知する。この場合、前記タップ（又はタップ入力）に対する応答として、当該フォルダの人物写真がフィルタリングされるようにしてもよい。一例として、所定の条件に基づいて、最近撮影された人物写真がフィルタリングされて出力されるようにしてもよく、詳細写真を開いた回数の多い写真がフィルタリングされて出力されるようにしてもよい。他の例として、前記フォルダの写真が出力された画面をユーザがドラッグすることにより写真がスクロールされ、そのスクロールによりディスプレイ部には前記フォルダの写真全部ではなく一部の写真のみ出力されるようにしてもよい。このとき、端末機本体の側面に対してタップ（又はタップ入力）が行われると、制御部は、出力された一部の写真に含まれる人物を基準としてフィルタリングするようにしてもよい。
【０４３５】
次に、本発明による移動端末機における端末機本体へのユーザモーションに対応して検索語に関する情報をフィルタリングする方法について説明する。
【０４３６】
本発明による移動端末機において、制御部１８０は、入力された検索語に該当する情報が検索された場合、その検索結果に対してフィルタリング機能（又は並べ替え機能）を実行することができる。
【０４３７】
一例として、図２２の（ａ）に示すように、地図関連アプリケーション（又はナビゲーションアプリケーション）において入力された検索語（例えば、「病院」）に該当する情報が検索された状態で、図２２の（ｂ）に示すように、端末機本体の特定部分（例えば、右部分）に対してタップ（又はタップ入力）が行われると、制御部１８０は、図２２の（ｃ）に示すように、その検索結果をフィルタリングするようにしてもよい。例えば、制御部１８０は、検索語により検索された地図が出力された状態で前記ユーザモーションが行われると、前記検索語に該当する建物のグラフィックオブジェクトのみ出力され、他の建物に対応するグラフィックオブジェクトは出力されないようにしてもよい。また、制御部１８０は、地図の表示倍率を調整し、検索語に該当する建物に対応するグラフィックオブジェクトが含まれる場所の地図情報がより詳細に出力されるようにしてもよい。
【０４３８】
他の例として、図２３の（ａ）に示すように、経路に関する目的地情報が入力され、それに対応して交通手段情報が出力された状態で、図２３の（ｂ）に示すように、端末機本体の特定部分（例えば、右部分）に対してタップ（又はタップ入力）が行われると、制御部１８０は、図２３の（ｃ）に示すように、交通手段を基準として検索結果を並べ替えて表示する。例えば、制御部１８０は、端末機本体に対して、前記ユーザモーションが行われると、第１交通手段（例えば、地下鉄）の経路情報を出力し、再び前記ユーザモーションが行われると、第２交通手段（例えば、バス）の経路情報を出力するようにしてもよい。このように、制御部１８０は、ユーザモーションが行われることにより、異なる基準にそれぞれ対応する経路情報を切り替えて出力することができる。よって、ユーザ所望の交通手段に関する情報のみを選択的に提供することができる。
【０４３９】
以下、端末機本体の背面へのユーザモーションを用いて情報表示ウィンドウを制御する方法について添付図面を参照してより具体的に説明する。図２４Ａ、図２４Ｂ、図２４Ｃ及び図２４Ｄは本発明の一実施形態による移動端末機における端末機へのユーザモーションを用いて端末機の動作を制御するＧＵＩ画面を並べ替える方法を説明するための概念図である。
【０４４０】
前述したように、本発明による移動端末機の一領域には、移動端末機の動作状態（例えば、無線通信状態、アプリケーションのアップデート状態など）、周辺環境状態（例えば、現在時間）、アプリケーションのイベント受信などに関する情報を表示することができる。これらの情報が表示される前記一領域を「ステータス行」又は「ステータスバー」といい、前記一領域はディスプレイ部の周縁のいずれかに隣接して配置されてもよい。一方、制御部１８０は、前記ステータスバーに対して所定方式のタッチ（例えば、ドラッグ）が行われると、前記ステータスバーに出力された情報の詳細情報、移動端末機の機能の制御に関するアイコン、グラフィックオブジェクトなどをディスプレイ部１５１に出力するようにしてもよい。
【０４４１】
このために、制御部１８０は、前記ステータスバーへの所定方式のタッチに対応して、前記ステータスバーに出力された情報の詳細情報、移動端末機の機能の制御に関するアイコン、グラフィックオブジェクトを出力できるように、前記所定方式のタッチが行われる前に前記ステータスバーを除く表示領域に出力されていた画面情報の出力を終了してもよい。
【０４４２】
この場合、制御部１８０は、前記ステータスバーに出力された情報の詳細情報、移動端末機の機能の制御に関するアイコン、グラフィックオブジェクトを情報表示ウィンドウ５１０（図２４Ａの(ａ)参照）上に含め、前記ステータスバーへの所定方式のタッチに対応して、情報表示ウィンドウ５１０が徐々に出力されるようにディスプレイ部１５１を制御してもよい。ここで、情報表示ウィンドウ５１０は、ディスプレイ部１５１に出力されていた画面情報と重ねて出力されてもよい。情報表示ウィンドウ５１０は、情報表示ウィンドウ５１０への所定方式のタッチに対応して、ディスプレイ部１５１から消えるようにしてもよいが、このとき、情報表示ウィンドウ５１０が出力される前にディスプレイ部１５１に出力されていた画面情報が再び出力されるようにしてもよい。
【０４４３】
前記所定方式のタッチがドラッグの場合、制御部１８０は、前記ステータスバーへの第１方向のドラッグに対応して、情報表示ウィンドウ５１０が出力されるようにし、情報表示ウィンドウ５１０への前記第１方向の反対方向である第２方向のドラッグに対応して、情報表示ウィンドウ５１０が消えるようにしてもよい。
【０４４４】
このように、情報表示ウィンドウ５１０は、ディスプレイ部１５１へのタッチに基づいて出力されるか又は消えるようにすることができる。
【０４４５】
情報表示ウィンドウ５１０には各種情報を表示することができる。制御部１８０は、情報表示ウィンドウ５１０に含まれる複数の領域にそれぞれ異なる種類の情報を出力することができる。
【０４４６】
例えば、情報表示ウィンドウ５１０は、第１領域８１０には移動端末機の動作又は機能を制御するための制御アイコンが出力され、第２領域８２０には頻繁に使用するアプリケーションのアイコンが出力され、第３領域８３０には移動端末機の出力（例えば、照明の明るさ、音量の大きさなど）を制御するためのグラフィックオブジェクトが出力され、第４領域８４０には発生したイベントに対応するイベント情報が表示されるようにしてもよい。なお、情報表示ウィンドウ５１０に出力される情報の種類は多様に変更可能である。
【０４４７】
一方、制御部１８０は、情報表示ウィンドウ５１０が出力された状態で、端末機本体へのユーザモーションに対応して、情報表示ウィンドウ５１０に表示された情報を並べ替えたり、配置順序（又は表示順序）を変更したり、選択的に表示することができる。
【０４４８】
一例として、図２４Ａの（ｂ）に示すように、端末機本体に所定方式のユーザモーション（例えば、端末機本体の上側面を２回叩くタップモーション）が行われると、制御部１８０は、図２４Ａの（ｃ）に示すように、第１領域８１０に含まれる制御アイコンのうち、現在移動端末機においてアクティブになっている機能又は実行中の機能に対応する制御アイコンを基準として、第１領域８１０に含まれる制御アイコンの配置順序が変更されるようにしてもよい。例えば、制御部１８０は、現在移動端末機においてアクティブになっている機能又は実行中の機能に対応する制御アイコンのほうが、現在アクティブになっていない機能又は実行されていない機能に対応する制御アイコンより優先して出力されるように、ディスプレイ部１５１を制御することができる。
【０４４９】
他の例として、図２４Ｂの（ａ）に示すように、現在移動端末機においてアクティブになっている機能又は実行中の機能に対応する制御アイコンを基準として第１領域８１０に含まれる制御アイコンが並べ替えられた状態で、図２４Ｂの（ｂ）に示すように、端末機本体に所定方式のユーザモーション（例えば、端末機本体の上側面を２回叩くタップモーション）が行われると、制御部１８０は、図２４Ｂの（ｃ）に示すように、第１領域８１０に含まれる制御アイコンの配置順序（又は表示順序）が元に戻るようにしてもよい。
【０４５０】
さらに他の例として、制御部１８０は、端末機本体への所定方式のユーザモーション（例えば、端末機本体の下側面を２回叩くタップモーション）に対応して、情報表示ウィンドウ５１０に含まれる複数の領域８２０、８３０、８４０のいずれかの領域に含まれる情報のみ選択的に出力されるようにしてもよい。例えば、図２４Ｃの（ａ）に示すように、情報表示ウィンドウ５１０に複数の領域８１０、８２０、８３０、８４０が含まれる状態で、図２４Ｃの（ｂ）に示すように、端末機本体に所定方式のユーザモーション（例えば、端末機本体の下側面を２回叩くタップモーション）が行われると、図２４Ｃの（ｃ）に示すように、複数の領域８２０、８３０、８４０のいずれかの領域に含まれる情報のみ出力され、他の領域に含まれる情報は出力されないようにしてもよい。
【０４５１】
ここで、情報表示ウィンドウ５１０に含まれる複数の領域８２０、８３０、８４０のいずれかの領域は、イベント情報が表示される領域であってもよく、この場合、情報表示ウィンドウ５１０には、イベントに関する詳細情報が出力されるようにしてもよい。
【０４５２】
なお、複数の領域８２０、８３０、８４０のいずれの領域に含まれる情報を出力するかは、ユーザモーションが行われる端末機本体の位置又はユーザモーションの方式などに基づいて決定される。
【０４５３】
さらに他の例として、制御部１８０は、図２４Ｄの（ａ）に示すようにいずれかの領域に含まれる情報のみ出力された状態で、図２４Ｄの（ｂ）に示すように、端末機本体に所定方式のユーザモーション（例えば、端末機本体の下側面を２回叩くタップモーション）が行われると、図２４Ｄの（ｃ）に示すように、情報表示ウィンドウ５１０の出力状態が元に戻るようにしてもよい。すなわち、制御部１８０は、情報表示ウィンドウ５１０に複数の領域８２０、８３０、８４０が再び含まれるように、ディスプレイ部１５１を制御することができる。
【０４５４】
一方、制御部１８０は、ユーザモーションが端末機本体のどの位置に対して行われたかによって、情報表示ウィンドウ５１０に対して異なる制御を行うことができる。例えば、制御部１８０は、図２４Ａ及び図２４Ｂを参照して説明したように端末機本体の上側面にタップモーションが行われた場合、第１領域８１０の制御を行い、図２４Ｃ及び図２４Ｄを参照して説明したように端末機本体の下側面にタップモーションが行われた場合、第４領域８４０の制御を行うようにしてもよい。
【０４５５】
一方、移動端末機は、ユーザが主に手で持って用いる次元を越え、身体に着用できるウェアラブルデバイスに拡張されている。ウェアラブルデバイスには、スマートウォッチ、スマートグラス、ヘッドマウントディスプレイなどがある。以下、ウェアラブルデバイスに拡張された移動端末機の例について説明する。
【０４５６】
ウェアラブルデバイスは、他のウェアラブルデバイス、又はストレート型、折り畳み型もしくはスライド型端末機とデータを交換（又は連動）できるように構成される。以下、ウェアラブルデバイスとして、ウォッチ型移動端末機を例に挙げて説明し、前記ウェアラブルデバイスと通信を行う他の端末機として、図１Ｂ及び図１Ｃを参照して説明したストレート型移動端末機を例に挙げて説明する。
【０４５７】
図２５は本発明の他の実施形態によるウォッチ型移動端末機の一例を示す斜視図である。
【０４５８】
図２５を参照すると、ウォッチ型移動端末機３００は、ディスプレイ部３５１を備える本体３０１と、本体３０１に連結されて手首に着用可能に構成されるバンド３０２とを含む。一般に、ウォッチ型移動端末機３００は、図１Ａ〜図１Ｃの移動端末機１００の特徴又はそれに類似した特徴を含む。
【０４５９】
本体３０１は、外観を形成するケースを含む。同図に示すように、前記ケースは、各種電子部品を収容する内部空間を形成する第１ケース３０１ａ及び第２ケース３０１ｂを含んでもよい。ただし、本発明は、これに限定されるものではなく、１つのケースが前記内部空間を形成するように構成されてユニボディの移動端末機を実現するようにしてもよい。
【０４６０】
ウォッチ型移動端末機３００は、無線通信を行えるように構成され、ウォッチ型移動端末機３００の本体３０１に無線通信のためのアンテナが備えられてもよい。前記アンテナは、ケースを用いてその性能を拡張することができる。例えば、前記アンテナは、導電性材質を含むケースに電気的に接続されてグランド領域又は放射領域が拡張されるように構成されてもよい。
【０４６１】
本体３０１の前面にはディスプレイ部３５１が配置されて情報を出力することができ、ディスプレイ部３５１にはタッチセンサが備えられてタッチスクリーンとして実現することができる。同図に示すように、ディスプレイ部３５１のウィンドウ３５１ａは、第１ケース３０１ａに取り付けられて第１ケース３０１ａと共に端末機本体の前面を形成する。
【０４６２】
本体３０１には、音響出力部３５２、カメラ３２１、マイク３２２、ユーザ入力部３２３などが備えられてもよい。ディスプレイ部３５１がタッチスクリーンとして実現される場合は、ディスプレイ部３５１がユーザ入力部３２３として機能するので、本体３０１にキーを別途備えなくてもよい。
【０４６３】
バンド３０２は、手首に着用されて手首を覆うように構成され、着用を容易にするためにフレキシブルな材質で形成されてもよい。例えば、バンド３０２は、革、ゴム、シリコン、合成樹脂材などで形成されてもよい。また、バンド３０２は、本体３０１に着脱可能に構成され、ユーザが好みに応じて様々な形態のバンドに交換できるようにしてもよい。
【０４６４】
バンド３０２は、前記アンテナの性能を拡張するために用いることもできる。例えば、バンド３０２には、前記アンテナに電気的に接続されてグランド領域を拡張するグラウンド拡張部（図示せず）が内蔵されてもよい。
【０４６５】
また、バンド３０２には、留め具３０２ａが備えられてもよい。留め具３０２ａは、バックル、スナップフィットが可能なフック構造、又はベルクロ（登録商標）などにより実現され、伸縮性のある区間又は材質を含んでもよい。同図においては、留め具３０２ａがバックルで構成された場合を例示している。
【０４６６】
一方、本発明によるウォッチ型移動端末機３００は、ウォッチ型移動端末機３００へのユーザモーションを用いて、図１Ｂ及び図１Ｃを参照して説明したストレート型移動端末機と相互連動して動作させることができる。より具体的には、本発明によるウォッチ型移動端末機３００は、ウォッチ型移動端末機３００の本体３０１又はケース３０１ａ、３０１ｂを叩くタップを検知し、それに対応する制御信号を連動可能な他の端末機に送信することにより、当該他の端末機と連動して特定の機能を実行することができる。
【０４６７】
ウォッチ型移動端末機３００と他の端末機との連動は、ウォッチ型移動端末機３００と他の端末機との間のデータ通信により行われるようにしてもよい。ウォッチ型移動端末機３００と他の端末機との間のデータ通信は様々な方式で行うことができる。例えば、前記データ通信は、ブルートゥース、ＲＦＩＤ、ＩｒＤＡ、ＵＷＢ、ＺｉｇＢｅｅ、ＮＦＣ、Ｗｉ−Ｆｉ、Ｗｉ−Ｆｉダイレクト、ワイヤレスＵＳＢの少なくとも１つの技術を用いて行うことができる。
【０４６８】
以下、ウォッチ型移動端末機へのユーザモーションを用いてウォッチ型移動端末機とそれに連動する他の端末機間で特定の機能を制御する方法について添付図面を参照してより具体的に説明する。図２６Ａ、図２６Ｂ、図２７Ａ及び図２７Ｂは本発明の他の実施形態によるウォッチ型移動端末機へのユーザモーションを用いて他の端末機を制御する方法を説明するための概念図である。
【０４６９】
本発明によるウォッチ型移動端末機においては、ウォッチ型移動端末機又は当該ウォッチ型移動端末機に連動する他の端末機にインストールされたアプリケーションにおいてイベントが発生すると、それに対応するイベント情報を図２６Ａの（ｂ）に示すように出力することができる。また、ウォッチ型移動端末機の制御部１８０は、図２６Ａの（ｃ）に示すようなウォッチ型移動端末機へのユーザモーションに対応して、図２６Ａの（ｄ）に示すように、発生したイベントに関する詳細情報を出力することができる。
【０４７０】
ここで、前記ウォッチ型移動端末機へのユーザモーションは、移動端末機に備えられた加速度センサ、又は端末機本体の側面に備えられた圧力センサやタッチセンサなどにより検知されるものであってもよい。なお、前記ウォッチ型移動端末機へのユーザモーションを検知するセンサの種類は、前記列挙したセンサに限定されるものではない。
【０４７１】
一方、前記ウォッチ型移動端末機の制御部１８０は、複数のアプリケーションにおいてイベントが発生し、図２６Ａの（ｃ）に示すように、複数のアプリケーションにそれぞれ対応する複数のイベント情報９１０、９２０、９３０が出力された状態で、前記ウォッチ型移動端末機に所定のユーザモーションが行われると、図２６Ａの（ｄ）に示すように、複数のイベント情報９１０、９２０、９３０のいずれかの詳細情報９４０を出力するようにしてもよい。また、制御部１８０は、いずれかの詳細情報９４０が出力された状態で、前記ウォッチ型移動端末機に前記ユーザモーションが再び行われると、他のイベント情報の詳細情報を出力するようにしてもよい。制御部１８０は、前記ユーザモーションが行われる毎に詳細情報を順次切り替えて出力するようにしてもよい。
【０４７２】
このように、詳細情報が出力された状態で前記ウォッチ型移動端末機に前記ユーザモーションが再び行われると、制御部１８０は、前記複数のアプリケーションにそれぞれ対応する複数のイベント情報のうち、詳細情報が出力されていないイベント情報の詳細情報を出力することができる。制御部１８０は、イベントの発生時点を基準として詳細情報の出力順序を決定するようにしてもよい。例えば、制御部１８０は、直近に発生したイベントに対応する詳細情報を優先して出力するようにしてもよく、最初に発生したイベントに対応する詳細情報を優先して出力するようにしてもよい。また、制御部１８０は、アプリケーションの使用頻度を基準として、使用頻度の高いものから詳細情報の出力順序を決定するようにしてもよい。
【０４７３】
一方、前記ウォッチ型移動端末機の制御部１８０は、複数のアプリケーションにおいてイベントが発生し、図２６Ａの（ｃ）に示すように、複数のアプリケーションにそれぞれ対応する複数のイベント情報が出力された状態で、前記ウォッチ型移動端末機に所定のユーザモーションが行われると、他の端末機において最後に用いられたアプリケーションに対応する詳細情報を先に出力するようにしてもよい。
【０４７４】
例えば、図２６Ａの（ａ）に示すように、他の端末機においてメッセンジャーアプリケーションが最後に用いられた場合、前記ウォッチ型移動端末機の制御部１８０は、図２６Ａの（ｃ）に示すような前記ウォッチ型移動端末機へのユーザモーションに対応して、図２６Ａの（ｄ）に示すように、前記メッセンジャーアプリケーションにおいて発生したイベントに関する詳細情報を出力するようにしてもよい。
【０４７５】
一方、前記ウォッチ型移動端末機の制御部１８０は、他の端末機にインストールされたアプリケーションに関してイベントが発生すると、前記他の端末機がロック状態の場合に限り、前記他の端末機において発生したイベント情報を前記ウォッチ型移動端末機に出力するようにしてもよい。この場合、前記他の端末機の制御部は、前記他の端末機がロック状態からロック解除状態に切り替えられると、図２６Ｂに示すように、前記イベントが発生したアプリケーションの画面情報（又は実行画面）を優先して出力する。ここで、前記画面情報は、前記発生したイベントに関する情報を含む。また、前記ウォッチ型移動端末機の制御部１８０は、前記他の端末機において発生したイベントが複数の場合、前記ウォッチ型移動端末機において最後に出力された詳細情報に対応するアプリケーションの画面情報を出力するか、又は前記ウォッチ型移動端末機に現在出力されている詳細情報に対応するアプリケーションの画面情報を出力するようにしてもよい。このように、いずれのアプリケーションの画面情報を先に出力するかは多様に変更可能である。
【０４７６】
他の例として、前記ウォッチ型移動端末機の制御部１８０は、複数のアプリケーションにおいてイベントが発生し、図２６Ａの（ｃ）に示すように、複数のアプリケーションにそれぞれ対応する複数のイベント情報が出力された場合、図２６Ａの（ｄ）に示すように、ユーザにより選択されたイベント情報の詳細情報を出力するようにしてもよい。この場合、前記他の端末機の制御部は、前記他の端末機がロック状態からロック解除状態に切り替えられると、図２６Ｂに示すように、前記ユーザにより選択されたイベント情報に対応するアプリケーションの画面情報を出力する。ここで、前記画面情報は、前記発生したイベントに関する情報を含む。
【０４７７】
また、本発明によるウォッチ型移動端末機においては、ウォッチ型移動端末機へのユーザモーションに対応して、アプリケーションの動作を制御することができる。
【０４７８】
一例として、図２７Ａの（ａ）に示すように、音楽が再生されていない状態で、図２７Ａの（ｂ）に示すように、ウォッチ型移動端末機に音楽再生に関する所定のユーザモーション（例えば、ウォッチ型移動端末機の本体を所定回数だけ叩くタップモーション）が行われると、制御部１８０は、図２７Ａの（ｃ）に示すように、音楽を再生するようにしてもよい。ここで、制御部１８０は、音楽再生に関するアプリケーションがバックグラウンドで起動されている場合にのみ、前記ユーザモーションに対応して音楽再生機能を実行するようにしてもよい。また、制御部１８０は、音楽再生に関するアプリケーションがバックグラウンドで起動されていない場合にも、前記ユーザモーションが行われると音楽再生に関するアプリケーションを実行して音楽を再生するようにしてもよい。
【０４７９】
他の例として、図２７Ｂの（ａ）に示すように、音楽が再生されている状態で、図２７Ｂの（ｂ）に示すように、ウォッチ型移動端末機に所定のユーザモーション（例えば、ウォッチ型移動端末機の本体を所定回数だけ叩くタップモーション）が行われると、制御部１８０は、図２７Ｂの（ｃ）に示すように、音楽再生に関するアプリケーションを制御することにより、現在再生されている曲の再生が完了した場合に出力される次の曲を直ちに再生するようにしてもよい。
【０４８０】
以上の実施形態においては、音楽再生に関するアプリケーションを例に説明したが、本発明は、これに限定されるものではなく、様々な機能のアプリケーションをユーザモーションに基づいて制御することができる。
【０４８１】
以上のように、本発明においては、ウォッチ型移動端末機へのユーザモーションを用いて、ウォッチ型移動端末機で実行可能な機能を制御することができる。よって、ユーザは、ウォッチ型移動端末機にタッチや音声による制御命令を与えるのではなく、端末機を叩く簡単な動作だけで、ウォッチ型移動端末機で実行可能な機能を制御することができる。
【０４８２】
以上説明したように、本発明による移動端末機においては、移動端末機へのユーザモーションを検知する様々な方法を用いて、所定のユーザモーションに対応する制御を行うことができる。
【０４８３】
以下、移動端末機へのユーザモーション、とりわけ移動端末機の背面への所定のユーザモーションを用いて既に発生したイベントに関する制御を行う方法について添付図面を参照してより具体的に説明する。本発明は本発明の思想や必須特徴を逸脱しない範囲で様々な特定の形態に具体化できることは当業者にとって自明である。
【０４８４】
図２８Ａ及び図２８Ｂは本発明のさらに他の実施形態による移動端末機の制御方法を示すフローチャートである。
【０４８５】
図２８Ａを参照すると、まず、本発明のさらに他の実施形態による移動端末機においては、移動端末機１００のディスプレイ部１５１に第１画面情報を出力するステップ（Ｓ２８１０）が行われる。
【０４８６】
ここで、第１画面情報とは、ディスプレイ部１５１に出力できる任意の視覚情報を意味する。例えば、前記第１画面情報は、ホームスクリーンや、アプリケーションの実行によりディスプレイ部１５１に表示される実行画面などであり得る。
【０４８７】
次に、移動端末機１００の端末機本体の背面（もしくは背面カバー１０３）への所定のユーザモーションを検知するステップ（Ｓ２８２０）が行われる。ここで、所定のユーザモーションは、前述したように、タップ又はタップジェスチャーに該当する、前記端末機本体（とりわけ背面）を叩くジェスチャーに設定されてもよい。所定のユーザモーションの検知は、前述したように、タッチセンサ、加速度センサ、カメラセンサ及び赤外線センサの少なくとも１つを活用して行うことができる。
【０４８８】
より具体的には、タップとは、指などのタップ手段で前記端末機本体を軽く叩く動作、又は指などのタップ手段を前記端末機本体に接触させる動作をいう。
【０４８９】
このようなタップを行うタップ手段は、前記端末機本体に外力を加えることのできるものであり、例えば指、スタイラスペン、ペン、ポインタ、拳などである。なお、前記タップ手段は、本発明による移動端末機にタッチ入力を行うことのできるものに限定されるものではなく、前記端末機本体又はオブジェクトに外力を加えることのできるものであればその種類は問わない。
【０４９０】
一方、前記タップに該当する所定のユーザモーションを検知するステップにおいては、少なくとも２回のタップが基準時間内に行われた場合に限り、移動端末機の制御を目的とする「タップ」が検知されたと判断するようにしてもよい。
【０４９１】
よって、制御部１８０は、検知部１４０により、少なくとも２回（又は複数回）のタップが基準時間内に連続的に行われた場合に限り、１つ又は複数の機能を制御するための「タップ」が検知されたと判断するようにしてもよい。
【０４９２】
すなわち、少なくとも２回のタップジェスチャーが基準時間内に連続的に検知されることを「タップジェスチャー」という。よって、以下で「タップ」が検知されたということは、前記端末機本体が複数回叩かれることが検知されたことを実質的に意味する。
【０４９３】
また、制御部１８０は、前記タップが前記基準時間内に検知され、かつ前記タップが「所定領域」内で行われた場合に限り、「タップ」が検知されたと判断するようにしてもよい。例えば、前記タップは、前記基準時間内に所定領域内で連続的に検知される複数回の叩くジェスチャーを意味するようにしてもよい。
【０４９４】
一方、前記基準時間は、非常に短い時間であってもよい。また、前記所定領域は、前記タップジェスチャーが行われる地点が同一地点であるか又は同一地点とみなされる狭い領域であってもよい。
【０４９５】
このために、検知部１４０により前記端末機本体への最初の叩くジェスチャーが検知されると、検知部１４０は、前記最初の叩くジェスチャーが検知された地点から所定領域を算出するようにしてもよい。また、前記最初の叩くジェスチャーが検知された時間から基準時間内に、前記所定領域に前記最初の叩くジェスチャーに続いて次の叩くジェスチャーが検知されると、検知部１４０又は制御部１８０は、タップが検知されたと判断するようにしてもよい。
【０４９６】
一方、前述した基準時間及び所定領域は、実施形態によって様々に変形することができる。
【０４９７】
このように、複数回のタップが検知された場合にそれを制御命令として認識したり、所定領域内で複数回のタップが検知された場合にそれを制御命令として認識するのは、移動端末機の背面へのユーザのタップが移動端末機の制御を意図するものであるかを判断するためである。すなわち、制御部１８０は、複数回のタップが検知された場合又は所定領域内で複数回のタップが検知された場合、それを移動端末機の制御のためのユーザモーションと判断することができる。よって、ユーザが誤って移動端末機を叩いたり移動端末機の制御を目的としないで移動端末機を叩いた場合のユーザモーションは制御命令として処理しないことにより、ユーザの意図をより忠実に反映して移動端末機の動作を制御することができる。
【０４９８】
一方、本発明による移動端末機においては、前述したように、加速度センサ又は移動端末機の背面に備えられたタッチセンサにより、移動端末機の背面へのタップを検知するようにしてもよい。
【０４９９】
加速度センサを活用する場合、制御部１８０は移動端末機の背面を叩くタップを検知することができ、タッチセンサを活用する場合、制御部１８０は移動端末機の背面を叩くタップに加えて移動端末機の背面へのタッチを検知することができる。ここで、制御部１８０は、移動端末機の背面へのシングルタッチ、ダブルタッチ、ロングタッチ、フリック、スワイプなどの様々な方式のタッチに該当するユーザモーションを検知することができる。なお、タッチセンサは、移動端末機の背面全体に備えられてもよく、移動端末機の背面の一部にのみ備えられてもよい。
【０５００】
一方、本発明による移動端末機は、加速度センサ又はタッチセンサによりタップを検知するために、ロック状態でも最小限の電流又は電力が消費される特定モードで動作するようにしてもよい。当該特定モードは「ドーズモード」という。つまり、本発明による移動端末機においては、ディスプレイ部１５１の照明がオフになった状態又はドーズモードで、端末機本体へのタップ又はそのタップに対応するタッチを検知することができる。
【０５０１】
また、本発明による移動端末機においては、移動端末機の端末機本体へのタップを検知するために、加速度センサ及びタッチセンサのいずれか一方を用いてもよく、加速度センサ及びタッチセンサを順次用いてもよく、加速度センサ及びタッチセンサを同時に用いてもよい。なお、タッチセンサによりタップを検知する場合、タップ位置をより正確に把握することができる。
【０５０２】
このように、前記端末機本体、とりわけ背面への所定のユーザモーションが検知されると、既に発生したイベントに関する制御を行うステップ（Ｓ２８３０）が行われる。
【０５０３】
ここで、イベントが発生したということは、移動端末機のステータスバーに出力されるイベントが発生したことを意味する。このようなイベントとしては、メール受信、不在着信、アラーム、スケジュール通知、電子メール受信、アプリケーションによる情報受信などがある。
【０５０４】
また、既に発生したイベントに関する制御としては、既に発生したイベントに関する情報の出力などがある。例えば、端末機本体の背面へのダブルタップ入力が検知されると、ディスプレイ部１５１に出力されていた第１画面情報が既に発生したメール受信に関する画面情報に切り替えられる。
【０５０５】
以上説明したように、本発明による移動端末機においては、端末機本体の背面への所定のユーザモーションに対応して、既に発生したイベントに関する制御を行うことができる。また、本発明による移動端末機においては、端末機本体に備えられたセンサの他にも、カバー２００に備えられたセンサを用いて、端末機本体の背面への所定のユーザモーションを検知することができる。
【０５０６】
制御部１８０は、カバー２００、とりわけカバー前面部２２０が端末機本体の背面を覆った状態で、ウィンドウ部２４０の縁部に配置された赤外線センサにより所定のユーザモーションを検知することができる。より具体的には、ウィンドウ部２４０の縁部に配置された赤外線センサは、ウィンドウ部２４０の内側に接近するオブジェクト又はウィンドウ部２４０の周辺に存在するオブジェクトを、電磁界の力又は赤外線などを利用して検出することができる。一方、ウィンドウ部２４０に備えられた赤外線センサは、カバー２００が前記端末機本体の背面を覆った状態で、前記端末機本体の背面への所定のユーザモーションを検知することができる。
【０５０７】
制御部１８０は、このようにカバー２００に配置されたセンサにより前記端末機本体の背面への所定のユーザモーションが検知されると、既に発生したイベントに関する制御を行う。
【０５０８】
一方、制御部１８０は、カバー前面部２２０が前記端末機本体の背面（もしくは背面カバー１０３）を覆った状態又はカバー前面部２２０がカバー背面部２１０と重なるように回転した状態で、ウィンドウ部２４０の内側への所定のユーザモーションを検知することができるが、制御部１８０は、カバー前面部２２０が前記端末機本体の背面（もしくは背面カバー１０３）を覆った状態又はカバー前面部２２０がカバー背面部２１０を覆った状態で、カバー２００に備えられたセンサをアクティブにし、所定のユーザモーションを検知することができる。前述したように、カバー２００に備えられたセンサは移動端末機から供給される電源により動作するので、カバー２００に備えられたセンサに常に動作電源を供給する場合、ユーザモーションを検知しなくてもよい状況での不要な電源消費が発生することになる。よって、本発明においては、カバー２００が前記端末機本体の背面を覆った状態で、前記端末機本体の背面への所定のユーザモーションを検知し、既に発生したイベントに関する制御を行う制御方法を提案する。
【０５０９】
このために、本発明による移動端末機においては、図２８Ｂに示すように、まず、カバー２００、とりわけカバー前面部２２０が移動端末機１００の端末機本体の背面（もしくは背面カバー１０３）を覆った状態であるか否かを検知するステップ（Ｓ２８２２）が行われる。ここで、「カバーが背面を覆った状態」とは、カバー前面部２２０が前記端末機本体の背面（もしくは背面カバー１０３）を覆った状態又はカバー前面部２２０がカバー背面部２１０と重なるように回転した状態を意味する。
【０５１０】
一方、カバー前面部２２０が端末機本体の背面（もしくは背面カバー１０３）を覆った状態は様々な方法で検知することができる。一例として、カバー２００には、カバー２００が前記端末機本体の前面又は背面を覆った状態を検知できるように少なくとも１つのマグネットが取り付けられ、前記端末機本体には、前記マグネットに対応する少なくとも１つのホール効果素子が備えられてもよい。
【０５１１】
制御部１８０は、前記ホール効果素子による前記マグネットにより形成される磁場の検知を用いて、カバー２００が前記背面を覆った状態であるか前記前面を覆った状態であるかを判断することができる。
【０５１２】
ここで、制御部１８０は、前記ホール効果素子及び前記マグネットにより、カバー前面部２２０が前記端末機本体の前面を覆った状態であるか前記端末機本体の前面を覆っていない状態であるかを検知し、カバー前面部２２０が前記端末機本体の前面を覆っていない状態の場合は、カバー前面部２２０が前記端末機本体の背面を覆った状態とみなすことができる。
【０５１３】
前記端末機本体に前記ホール効果素子が複数備えられた場合、制御部１８０は、カバー前面部２２０が前記端末機本体の前面を覆った状態であるか前記端末機本体の背面を覆った状態であるかをそれぞれ判別することができる。
【０５１４】
他の例として、カバー２００は、前記端末機本体の背面に取り付けられるカバー背面部２１０と、カバー背面部２１０に回転可能に連結されてウィンドウ部２４０が配置されるカバー前面部２２０とを備え、カバー２００が前記端末機本体の背面を覆った状態を検知するように、カバー背面部２１０及びカバー前面部２２０のいずれか一方にはマグネットが取り付けられ、他方には前記マグネットの磁場を検知するホール効果素子が取り付けられてもよい。よって、制御部１８０は、カバー２００に配置されたマグネット及びホール効果素子により形成される磁場に対応する信号に基づいて、カバー前面部２２０が前記端末機本体の背面を覆った状態であるか否かを検知することができる。
【０５１５】
本発明による移動端末機において、カバー前面部が端末機本体の背面を覆った状態を検知する方法は、前述した方法に限定されるものではなく、様々な方法を適用することができる。
【０５１６】
一方、以上説明したようにカバー２００が端末機本体の背面を覆った状態が検知されると、カバー２００に備えられたセンサをアクティブにするステップ（Ｓ２８２４）が行われる。
【０５１７】
ここで、「カバーに備えられたセンサをアクティブにする」とは、「カバーに備えられたセンサに動作電源を供給する」、「ユーザモーションを検知できるようにカバーに備えられたセンサをアクティブにする」、又は「カバーに備えられたセンサをスリープモードから動作モードに切り替える」ことを意味する。例えば、カバーに備えられたセンサは移動端末機から供給される電源により動作するので、制御部１８０は、カバー前面部２２０が端末機本体の背面を覆った状態でのみ、カバー２００に備えられたセンサがユーザモーションを検知できるように、カバー２００に備えられたセンサに動作電源を供給するようにしてもよい。これにより、カバー２００に備えられたセンサに動作電源が供給され続けることによる、ユーザモーションを検知しなくてもよい状況での不要な電源消費を防止することができる。
【０５１８】
一方、このようにカバー２００に備えられたセンサがアクティブになった状態で、カバー２００に備えられたセンサを用いて端末機本体の背面への所定のユーザモーションを検知するステップ（Ｓ２８２６）が行われる。ここで、ユーザモーションは、カバー前面部２２０に配置されたウィンドウ部２４０を通じて前記端末機本体の背面に対して行われる。前述したように、カバー２００に配置されたセンサは、ウィンドウ部２４０の外周に沿って互いに離隔し、ウィンドウ部２４０の内側を向くように配置されることにより、ウィンドウ部２４０の内側への所定のユーザモーションを検知することができる。
【０５１９】
また、カバー２００に配置されたセンサは、端末機本体の背面を叩くタップ、タップの回数、タップが行われた位置、タップを加えたタップ手段（例えば、指）の数、タップの維持時間などを検知することができる。より具体的には、前述したようにカバー２００に複数の赤外線センサが配置されることにより、端末機本体の背面に対して行われたタップの位置を検知することができる。さらに、制御部１８０は、カバー２００に配置された複数のセンサを用いて様々なユーザモーションを検知することができる。例えば、カバー２００に配置された複数のセンサにより、ドラッグモーション、フリックモーション、スワイプモーションなど、シングルタップ又はダブルタップのタップモーションの他にも、様々な方式のユーザモーションを検知することができる。これにより、制御部１８０は、様々な方式のユーザモーションを用いてさらに様々な制御を行うことができる。すなわち、既に発生したイベントに関する制御を行わせるユーザモーションを様々な方式で予め設定することができる。
【０５２０】
一方、このようにカバー２００に備えられたセンサを用いて前記端末機本体の背面への所定のユーザモーションが検知されると、ディスプレイ部１５１に出力されていた第１画面情報を既に発生したイベントに関する第２画面情報に切り替えるステップ（Ｓ２８３２）が行われる。
【０５２１】
ここで、イベントが発生したということは、前述したように、移動端末機のステータスバーに出力されるイベントが発生したことを意味する。このようなイベントとしては、メール受信、不在着信、アラーム、スケジュール通知、電子メール受信、アプリケーションによる情報受信などがある。
【０５２２】
例えば、ウィンドウ部２４０の内側を通じて端末機本体の背面に対してタップが行われると、ウェブアプリケーションの実行画面（第１画面情報）が受信メールを示す画面（第２画面情報）に切り替えられる。
【０５２３】
以上説明したように、本発明による移動端末機においては、端末機本体に備えられたセンサ又はカバーに備えられたセンサの少なくとも１つを活用して、端末機本体の背面への所定のユーザモーションを検知し、既に発生したイベントに関する制御を行うことができる。
【０５２４】
以下、端末機本体の背面への所定のユーザモーションに対応して、既に発生したイベントに関する制御を行う具体例について説明する。
【０５２５】
図２９及び図３０は本発明のさらに他の実施形態による移動端末機における端末機の背面への所定のユーザモーションを用いて既に発生したイベントに関する情報を出力する方法を説明するための概念図である。
【０５２６】
以下、端末機本体にカバー２００が結合された場合、カバー２００に備えられたセンサにより前記端末機本体の背面への所定のユーザモーションを検知する方法について例を挙げて説明するが、以下に説明する例は端末機本体に備えられたセンサにより前記端末機本体の背面への所定のユーザモーションを検知する場合にも同様に適用できることは当業者にとって自明である。よって、以下の実施形態に関して、端末機本体に備えられたセンサにより前記端末機本体の背面への所定のユーザモーションを検知する場合についての説明は省略する。
【０５２７】
前述したように、制御部１８０は、端末機本体の背面（又はカバー２００に備えられたセンサ）への所定のユーザモーションの検知に基づいて、既に発生したイベントに関する情報を出力することができる。
【０５２８】
具体的には、制御部１８０は、端末機本体の背面（又はカバー２００に備えられたセンサ）への所定のユーザモーションの検知に基づいて、ディスプレイ部１５１に出力されていた第１画面情報を既に発生したイベントに関する第２画面情報に切り替えることができる。
【０５２９】
図２９の（ａ）を参照すると、ディスプレイ１５１には第１画面情報２９１０が出力されている。前述したように、第１画面情報２９１０とは、ディスプレイ部１５１に出力できる任意の視覚情報を意味する。例えば、第１画面情報２９１０は、移動端末機のホームスクリーンであってもよい。
【０５３０】
また、第１画面情報２９１０は、第１アプリケーションに対応するものであってもよい。ここで、第１アプリケーションとは、移動端末機にインストールされた複数のアプリケーションのうち任意のアプリケーションを意味する。前記第１アプリケーションは、前記複数のアプリケーションのうちユーザにより選択されて実行されたアプリケーションであってもよい。さらに、第１画面情報２９１０は、前記第１アプリケーションの実行画面であってもよい。すなわち、前記第１アプリケーションが実行されてディスプレイ部１５１に表示される画面情報をまとめて第１画面情報２９１０という。
【０５３１】
例えば、ウェブブラウザアプリケーションが実行された場合、前記ウェブブラウザアプリケーションの画面情報２９１０がディスプレイ部１５１に出力される。
【０５３２】
一方、所定のユーザモーションが検知される前にイベントが発生し得る。ここで、イベントは、移動端末機のステータスバーに出力されるものと定義される。このようなイベントとしては、メール受信、不在着信、アラーム、スケジュール通知、電子メール受信、アプリケーションによる情報受信などがある。
【０５３３】
前記イベントは、第１画面情報２９１０が出力される前又は後に発生したものであり得る。例えば、前記第１アプリケーションの実行前又は実行後にメール受信イベントが発生した場合、ステータスバーにはメールが受信されたことを示すアイコン２９２０が出力されるようにしてもよい。
【０５３４】
図２９の（ｂ）を参照すると、前記第１アプリケーションの第１画面情報２９１０が出力され、イベントが発生した状態で、所定のユーザモーションが受信される。
【０５３５】
ここで、所定のユーザモーションは、端末機本体の背面へのタップであってもよい。前記ユーザモーションは、カバー２００に配置されたセンサにより検知されるようにしてもよい。例えば、前記ユーザモーションは、ウィンドウ部２４０の内側を複数回叩くタップモーションに設定されてもよい。
【０５３６】
これは一例にすぎず、ユーザモーションは様々な方式に設定することができる。すなわち、他の例として、ユーザモーションは、ウィンドウ部２４０の内側における特定方向のドラッグモーションに設定されてもよく、ウィンドウ部２４０の内側の特定又は任意の領域を１回又は複数回叩くタップモーションに設定されてもよい。
【０５３７】
前記所定のユーザモーションが検知されると、図２９の（ｃ）に示すように、第１画面情報２９１０が既に発生したイベントに関する第２画面情報２９３０に切り替えられる。
【０５３８】
一例として、図２９の（ｂ）に示すように、ウィンドウ部２４０の内側を複数回叩くタップモーションが検知されると、図２９の（ａ）に示すようなウェブブラウザアプリケーションの実行画面（第１画面情報）２９１０が、前記タップモーションが検知される前に受信されたメールを示す受信メール画面（第２画面情報）２９３０に切り替えられるようにしてもよい。すなわち、ステータスバーに出力されていたアイコン２９２０に対応する受信メール画面２９３０に切り替えられ、このために、メールアプリケーションが実行される。
【０５３９】
また、第１画面情報２９１０から第２画面情報２９３０に切り替える方式は様々に設定することができる。例えば、第２画面情報２９３０は、第１画面情報２９１０が出力されている画面上にポップアップ表示されるようにしてもよい。あるいは、第２画面情報２９３０は、第１画面情報２９１０の上位レイヤとして徐々に表示されるようにしてもよい。
【０５４０】
一方、制御部１８０は、ディスプレイ部１５１に第２画面情報２９３０が出力された状態で、端末機本体の背面（又はカバー２００に備えられたセンサ）への所定のユーザモーションの検知に基づいて、第２画面情報２９３０を第１画面情報２９１０に再び切り替えることができる。すなわち、切り替えられた画面情報を戻すことができる。
【０５４１】
切り替えられた画面情報を戻すためのユーザモーションは、前述した画面情報を切り替えるためのユーザモーションと同一のモーションに設定されてもよく、異なるモーションに設定されてもよい。
【０５４２】
一例として、図２９の（ｃ）に示すように受信メール画面２９３０が出力された状態で、再び図２９の（ｂ）に示すようなウィンドウ部２４０の内側を複数回叩くタップモーションが検知されると、再び図２９の（ａ）に示すようなウェブブラウザアプリケーションの実行画面２９１０に切り替えられるようにしてもよい。
【０５４３】
他の例として、図２９の（ｃ）に示すように受信メール画面２９３０が出力された状態で、図２９の（ｂ）に示すようなウィンドウ部２４０の内側を複数回叩くタップモーションとは異なるモーションに予め設定された第１ユーザモーションが検知されると、再び図２９の（ａ）に示すようなウェブブラウザアプリケーションの実行画面２９１０に切り替えられるようにしてもよい。
【０５４４】
具体的には、前記第１ユーザモーションは、ウィンドウ部２４０の内側における特定方向のドラッグモーションに設定されてもよく、ウィンドウ部２４０の内側の特定又は任意の領域を１回又は複数回叩くタップモーションに設定されてもよい。
【０５４５】
ここで、再び図２９の（ａ）に示すようなウェブブラウザアプリケーションの実行画面２９１０に切り替えられると、前記ステータスバーに出力されていたメールを確認した状態となるので、前記ステータスバーに出力されていたアイコン２９２０は消える。
【０５４６】
一方、制御部１８０は、端末機本体の背面（又はカバー２００に備えられたセンサ）への所定のユーザモーションの検知に基づいて、既に発生したイベントに対応するアイコンを出力し、前記アイコンが出力された状態で所定時間が経過すると、第１画面情報を既に発生したイベントに関する第２画面情報に切り替えるようにしてもよい。
【０５４７】
また、前記第１画面情報が前記第２画面情報に切り替えられると、前記既に発生したイベントに対応するアイコンの出力を終了するようにしてもよい。
【０５４８】
図３０の（ａ）を参照すると、図２９の（ａ）と同様に、ウェブブラウザアプリケーションが実行され、前記ウェブブラウザアプリケーションの画面情報２９１０がディスプレイ部１５１に出力されている。
【０５４９】
前記ウェブブラウザアプリケーションの実行前又は実行後にメール受信イベントが発生した場合、ステータスバーにはメールが受信されたことを示すアイコン２９２０が出力されるようにしてもよい。
【０５５０】
図３０の（ｂ）を参照すると、図２９の（ｂ）と同様に、ウィンドウ部２４０の内側を複数回叩く所定のタップモーションが受信される。
【０５５１】
前記所定のタップモーションが受信されると、図３０の（ｃ）に示すように、前記既に発生したメール受信イベントに対応するアイコン２９５０が出力される。
【０５５２】
一例として、ウェブブラウザアプリケーションの画面情報２９１０の一領域に上位レイヤ２９４０がポップアップ方式又は特定方向に表示される方式で出力され、上位レイヤ２９４０に既に発生したメール受信イベントに対応するアイコン２９５０が出力されるようにしてもよい。
【０５５３】
既に発生したメール受信イベントに対応するアイコン２９５０は、メールが受信されたことを示すオブジェクトであり、イベントの属性を示すように設定される。
【０５５４】
例えば、メール受信イベントの場合、アイコン２９５０は、メールアプリケーションのアイコンに設定されてもよい。すなわち、メールアプリケーションの実行のためにディスプレイ１５１に表示されるアイコンと同一に設定されてもよい。また、アイコン２９５０は、メール受信の属性を示すオブジェクトであり、手紙などの形状に設定されてもよい。
【０５５５】
図３０の（ｃ）に示すようにアイコン２９５０が出力された状態で所定時間が経過すると、図３０の（ｄ）に示すように、前記ウェブブラウザアプリケーションの画面情報２９１０が受信メールを示す画面情報２９３０に切り替えられるようにしてもよい。
【０５５６】
例えば、前記所定時間は、１秒〜２秒以内の非常に短い時間に設定され、前記所定時間が経過すると、ウェブブラウザアプリケーションの画面情報２９１０の上位レイヤとして、受信メールを示す画面情報２９３０が徐々に表示されるようにしてもよい。
【０５５７】
一例として、ウェブブラウザアプリケーションの画面情報２９１０が受信メールを示す画面情報２９３０に切り替えられると、上位レイヤ２９４０とアイコン２９５０が消えるようにしてもよい。
【０５５８】
他の例として、ウェブブラウザアプリケーションの画面情報２９１０が受信メールを示す画面情報２９３０に切り替えられている途中で、上位レイヤ２９４０とアイコン２９５０が消えるようにしてもよい。
【０５５９】
一方、制御部１８０は、前記既に発生したイベントが複数の場合、端末機本体の背面への所定のユーザモーションの検知に基づいて、前記既に発生した複数のイベントにそれぞれ対応する複数のアイコンを出力するようにしてもよい。
【０５６０】
また、制御部１８０は、前記既に発生した複数のイベントにそれぞれ対応する複数のアイコンを出力し、前記複数のアイコンが出力された状態で所定時間が経過すると、前記第１画面情報を前記既に発生した複数のイベントのうち所定の基準を満たすイベントに関する第２画面情報に切り替えるようにしてもよい。
【０５６１】
例えば、前記所定の基準は、イベントの発生時間に関するものであってもよい。よって、制御部１８０は、前記第１画面情報を前記既に発生した複数のイベントのうち直近に発生したイベントに関する画面情報に切り替えることができる。
【０５６２】
また、前記第１画面情報が前記第２画面情報に切り替えられると、前記既に発生した複数のイベントにそれぞれ対応する複数のアイコンの出力を終了するようにしてもよい。
【０５６３】
図３１、図３２及び図３３は本発明のさらに他の実施形態による移動端末機における端末機の背面への所定のユーザモーションを用いて既に発生した複数のイベントのうち所定の基準を満たすイベントに関する情報を出力する方法を説明するための概念図である。
【０５６４】
図３１の（ａ）を参照すると、ウェブブラウザアプリケーションが実行された場合、前記ウェブブラウザアプリケーションの画面情報２９１０がディスプレイ部１５１に出力される。
【０５６５】
また、前記ウェブブラウザアプリケーションの実行前又は実行後にメール受信イベントが発生した場合、ステータスバーにはメールが受信されたことを示すアイコン２９２０が出力される。さらに、ＳＮＳメッセージ受信イベントが発生した場合、メールが受信されたことを示すアイコン２９２０の左側にはＳＮＳメッセージが受信されたことを示すアイコン１０１０が出力される。
【０５６６】
図３１の（ｂ）を参照すると、図３１の（ａ）の状態でウィンドウ部２４０の内側を複数回叩く所定のタップモーションが受信される。すると、既に発生した複数のイベントにそれぞれ対応するアイコン１０１２、２９２２が出力される。
【０５６７】
一例として、前記ウェブブラウザアプリケーションの画面情報２９１０の一領域に上位レイヤ２９４０がポップアップ方式又は特定方向に表示される方式で出力され、上位レイヤ２９４０に既に発生したメール受信イベントに対応するアイコン２９２２とＳＮＳメッセージ受信イベントに対応するアイコン１０１２が出力されるようにしてもよい。
【０５６８】
ここで、上位レイヤ２９４０は不透明に設定してもよく、上位レイヤ２９４０を通じて前記ウェブブラウザアプリケーションの実行画面２９１０が見えるようにしてもよい。
【０５６９】
図３１の（ｂ）に示すように前記既に発生した複数のイベントにそれぞれ対応するアイコン１０１２、２９２２が出力された状態で所定時間が経過すると、図３１の（ｃ）及び（ｄ）に示すように、前記ウェブブラウザアプリケーションの実行画面２９１０が所定の基準を満たすイベントに関する画面情報１０１４に切り替えられるようにしてもよい。
【０５７０】
例えば、前記所定の基準は、イベントの発生時間に関するものであってもよい。よって、前記ウェブブラウザアプリケーションの実行画面２９１０を、メール受信イベントとＳＮＳメッセージ受信イベントのうち直近に発生したイベントであるＳＮＳメッセージ受信イベントに関する画面情報１０１４に切り替えることができる。あるいは、前記ウェブブラウザアプリケーションの実行画面２９１０を、メール受信イベントとＳＮＳメッセージ受信イベントのうち先に発生したイベントであるメール受信イベントに関する画面情報に切り替えることもできる。
【０５７１】
このとき、前記直近に発生したイベントであるＳＮＳメッセージ受信イベントに関する画面情報１０１４は、図３１の（ｃ）に示すように、前記ウェブブラウザアプリケーションの実行画面２９１０上に徐々に表示されるようにしてもよい。
【０５７２】
それにより、図３１の（ｄ）に示すように、前記ウェブブラウザアプリケーションの実行画面２９１０が、前記直近に発生したイベントであるＳＮＳメッセージ受信イベントに関する画面情報１０１４に切り替えられる。このとき、受信されたＳＮＳメッセージが確認されたので、前記ステータスバーに出力されていたＳＮＳメッセージ受信アイコン１０１０は消える。
【０５７３】
例えば、既に発生した複数のイベントにそれぞれ対応するアイコン１０１２、２９２２が出力されている上位レイヤ２９４０は、図３１の（ｃ）に示すように画面が切り替えられている途中で、その出力を終了するようにしてもよい。あるいは、上位レイヤ２９４０は、図３１の（ｄ）に示すように画面切替が終了した後に、その出力を終了するようにしてもよい。
【０５７４】
一方、制御部１８０は、前記第２画面情報（ＳＮＳメッセージ受信イベントに関する画面情報１０１４）が出力された状態で、前記所定のユーザモーションとは異なる第１ユーザモーションが検知されると、前記第２画面情報を再び前記第１画面情報（ウェブブラウザアプリケーションの実行画面２９１０）に切り替えるようにしてもよい。
【０５７５】
具体的には、前記第１ユーザモーションは、ウィンドウ部２４０の内側における特定方向のドラッグモーションに設定されてもよく、ウィンドウ部２４０の内側の特定又は任意の領域を１回又は複数回叩くタップモーションに設定されてもよい。
【０５７６】
前記第１ユーザモーションが検知されると、図３１の（ｄ）に示すようなＳＮＳメッセージ受信イベントに関する画面情報１０１４が再び図３１の（ａ）に示すようなウェブブラウザアプリケーションの実行画面２９１０に切り替えられる。ここで、前記ステータスバーに出力されていたメッセージを確認した状態であるので、前記ステータスバーに出力されていたＳＮＳメッセージが受信されたことを示すアイコン１０１０は消えている。
【０５７７】
一方、制御部１８０は、前記第２画面情報（ＳＮＳメッセージ受信イベントに関する画面情報１０１４）が出力された状態で、端末機本体の背面への所定のユーザモーションが再び検知されると、前記既に発生した複数のイベントのうち前記第２画面情報に関連するイベントを除く少なくとも１つのイベントにそれぞれ対応する少なくとも１つのアイコンを出力し、前記少なくとも１つのアイコンが出力された状態で所定時間が経過すると、前記第２画面情報を前記少なくとも１つのイベントのうち所定の基準を満たすイベントに関する第３画面情報に切り替えるようにしてもよい。
【０５７８】
図３２の（ａ）を参照すると、図３１の（ｄ）の状態、すなわち前記ウェブブラウザアプリケーションの実行画面２９１０が前記直近に発生したイベントであるＳＮＳメッセージ受信イベントに関する画面情報１０１４に切り替えられた状態で、ウィンドウ部２４０の内側を複数回叩く所定のタップモーションが再び受信される。
【０５７９】
前記所定のタップモーションが再び受信されると、図３２の（ｂ）に示すように、前記既に発生したイベントに対応するアイコン２９２２が再び出力される。
【０５８０】
一例として、ＳＮＳメッセージ受信イベントに関する画面情報１０１４の一領域に上位レイヤ２９４０がポップアップ方式又は特定方向に表示される方式で出力され、上位レイヤ２９４０に既に発生したメール受信イベントに対応するアイコン２９２２が出力されるようにしてもよい。このとき、上位レイヤ２９４０の出力は、画面の下方から上方に徐々に表示されるように行われてもよい。
【０５８１】
ここで、上位レイヤ２９４０は不透明に設定してもよく、上位レイヤ２９４０を通じてＳＮＳメッセージ受信イベントに関する画面情報１０１４が見えるようにしてもよい。
【０５８２】
図３２の（ｂ）に示すように前記既に発生したイベントに対応するアイコン２９２２が出力された状態で所定時間が経過すると、図３２の（ｃ）及び（ｄ）に示すように、ＳＮＳメッセージ受信イベントに関する画面情報１０１４（第２画面情報）がメール受信イベントに関する画面情報２９２４（第３画面情報）に切り替えられるようにしてもよい。
【０５８３】
このとき、メール受信イベントに関する画面情報２９２４は、図３２の（ｃ）に示すように、ＳＮＳメッセージ受信イベントに関する画面情報１０１４上に徐々に表示されるようにしてもよい。
【０５８４】
それにより、図３２の（ｄ）に示すように、ＳＮＳメッセージ受信イベントに関する画面情報１０１４がメール受信イベントに関する画面情報２９２４に切り替えられる。このとき、受信されたメールが確認されたので、前記ステータスバーに出力されていたメール受信アイコン２９２０は消える。
【０５８５】
例えば、既に発生したイベントに対応するアイコン２９２２が出力されている上位レイヤ２９４０は、図３２の（ｃ）に示すように画面が切り替えられている途中で、その出力を終了するようにしてもよい。あるいは、上位レイヤ２９４０は、図３２の（ｄ）に示すように画面切替が終了した後に、その出力を終了するようにしてもよい。
【０５８６】
一方、制御部１８０は、前記第３画面情報（メール受信イベントに関する画面情報２９２４）が出力された状態で、所定の第１ユーザモーションが検知されると、前記第３画面情報を前記第２画面情報（ＳＮＳメッセージ受信イベントに関する画面情報１０１４）に切り替えるようにしてもよい。
【０５８７】
また、制御部１８０は、前記第３画面情報（メール受信イベントに関する画面情報２９２４）が出力された状態で、所定の第２ユーザモーションが検知されると、前記第３画面情報を前記第１画面情報（ウェブブラウザアプリケーションの実行画面２９１０）に切り替えるようにしてもよい。
【０５８８】
具体的には、前記第１ユーザモーション及び前記第２ユーザモーションは、前記所定のユーザモーション、すなわちウィンドウ部２４０の内側を複数回叩く所定のタップモーションとは異なるモーションに設定される。また、前記第１ユーザモーションと前記第２ユーザモーションとが異なるモーションに設定される。
【０５８９】
例えば、前記第１ユーザモーション及び前記第２ユーザモーションは、異なるモーションに設定され、ウィンドウ部２４０の内側における特定方向のドラッグモーションに設定されてもよく、ウィンドウ部２４０の内側の特定又は任意の領域を１回又は複数回叩くタップモーションに設定されてもよい。
【０５９０】
図３２の（ｄ）の状態で前記第１ユーザモーションが検知されると、図３２の（ｄ）に示すメール受信イベントに関する画面情報２９２４が再び図３１の（ｄ）に示すＳＮＳメッセージ受信イベントに関する画面情報１０１４に切り替えられる。すなわち、その前に出力された画面に戻る。
【０５９１】
それに対して、図３２の（ｄ）の状態で前記第２ユーザモーションが検知されると、図３２の（ｄ）に示すメール受信イベントに関する画面情報２９２４が再び図３１の（ａ）に示すウェブブラウザアプリケーションの実行画面２９１０に切り替えられる。すなわち、最初に出力された画面に戻る。
【０５９２】
図３３の（ａ）及び（ｂ）を参照すると、図３２の（ｄ）に示すようにＳＮＳメッセージ受信イベントに関する画面情報１０１４がメール受信イベントに関する画面情報２９２４に切り替えられた状態で、ウィンドウ部２４０の内側を複数回叩く所定のタップモーションが再び加えられる。
【０５９３】
図３３の（ｂ）に示すように所定のタップモーションが再び加えられる前に既に発生したイベントがない場合、図３３の（ｃ）に示すように、それを通知するメッセージ１２１０が出力されるようにしてもよい。
【０５９４】
一例として、メール受信イベントに関する画面情報２９２４の一領域に上位レイヤ２９４０がポップアップ方式又は特定方向に表示される方式で出力され、上位レイヤ２９４０に通知イベントが発生していないことを示すメッセージ１２１０が出力されるようにしてもよい。このとき、上位レイヤ２９４０の出力は、画面の下方から上方に徐々に表示されるように行われてもよい。
【０５９５】
一方、制御部１８０は、既に発生した複数のイベントにそれぞれ対応する複数のアイコンのいずれかを選択するユーザモーションが検知されると、前記第１画面情報を前記選択されたアイコンに対応するイベントに関する画面情報に切り替えるようにしてもよい。
【０５９６】
図３４は本発明のさらに他の実施形態による移動端末機における端末機の背面への所定のユーザモーションを用いて既に発生した複数のイベントのうちユーザにより選択されたイベントに関する情報を出力する方法を説明するための概念図である。
【０５９７】
図３４の（ａ）を参照すると、図３１の（ａ）と同様に、ウェブブラウザアプリケーションが実行された場合、前記ウェブブラウザアプリケーションの画面情報２９１０がディスプレイ部１５１に出力される。
【０５９８】
また、前記ウェブブラウザアプリケーションの実行前又は実行後にメール受信イベントが発生した場合、ステータスバーにはメールが受信されたことを示すアイコン２９２０が出力される。さらに、ＳＮＳメッセージ受信イベントが発生した場合、メールが受信されたことを示すアイコン２９２０の左側にはＳＮＳメッセージが受信されたことを示すアイコン１０１０が出力される。
【０５９９】
図３４の（ｂ）を参照すると、図３４の（ａ）の状態でウィンドウ部２４０の内側を複数回叩く所定のタップモーションが受信される。すると、既に発生した複数のイベントにそれぞれ対応するアイコン１０１２、２９２２が出力される。
【０６００】
一例として、前記ウェブブラウザアプリケーションの画面情報２９１０の一領域に上位レイヤ２９４０がポップアップ方式又は特定方向に表示される方式で出力され、上位レイヤ２９４０に既に発生したメール受信イベントに対応するアイコン２９２２とＳＮＳメッセージ受信イベントに対応するアイコン１０１２が出力されるようにしてもよい。このとき、上位レイヤ２９４０の出力は、画面の下方から上方に徐々に表示されるように行われてもよい。
【０６０１】
ここで、上位レイヤ２９４０は不透明に設定してもよく、上位レイヤ２９４０を通じて前記ウェブブラウザアプリケーションの実行画面２９１０が見えるようにしてもよい。
【０６０２】
この状態で、ユーザは既に発生した複数のイベントにそれぞれ対応するアイコン１０１２、２９２２のいずれかを選択することができる。例えば、ユーザはメール受信イベントに対応するアイコン２９２２をショートタッチ（もしくはタップ）又はロングタッチして選択することができる。
【０６０３】
図３４の（ｃ）を参照すると、ウェブブラウザアプリケーションの実行画面２９１０上には、メール受信イベントに関する画面情報２９２４が徐々に表示されるようにしてもよい。
【０６０４】
それにより、図３４の（ｄ）に示すように、前記ウェブブラウザアプリケーションの実行画面２９１０がメール受信イベントに関する画面情報２９２４に切り替えられる。このとき、受信されたメールが確認されたので、前記ステータスバーに出力されていたメール受信アイコン２９２０は消え、ＳＮＳメッセージ受信アイコン１０１０のみ残る。
【０６０５】
例えば、既に発生した複数のイベントにそれぞれ対応するアイコン１０１２、２９２２が出力されている上位レイヤ２９４０は、図３４の（ｃ）に示すように画面が切り替えられている途中で、その出力を終了するようにしてもよい。あるいは、上位レイヤ２９４０は、図３４の（ｄ）に示すように画面切替が終了した後に、その出力を終了するようにしてもよい。
【０６０６】
すなわち、図３４の実施形態においては、前記既に発生した複数のイベントのうちユーザにより選択されたイベントに関する画面情報に画面切替を行うことができる。
【０６０７】
一方、制御部１８０は、前記既に発生した複数のイベントにそれぞれ対応する複数のアイコンと共に、所定の条件を満たす少なくとも１つのアプリケーションのアイコンが出力されるようにしてもよい。
【０６０８】
また、制御部１８０は、前記所定の条件を満たす少なくとも１つのアプリケーションのアイコンが出力された状態で、前記所定のユーザモーションとは異なるユーザモーションが検知されると、前記第１画面情報が前記所定の条件を満たす少なくとも１つのアプリケーションのいずれかに関する画面情報に切り替えられるようにしてもよい。
【０６０９】
図３５、図３６、図３７Ａ及び図３７Ｂは本発明のさらに他の実施形態による移動端末機における端末機の背面への所定のユーザモーションを用いて既に発生した複数のイベントのうち所定の基準を満たすイベントや最近実行されたアプリケーションに関する情報を出力する方法を説明するための概念図である。
【０６１０】
図３５の（ａ）を参照すると、ウェブブラウザアプリケーションが実行された場合、前記ウェブブラウザアプリケーションの画面情報２９１０がディスプレイ部１５１に出力される。
【０６１１】
また、前記ウェブブラウザアプリケーションの実行前又は実行後にメール受信イベントが発生した場合、ステータスバーにはメールが受信されたことを示すアイコン２９２０が出力される。さらに、ＳＮＳメッセージ受信イベントが発生した場合、メールが受信されたことを示すアイコン２９２０の左側にはＳＮＳメッセージが受信されたことを示すアイコン１０１０が出力される。
【０６１２】
図３５の（ｂ）を参照すると、図３５の（ａ）の状態でウィンドウ部２４０の内側を複数回叩く所定のタップモーションが受信される。すると、既に発生した複数のイベントにそれぞれ対応するアイコン１０１２、２９２２が出力される。
【０６１３】
このとき、前記既に発生した複数のイベントにそれぞれ対応するアイコン１０１２、２９２２と共に、最近実行されたアプリケーションのアイコン１４３０、１４４０が出力されるようにしてもよい。
【０６１４】
一例として、前記ウェブブラウザアプリケーションの画面情報２９１０の一領域に上位レイヤ２９４０がポップアップ方式又は特定方向に表示される方式で出力されるようにしてもよい。このとき、上位レイヤ２９４０の出力は、画面の下方から上方に徐々に表示されるように行われてもよい。
【０６１５】
ここで、上位レイヤ２９４０は不透明に設定してもよく、上位レイヤ２９４０を通じて前記ウェブブラウザアプリケーションの実行画面２９１０が見えるようにしてもよい。
【０６１６】
また、上位レイヤ２９４０は、既に発生したイベントに対応するアイコンが出力される第１領域１４１０と、最近実行されたアプリケーションのアイコンが出力される第２領域１４２０に分けられる。すなわち、上位レイヤ２９４０の第１領域１４１０には、既に発生したメール受信イベントに対応するアイコン２９２２とＳＮＳメッセージ受信イベントに対応するアイコン１０１２を出力し、上位レイヤ２９４０の第２領域１４２０には、最近実行されたアプリケーションのアイコン１４３０、１４４０を出力することができる。
【０６１７】
図３５の（ｂ）に示すようにアイコン１０１２、２９２２、１４３０、１４４０が出力された状態で所定時間が経過すると、図３５の（ｃ）に示すように、前記ウェブブラウザアプリケーションの実行画面２９１０が所定の基準を満たすイベントに関する画面情報１０１４に切り替えられるようにしてもよい。
【０６１８】
例えば、前記所定の基準は、イベントの発生時間に関するものであってもよい。よって、前記ウェブブラウザアプリケーションの実行画面２９１０を、メール受信イベントとＳＮＳメッセージ受信イベントのうち直近に発生したイベントであるＳＮＳメッセージ受信イベントに関する画面情報１０１４に切り替えることができる。あるいは、前記ウェブブラウザアプリケーションの実行画面２９１０を、先に発生したイベントであるメール受信イベントに関する画面情報に切り替えることもできる。
【０６１９】
このとき、前記直近に発生したイベントであるＳＮＳメッセージ受信イベントに関する画面情報１０１４は、図３５の（ｃ）に示すように、前記ウェブブラウザアプリケーションの実行画面２９１０上に徐々に表示されるようにしてもよい。
【０６２０】
それにより、図３５の（ｄ）に示すように、前記ウェブブラウザアプリケーションの実行画面２９１０が、前記直近に発生したイベントであるＳＮＳメッセージ受信イベントに関する画面情報１０１４に切り替えられる。このとき、受信されたＳＮＳメッセージが確認されたので、前記ステータスバーに出力されていたＳＮＳメッセージ受信アイコン１０１０は消える。
【０６２１】
例えば、既に発生した複数のイベントにそれぞれ対応するアイコン１０１２、２９２２と最近実行されたアプリケーションのアイコン１４３０、１４４０が出力されている上位レイヤ２９４０は、図３５の（ｃ）に示すように画面が切り替えられている途中で、その出力を終了するようにしてもよい。あるいは、上位レイヤ２９４０は、図３５の（ｄ）に示すように画面切替が終了した後に、その出力を終了するようにしてもよい。
【０６２２】
一方、上位レイヤ２９４０に出力されているアイコン１０１２、２９２２、１４３０、１４４０のいずれかを選択するためのユーザモーションにより実行するアプリケーションを選択することもできる。
【０６２３】
具体的には、ユーザがメール受信イベントに対応するアイコン２９２２をショートタッチ又はロングタッチして選択すると、前記メール受信イベントに関する画面情報が前記ウェブブラウザアプリケーションの実行画面２９１０上に徐々に表示されるようにしてもよい。
【０６２４】
また、ユーザが直近に実行された第１アプリケーションのアイコン１４３０をショートタッチ又はロングタッチして選択すると、前記第１アプリケーションの実行画面が前記ウェブブラウザアプリケーションの実行画面２９１０上に徐々に表示されるようにしてもよい。
【０６２５】
関連実施形態として、図３６の（ａ）を参照すると、図３５の（ｄ）の状態、すなわち前記ウェブブラウザアプリケーションの実行画面２９１０が前記直近に発生したイベントであるＳＮＳメッセージ受信イベントに関する画面情報１０１４に切り替えられた状態で、ウィンドウ部２４０の内側を複数回叩く所定のタップモーションが再び受信される。
【０６２６】
前記所定のタップモーションが再び受信されると、図３６の（ｂ）に示すように、前記既に発生したイベントに対応するアイコン２９２２が再び出力される。
【０６２７】
このとき、前記既に発生したイベントに対応するアイコン２９２２と共に、最近実行されたアプリケーションのアイコン２９１２、１４３０、１４４０が出力されるようにしてもよい。
【０６２８】
一例として、ＳＮＳメッセージ受信イベントに関する画面情報１０１４の一領域に上位レイヤ２９４０がポップアップ方式又は特定方向に表示される方式で出力されるようにしてもよい。このとき、上位レイヤ２９４０の出力は、画面の下方から上方に徐々に表示されるように行われてもよい。
【０６２９】
ここで、上位レイヤ２９４０は不透明に設定してもよく、上位レイヤ２９４０を通じてＳＮＳメッセージ受信イベントに関する画面情報１０１４が見えるようにしてもよい。
【０６３０】
また、上位レイヤ２９４０は、既に発生したイベントに対応するアイコンが出力される第１領域１４１０と、最近実行されたアプリケーションのアイコンが出力される第２領域１４２０に分けられる。すなわち、上位レイヤ２９４０の第１領域１４１０には、既に発生したメール受信イベントに対応するアイコン２９２２を出力し、上位レイヤ２９４０の第２領域１４２０には、最近実行されたアプリケーションのアイコン２９１２、１４３０、１４４０を出力することができる。例えば、ＳＮＳアプリケーションが実行されると、そのＳＮＳアプリケーションの直前に実行されたウェブブラウザアプリケーションのアイコン２９１２が第２領域１４２０にさらに出力される。
【０６３１】
図３６の（ｂ）に示すようにアイコン２９２２、２９１２、１４３０、１４４０が出力された状態で所定時間が経過すると、図３６の（ｃ）及び（ｄ）に示すように、ＳＮＳメッセージ受信イベントに関する画面情報１０１４がメール受信イベントに関する画面情報２９２４に切り替えられるようにしてもよい。
【０６３２】
このとき、メール受信イベントに関する画面情報２９２４は、図３６の（ｃ）に示すように、ＳＮＳメッセージ受信イベントに関する画面情報１０１４上に徐々に表示されるようにしてもよい。
【０６３３】
それにより、図３６の（ｄ）に示すように、ＳＮＳメッセージ受信イベントに関する画面情報１０１４がメール受信イベントに関する画面情報２９２４に切り替えられる。このとき、受信されたメールが確認されたので、前記ステータスバーに出力されていたメール受信アイコン２９２０は消える。
【０６３４】
例えば、既に発生したイベントに対応するアイコン２９２２と最近実行されたアプリケーションのアイコン２９１２、１４３０、１４４０が出力されている上位レイヤ２９４０は、図３６の（ｃ）に示すように画面が切り替えられている途中で、その出力を終了するようにしてもよい。あるいは、上位レイヤ２９４０は、図３６の（ｄ）に示すように画面切替が終了した後に、その出力を終了するようにしてもよい。
【０６３５】
一方、上位レイヤ２９４０に出力されているアイコン２９２２、２９１２、１４３０、１４４０のいずれかを選択するためのユーザモーションにより実行するアプリケーションを選択することもできる。
【０６３６】
具体的には、ユーザが最近実行された第２アプリケーションのアイコン１４４０をショートタッチ又はロングタッチして選択すると、前記第２アプリケーションの実行画面がＳＮＳメッセージ受信イベントに関する画面情報１０１４上に徐々に表示されるようにしてもよい。
【０６３７】
関連実施形態として、図３７Ａの（ａ）を参照すると、図３６の（ｄ）の状態、すなわちＳＮＳメッセージ受信イベントに関する画面情報１０１４がメール受信イベントに関する画面情報２９２４に切り替えられた状態で、ウィンドウ部２４０の内側を複数回叩く所定のタップモーションが再び受信される。
【０６３８】
前記所定のタップモーションが再び受信されると、図３７Ａの（ｂ）に示すように、最近実行されたアプリケーションのアイコン１０１２、２９１２、１４３０、１４４０が再び出力される。
【０６３９】
一例として、メール受信イベントに関する画面情報２９２４の一領域に上位レイヤ２９４０がポップアップ方式又は特定方向に表示される方式で出力されるようにしてもよい。このとき、上位レイヤ２９４０の出力は、画面の下方から上方に徐々に表示されるように行われてもよい。
【０６４０】
ここで、上位レイヤ２９４０は不透明に設定してもよく、上位レイヤ２９４０を通じてメール受信イベントに関する画面情報２９２４が見えるようにしてもよい。
【０６４１】
また、上位レイヤ２９４０は、既に発生したイベントに対応するアイコンが出力される第１領域と、最近実行されたアプリケーションのアイコンが出力される第２領域に分けられる。
【０６４２】
図３７Ａの（ｂ）の場合、既に発生したイベントが存在しないので、上位レイヤ２９４０には最近実行されたアプリケーションのアイコン１０１２、２９１２、１４３０、１４４０のみ出力されている。例えば、メールアプリケーションが実行されると、そのメールアプリケーションの直前に実行されたＳＮＳアプリケーションのアイコン１０１２が上位レイヤ２９４０にさらに出力される。
【０６４３】
このとき、現在実行中のメールアプリケーションの直前に実行されたＳＮＳアプリケーションのアイコン１０１２は、残りのアイコン２９１２、１４３０、１４４０とは異なる形状や大きさで出力されるようにしてもよく、点滅効果などが加えられて出力されるようにしてもよい。これにより、前記ＳＮＳアプリケーションのアイコン１０１２が選択された状態であることを確認することができる。
【０６４４】
図３７Ａの（ｃ）を参照すると、ユーザはウィンドウ部２４０の内側を複数回叩く所定のタップモーションとは異なる第１ユーザモーションにより、実行するアプリケーションを選択することができる。一例として、前記第１ユーザモーションは、図３７Ａの（ｃ）に示すようにウィンドウ部２４０の内側を１回叩くタップモーションに設定されてもよい。
【０６４５】
図３７Ａの（ｄ）を参照すると、ウィンドウ部２４０の内側を１回叩くタップモーションが行われることにより、ＳＮＳアプリケーションのアイコン１０１２の右側に出力されているウェブブラウザアプリケーションのアイコン２９１２が選択される。このとき、前記ウェブブラウザアプリケーションのアイコン２９１２は、残りのアイコン１０１２、１４３０、１４４０とは異なる形状や大きさで出力されるようにしてもよく、点滅効果などが加えられて出力されるようにしてもよい。
【０６４６】
他の例として、ユーザはショートタッチ又はロングタッチにより実行するアプリケーションを選択することもできる。具体的には、ユーザはウェブブラウザアプリケーションのアイコン２９１２をショートタッチ又はロングタッチして選択することができる。
【０６４７】
一方、ユーザは、最近実行されたアプリケーションのアイコン１０１２、２９１２、１４３０、１４４０が出力されている上位レイヤ２９４０をフリックすることにより、最近実行された他のアプリケーションのアイコンをさらに確認することもできる。例えば、ユーザが上位レイヤ２９４０を左にフリックすると、第２アプリケーション（アイコン１４４０に対応するアプリケーション）の直前に実行されたアプリケーションのアイコンが出力される。
【０６４８】
関連実施形態として、図３７Ｂの（ａ）及び（ｂ）を参照すると、図３７Ａの（ｄ）の状態で所定時間が経過すると、選択されたアイコン２９１２に対応するアプリケーションが実行される。具体的には、選択されたアイコン２９１２に対応するウェブブラウザアプリケーションの実行画面２９１０がメール受信イベントに関する画面情報２９２４上に徐々に表示されるようにしてもよい。それにより、図３７Ｂの（ｃ）に示すように、メール受信イベントに関する画面情報２９２４が前記ウェブブラウザアプリケーションの実行画面２９１０に切り替えられる。
【０６４９】
このとき、最近実行されたアプリケーションのアイコン１０１２、２９１２、１４３０、１４４０が出力されている上位レイヤ２９４０は、図３７Ｂの（ｂ）に示すように画面が切り替えられている途中で、その出力を終了するようにしてもよい。あるいは、上位レイヤ２９４０は、図３７Ｂの（ｃ）に示すように画面切替が終了した後に、その出力を終了するようにしてもよい。
【０６５０】
前述した本発明は、コンピュータ可読媒体にコンピュータ可読コードで実現することができる。コンピュータ可読媒体は、コンピュータシステムにより読み取り可能なデータが記録されるあらゆる種類の記録装置を含む。コンピュータ可読媒体は、ＨＤＤ、ＳＳＤ、ＳＤＤ、ＲＯＭ、ＲＡＭ、ＣＤ−ＲＯＭ、磁気テープ、フロッピー（登録商標）ディスク、光データ記憶装置などを含み、かつ搬送波（例えば、インターネットによる送信）状に実現されるものも含む。また、前記コンピュータは、端末機の制御部１８０を含んでもよい。よって、本発明の詳細な説明は例示的なものであり、あらゆる面で制限的に解釈されてはならない。本発明の範囲は添付の特許請求の範囲の合理的解釈により定められるべきであり、本発明の等価的範囲内での全ての変更が本発明の範囲に含まれる。
【符号の説明】
【０６５１】
１１０    無線通信部
１１１    放送受信モジュール
１１２    移動通信モジュール
１１３    無線インターネットモジュール
１１４    近距離通信モジュール
１１５    位置情報モジュール
１２０    入力部
１２１    カメラ
１２２    マイク
１２３    ユーザ入力部
１４０    検知部
１４１    近接センサ
１４２    照度センサ
１５０    出力部
１５１    ディスプレイ部
１５２    音響出力部
１５３    ハプティックモジュール
１５４    光出力部
１６０    インタフェース部
１７０    メモリ
１８０    制御部
１９０    電源供給部
【図１Ａ】
0006509695.tif 000002
【図１Ｂ】
0006509695.tif 000003
【図１Ｃ】
0006509695.tif 000004
【図２Ａ】
0006509695.tif 000005
【図２Ｂ】
0006509695.tif 000006
【図３Ａ】
0006509695.tif 000007
【図３Ｂ】
0006509695.tif 000008
【図４】
0006509695.tif 000009
【図５Ａ】
0006509695.tif 000010
【図５Ｂ】
0006509695.tif 000011
【図６Ａ】
0006509695.tif 000012
【図６Ｂ】
0006509695.tif 000013
【図６Ｃ】
0006509695.tif 000014
【図６Ｄ】
0006509695.tif 000015
【図６Ｅ】
0006509695.tif 000016
【図７Ａ】
0006509695.tif 000017
【図７Ｂ】
0006509695.tif 000018
【図８Ａ】
0006509695.tif 000019
【図８Ｂ】
0006509695.tif 000020
【図９】
0006509695.tif 000021
【図１０Ａ】
0006509695.tif 000022
【図１０Ｂ】
0006509695.tif 000023
【図１０Ｃ】
0006509695.tif 000024
【図１０Ｄ】
0006509695.tif 000025
【図１０Ｅ】
0006509695.tif 000026
【図１１Ａ】
0006509695.tif 000027
【図１１Ｂ】
0006509695.tif 000028
【図１１Ｃ】
0006509695.tif 000029
【図１１Ｄ】
0006509695.tif 000030
【図１１Ｅ】
0006509695.tif 000031
【図１２】
0006509695.tif 000032
【図１３Ａ】
0006509695.tif 000033
【図１３Ｂ】
0006509695.tif 000034
【図１３Ｃ】
0006509695.tif 000035
【図１４Ａ】
0006509695.tif 000036
【図１４Ｂ】
0006509695.tif 000037
【図１４Ｃ】
0006509695.tif 000038
【図１５Ａ】
0006509695.tif 000039
【図１５Ｂ】
0006509695.tif 000040
【図１６】
0006509695.tif 000041
【図１７Ａ】
0006509695.tif 000042
【図１７Ｂ】
0006509695.tif 000043
【図１７Ｃ】
0006509695.tif 000044
【図１７Ｄ】
0006509695.tif 000045
【図１７Ｅ】
0006509695.tif 000046
【図１７Ｆ】
0006509695.tif 000047
【図１７Ｇ】
0006509695.tif 000048
【図１８Ａ】
0006509695.tif 000049
【図１８Ｂ】
0006509695.tif 000050
【図１８Ｃ】
0006509695.tif 000051
【図１８Ｄ】
0006509695.tif 000052
【図１８Ｅ】
0006509695.tif 000053
【図１８Ｆ】
0006509695.tif 000054
【図１９Ａ】
0006509695.tif 000055
【図１９Ｂ】
0006509695.tif 000056
【図２０Ａ】
0006509695.tif 000057
【図２０Ｂ】
0006509695.tif 000058
【図２０Ｃ】
0006509695.tif 000059
【図２０Ｄ】
0006509695.tif 000060
【図２１Ａ】
0006509695.tif 000061
【図２１Ｂ】
0006509695.tif 000062
【図２２】
0006509695.tif 000063
【図２３】
0006509695.tif 000064
【図２４Ａ】
0006509695.tif 000065
【図２４Ｂ】
0006509695.tif 000066
【図２４Ｃ】
0006509695.tif 000067
【図２４Ｄ】
0006509695.tif 000068
【図２５】
0006509695.tif 000069
【図２６Ａ】
0006509695.tif 000070
【図２６Ｂ】
0006509695.tif 000071
【図２７Ａ】
0006509695.tif 000072
【図２７Ｂ】
0006509695.tif 000073
【図２８Ａ】
0006509695.tif 000074
【図２８Ｂ】
0006509695.tif 000075
【図２９】
0006509695.tif 000076
【図３０】
0006509695.tif 000077
【図３１】
0006509695.tif 000078
【図３２】
0006509695.tif 000079
【図３３】
0006509695.tif 000080
【図３４】
0006509695.tif 000081
【図３５】
0006509695.tif 000082
【図３６】
0006509695.tif 000083
【図３７Ａ】
0006509695.tif 000084
【図３７Ｂ】
0006509695.tif 000085